(57)【要約】本出願の実施形態は、通信分野に関し、ネットワークデバイスと通信する処理において端末デバイスによって実施されるＰＤＣＣＨ監視によって引き起こされる電力消費量を低減するための、監視方法およびデバイスを開示する。本方法は、端末デバイスによって、第１の探索空間構成および第２の探索空間構成を取得するステップであって、第１の探索空間構成は第１の探索空間セットを含み、第２の探索空間構成は第２の探索空間セットを含むか、または第１の探索空間構成は第１の探索空間パラメータを含み、第２の探索空間構成は第２の探索空間パラメータを含む、ステップと、第１の条件が満たされた場合、端末デバイスによって、第１の探索空間構成に基づいて物理ダウンリンク制御チャネルＰＤＣＣＨを監視するステップであって、第１の条件は、第１のタイマーが実行状態でないことを含む、ステップ、または第２の条件が満たされた場合、端末デバイスによって、第２の探索空間構成に基づいてＰＤＣＣＨを監視するステップであって、第２の条件は、第１のタイマーが実行状態であることを含む、ステップとを含む。
2021534681.tif 000002
【特許請求の範囲】
【請求項１】
監視方法であって、
端末デバイスによって、第１の探索空間構成および第２の探索空間構成を取得するステップであって、
前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なる、ステップと、
第１の条件が満たされた場合、前記端末デバイスによって、前記第１の探索空間構成に基づいて物理ダウンリンク制御チャネルＰＤＣＣＨを監視するステップであって、前記第１の条件は、第１のタイマーが実行状態でないことを備える、ステップ、または
第２の条件が満たされた場合、前記端末デバイスによって、前記第２の探索空間構成に基づいてＰＤＣＣＨを監視するステップであって、前記第２の条件は、前記第１のタイマーが実行状態であることを備える、ステップと
を備える、監視方法。
【請求項２】
前記方法は、
前記端末デバイスがＰＤＣＣＨを受信した場合、前記第１のタイマーを開始もしくは再開するステップ、
前記端末デバイスが、データ送信を示すために使用されるＰＤＣＣＨを受信した場合、前記第１のタイマーを開始もしくは再開するステップ、
前記端末デバイスが、新しい送信を示すために使用されるＰＤＣＣＨを受信した場合、前記第１のタイマーを開始もしくは再開するステップ、または
第２のタイマーが開始もしくは再開された場合、前記端末デバイスによって、前記第１のタイマーを開始もしくは再開するステップであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、ステップ
をさらに備える請求項１に記載の監視方法。
【請求項３】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項１または２に記載の監視方法。
【請求項４】
前記第１の探索空間パラメータは、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、
前記第２の探索空間パラメータは、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える
請求項１乃至３のいずれか一項に記載の監視方法。
【請求項５】
端末デバイスによって、第１の探索空間構成および第２の探索空間構成を取得する前記ステップは、
前記端末デバイスによって、ネットワークデバイスによって送られた第１の情報を受信するステップであって、前記第１の情報は、前記第１の探索空間構成を備えるかまたは示す、ステップと、
前記端末デバイスによって、前記ネットワークデバイスによって送られた第２の情報を受信するステップであって、前記第２の情報は、前記第２の探索空間構成を備えるかまたは示す、ステップと
を備える請求項１乃至４のいずれか一項に記載の監視方法。
【請求項６】
前記第１の探索空間セットは、前記第２の探索空間セットのサブセットである請求項１乃至５のいずれか一項に記載の監視方法。
【請求項７】
前記第１の条件が満たされた場合、前記ＰＤＣＣＨによって示される物理ダウンリンク共有チャネルＰＤＳＣＨを受信するために前記端末デバイスによって使用されるべき多入力多出力ＭＩＭＯレイヤ量は、第１のＭＩＭＯレイヤ量であるか、または前記第２の条件が満たされた場合、前記ＰＤＣＣＨによって示されるＰＤＳＣＨを受信するために前記端末デバイスによって使用されるべきＭＩＭＯレイヤ量は、第２のＭＩＭＯレイヤ量であり、
前記第１のＭＩＭＯレイヤ量は、前記第２のＭＩＭＯレイヤ量とは異なる
請求項１乃至６のいずれか一項に記載の監視方法。
【請求項８】
監視方法であって、
端末デバイスによって、第１の探索空間構成および第２の探索空間構成を取得するステップであって、前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なる、ステップと、
前記端末デバイスによって、前記第１の探索空間構成に基づいて第１のＰＤＣＣＨを監視するステップであって、前記第１のＰＤＣＣＨは、インジケーション情報を搬送するために使用され、前記インジケーション情報は、前記端末デバイスが前記インジケーション情報を受信した後に存在する第１の時間期間内に第２のＰＤＣＣＨを監視しないように前記端末デバイスに示すために使用されるか、または前記インジケーション情報は、前記端末デバイスが前記インジケーション情報を受信した後に存在する第２の時間期間内に前記第２のＰＤＣＣＨを監視するように前記端末デバイスに示すために使用され、前記第２のＰＤＣＣＨは前記インジケーション情報を搬送しない、ステップと、
前記端末デバイスによって、前記第１の時間期間以外の時間期間内の、または前記第２の時間期間内に前記第２の探索空間構成に基づいて前記第２のＰＤＣＣＨを監視するステップと
を備える、監視方法。
【請求項９】
前記インジケーション情報は、前記第２の探索空間構成を備えるかまたは示す請求項８に記載の監視方法。
【請求項１０】
前記第１の探索空間パラメータは、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、
前記第２の探索空間パラメータは、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える
請求項８または９に記載の監視方法。
【請求項１１】
端末デバイスによって、第１の探索空間構成および第２の探索空間構成を取得する前記ステップは、
前記端末デバイスによって、ネットワークデバイスによって送られた第１の情報を受信するステップであって、前記第１の情報は、前記第１の探索空間構成を備えるかまたは示す、ステップと、
前記端末デバイスによって、前記ネットワークデバイスによって送られた第２の情報を受信するステップであって、前記第２の情報は、前記第２の探索空間構成を備えるかまたは示す、ステップと
を備える請求項８乃至１０のいずれか一項に記載の監視方法。
【請求項１２】
前記第１の探索空間セットは、前記第２の探索空間セットのサブセットである請求項８乃至１１のいずれか一項に記載の監視方法。
【請求項１３】
前記インジケーション情報は、前記第２のＰＤＣＣＨによって示されるＰＤＳＣＨのために使用されるべきＭＩＭＯレイヤ量をさらに備えるかまたは示す請求項８乃至１２のいずれか一項に記載の監視方法。
【請求項１４】
コンピュータ可読記憶媒体であって、前記コンピュータ可読記憶媒体は命令を記憶し、前記コンピュータ可読記憶媒体が端末デバイス上で実行されたとき、前記端末デバイスは、請求項１乃至１３のいずれか一項に記載の監視方法を実施することを可能にされる、コンピュータ可読記憶媒体。
【請求項１５】
ワイヤレス通信装置であって、前記ワイヤレス通信装置は命令を記憶し、前記ワイヤレス通信装置が端末デバイス上で実行されたとき、前記端末デバイスは、請求項１乃至１３のいずれか一項に記載の監視方法を実施することを可能され、前記ワイヤレス通信装置はチップである、ワイヤレス通信装置。
【請求項１６】
コンピュータ可読記憶媒体であって、前記コンピュータ可読記憶媒体は命令を記憶し、前記コンピュータ可読記憶媒体がネットワークデバイス上で実行されたとき、前記ネットワークデバイスは、請求項１乃至１３のいずれか一項に記載の監視方法を実施することを可能にされる、コンピュータ可読記憶媒体。
【請求項１７】
ワイヤレス通信装置であって、前記ワイヤレス通信装置は命令を記憶し、前記ワイヤレス通信装置がネットワークデバイス上で実行されたとき、前記ネットワークデバイスは、請求項１乃至１３のいずれか一項に記載の監視方法を実施することを可能にされ、前記ワイヤレス通信装置はチップである、ワイヤレス通信装置。
【請求項１８】
１つまたは複数のプロセッサおよび１つまたは複数のメモリを備える、端末デバイスであって、
前記１つまたは複数のメモリは、前記１つまたは複数のプロセッサに結合され、前記１つまたは複数のメモリは、コンピュータプログラムコードを記憶するように構成され、前記コンピュータプログラムコードはコンピュータ命令を備え、前記１つまたは複数のプロセッサが前記コンピュータ命令を実行したとき、前記端末デバイスは、請求項１乃至１３のいずれか一項に記載の監視方法を実施することを可能にされる、端末デバイス。
【請求項１９】
１つまたは複数のプロセッサおよび１つまたは複数のメモリを備える、ネットワークデバイスであって、
前記１つまたは複数のメモリは、前記１つまたは複数のプロセッサに結合され、前記１つまたは複数のメモリは、コンピュータプログラムコードを記憶するように構成され、前記コンピュータプログラムコードはコンピュータ命令を備え、前記１つまたは複数のプロセッサが前記コンピュータ命令を実行したとき、前記ネットワークデバイスは、請求項１乃至１３のいずれか一項に記載の監視方法を実施することを可能にされる、ネットワークデバイス。
【請求項２０】
監視方法であって、
端末デバイスによって、第１の探索空間構成および第２の探索空間構成を取得するステップであって、
前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なる、ステップと、
第１の条件が満たされた場合、前記端末デバイスによって、前記第１の探索空間構成に基づいて物理ダウンリンク制御チャネルＰＤＣＣＨを監視するステップ、または
第２の条件が満たされた場合、前記第２の探索空間構成に基づいてＰＤＣＣＨを監視するステップとを備え、
前記第１の条件は、前記端末デバイスが第１の瞬間と第２の瞬間との間にあることを備え、
前記第２の条件は、前記端末デバイスが前記第２の瞬間の後にあることを備える、
監視方法。
【請求項２１】
前記端末デバイスが前記ＰＤＣＣＨを受信した場合、第１のタイマーを開始もしくは再開するステップ、
前記端末デバイスが、データ送信を示すために使用されるＰＤＣＣＨを受信した場合、第１のタイマーを開始もしくは再開するステップ、
前記端末デバイスが、新たに送信されたＰＤＣＣＨを示す場合、第１のタイマーを開始もしくは再開するステップ、または
第２のタイマーが開始もしくは再開された場合、前記端末デバイスによって、第１のタイマーを開始もしくは再開するステップであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、ステップ
を備える請求項２０に記載の検出方法。
【請求項２２】
前記第１の条件は、第３のタイマーが実行状態であることをさらに備え、
前記第３のタイマーは、１つの間欠受信ＤＲＸサイクル中に前記端末デバイスによってＰＤＣＣＨを監視する時間長を決定するために使用される
請求項２０または２１に記載の方法。
【請求項２３】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、
前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える
請求項２０乃至２２のいずれか一項に記載の方法。
【請求項２４】
端末デバイスによって、第１の探索空間構成および第２の探索空間構成を取得する前記ステップは、
前記端末デバイスによって、ネットワークデバイスによって送られた第１の情報を受信するステップであって、前記第１の情報は、前記第１の探索空間構成を備えるかまたは示す、ステップと、
前記端末デバイスによって、前記ネットワークデバイスによって送られた第２の情報を受信するステップであって、前記第２の情報は、前記第２の探索空間構成を備えるかまたは示す、ステップと
を備える請求項２０乃至２３のいずれか一項に記載の方法。
【請求項２５】
前記第１の探索空間セットは、前記第２の探索空間セットのサブセットである請求項２０乃至２４のいずれか一項に記載の方法。
【請求項２６】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項２０乃至２５のいずれか一項に記載の方法。
【請求項２７】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記端末デバイスによって、前記第２の探索空間構成に基づいて前記ＰＤＣＣＨを監視するステップをさらに備える請求項２０乃至２６のいずれか一項に記載の方法。
【請求項２８】
前記第１の条件が満たされた場合、前記ＰＤＣＣＨによって示される物理ダウンリンク共有チャネルＰＤＳＣＨを受信するために前記端末デバイスによって使用されるべき多入力多出力ＭＩＭＯレイヤ量は、第１のＭＩＭＯレイヤ量であるか、または前記第２の条件が満たされた場合、前記ＰＤＣＣＨによって示されるＰＤＳＣＨを受信するために前記端末デバイスによって使用されるべきＭＩＭＯレイヤ量は、第２のＭＩＭＯレイヤ量であり、前記第１のＭＩＭＯレイヤ量は、前記第２のＭＩＭＯレイヤ量とは異なる請求項２０乃至２７のいずれか一項に記載の方法。
【請求項２９】
監視方法であって、
端末デバイスによって、第１の探索空間構成および第２の探索空間構成を取得するステップであって、前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なる、ステップと、
前記端末デバイスによって、前記第１の探索空間構成に基づいて第１のＰＤＣＣＨを監視するステップであって、前記第１のＰＤＣＣＨは、インジケーション情報を搬送するために使用され、前記インジケーション情報は、前記端末デバイスが前記インジケーション情報を受信した後に存在する第１の時間期間内に第２のＰＤＣＣＨを監視しないように前記端末デバイスに示すために使用されるか、または前記インジケーション情報は、前記端末デバイスが前記インジケーション情報を受信した後に存在する第２の時間期間内に前記第２のＰＤＣＣＨを監視するように前記端末デバイスに示すために使用され、前記第２のＰＤＣＣＨは前記インジケーション情報を搬送しない、ステップと、
前記端末デバイスによって、前記第１の時間期間以外の時間期間内に、または前記第２の時間期間内に前記第２の探索空間構成に基づいて前記第２のＰＤＣＣＨを監視するステップと
を備える、監視方法。
【請求項３０】
前記インジケーション情報は、前記第２の探索空間構成をさらに備えるかまたは示す請求項２９に記載の方法。
【請求項３１】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項２８または２９に記載の方法。
【請求項３２】
端末デバイスによって、第１の探索空間構成および第２の探索空間構成を取得する前記ステップは、
前記端末デバイスによって、ネットワークデバイスによって送られた第１の情報を受信するステップであって、前記第１の情報は、前記第１の探索空間構成を備えるかまたは示す、ステップと、
前記端末デバイスによって、前記ネットワークデバイスによって送られた第２の情報を受信するステップであって、前記第２の情報は、前記第２の探索空間構成を備えるかまたは示す、ステップと
を備える請求項２９乃至３１のいずれか一項に記載の方法。
【請求項３３】
前記第１の探索空間セットは、前記第２の探索空間セットのサブセットである請求項２９乃至３２のいずれか一項に記載の方法。
【請求項３４】
前記インジケーション情報は、前記第２のＰＤＣＣＨによって示されるＰＤＳＣＨのために使用されるべきＭＩＭＯレイヤ量をさらに備えるかまたは示す請求項２９乃至３３のいずれか一項に記載の方法。
【請求項３５】
通信方法であって、
第１の条件が満たされたときに端末デバイスが第１の物理ダウンリンク制御チャネルＰＤＣＣＨを受信した場合、第１の多入力多出力ＭＩＭＯレイヤ量に基づいて前記端末デバイスによって、前記第１のＰＤＣＣＨによって示される物理ダウンリンク共有チャネルＰＤＳＣＨを受信するステップ、または
第２の条件が満たされたときに前記端末デバイスが第２のＰＤＣＣＨを受信した場合、第２のＭＩＭＯレイヤ量に基づいて前記端末デバイスによって、前記第２のＰＤＣＣＨによって示されるＰＤＳＣＨを受信するステップを備え、前記第１のＭＩＭＯレイヤ量は、前記第２のＭＩＭＯレイヤ量とは異なり、前記第１の条件は、第１のタイマーが実行状態でないことを備え、前記第２の条件は、前記第１のタイマーが実行状態であることを備える、通信方法。
【請求項３６】
前記方法は、
前記端末デバイスがＰＤＣＣＨを受信した場合、前記第１のタイマーを開始もしくは再開するステップ、前記端末デバイスが、データ送信を示すために使用されるＰＤＣＣＨを受信した場合、前記第１のタイマーを開始もしくは再開するステップ、前記端末デバイスが、新しい送信を示すために使用されるＰＤＣＣＨを受信した場合、前記第１のタイマーを開始もしくは再開するステップ、または第２のタイマーが開始もしくは再開された場合、前記端末デバイスによって、前記第１のタイマーを開始もしくは再開するステップであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、ステップ
をさらに備える請求項３５に記載の方法。
【請求項３７】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項３５または３６に記載の方法。
【請求項３８】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項３５乃至３７のいずれか一項に記載の方法。
【請求項３９】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて前記端末デバイスによって、前記第２のＰＤＣＣＨによって示される前記ＰＤＳＣＨを受信するステップをさらに備える請求項３５乃至３８のいずれか一項に記載の方法。
【請求項４０】
通信方法であって、
第１の条件が満たされたときに端末デバイスが第１の物理ダウンリンク制御チャネルＰＤＣＣＨを受信した場合、第１の多入力多出力ＭＩＭＯレイヤ量に基づいて前記端末デバイスによって、前記第１のＰＤＣＣＨによって示される物理ダウンリンク共有チャネルＰＤＳＣＨを受信するステップ、または
第２の条件が満たされたときに端末デバイスが第２のＰＤＣＣＨを受信した場合、第２のＭＩＭＯレイヤ量に基づいて前記端末デバイスによって、前記第２のＰＤＣＣＨによって示されるＰＤＳＣＨを受信するステップを備え、前記第１のＭＩＭＯレイヤ量は、前記第２のＭＩＭＯレイヤ量とは異なり、前記第１の条件は、前記端末デバイスが第１の瞬間と第２の瞬間との間にあることであり、前記第２の条件は、前記端末デバイスが前記第２の瞬間の後にあることであり、前記第１の瞬間は、間欠受信ＤＲＸオン持続時間（ＤＲＸ  Ｏｎ  Ｄｕｒａｔｉｏｎ）の開始瞬間であり、
前記第２の瞬間は、前記端末デバイスが前記第１の瞬間の後に第ＮのＰＤＣＣＨを受信する瞬間であるか、または前記第２の瞬間は、第１の持続時間だけ第３の瞬間よりも後の瞬間であり、Ｎは１以上の整数であり、前記第１の持続時間の長さは０よりも大きい、通信方法。
【請求項４１】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、ここにおいて、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない、の場合のうちの１つまたは複数をさらに備える請求項４０に記載の方法。
【請求項４２】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて前記端末デバイスによって、前記第２のＰＤＣＣＨによって示される前記ＰＤＳＣＨを受信するステップをさらに備える請求項請求項４０または４１に記載の方法。
【請求項４３】
通信方法であって、
端末デバイスによって、インジケーション情報を受信するステップであって、前記インジケーション情報は、前記端末デバイスが前記インジケーション情報を受信した後に存在する第１の時間期間内にＰＤＣＣＨを監視しないように前記端末デバイスに示すために使用されるか、または前記インジケーション情報は、前記端末デバイスが前記インジケーション情報を受信した後に存在する第２の時間期間内にＰＤＣＣＨを監視するように前記端末デバイスに示すために使用される、ステップと、
前記端末デバイスによって、前記第１の時間期間以外の時間期間内に、または前記第２の時間期間内に前記ＰＤＣＣＨを監視するステップと
を備える、通信方法。
【請求項４４】
前記インジケーション情報は、ＭＩＭＯレイヤ量を備えるかまたは示し、
前記方法は、
前記端末デバイスによって、前記ＭＩＭＯレイヤ量に基づいてＰＤＳＣＨを受信するステップであって、前記ＰＤＳＣＨは、前記端末デバイスによって監視される前記ＰＤＣＣＨによって示されるＰＤＳＣＨである、ステップ
をさらに備える請求項４３に記載の方法。
【請求項４５】
通信方法であって、
第１の条件が満たされた場合、ネットワークデバイスによって、第１の探索空間構成に基づいて端末デバイスにＰＤＣＣＨを送るステップ、または
第２の条件が満たされた場合、前記ネットワークデバイスによって、第２の探索空間構成に基づいて前記端末デバイスに前記ＰＤＣＣＨを送るステップを備え、前記第１の条件は、前記端末デバイスの第１のタイマーが実行状態でないことを備え、前記第２の条件は、前記第１のタイマーが実行状態であることを備え、
前記第１の探索空間構成は第１の探索空間セットを備え、前記第２の探索空間構成は第２の探索空間セットを備え、前記第１の探索空間セットは前記第２の探索空間とは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なる、通信方法。
【請求項４６】
前記端末デバイスがＰＤＣＣＨを受信した場合、前記第１のタイマーは開始もしくは再開されるか、前記端末デバイスが、データ送信を示すために使用されるＰＤＣＣＨを受信した場合、前記第１のタイマーは開始もしくは再開されるか、前記端末デバイスが、新しい送信を示すために使用されるＰＤＣＣＨを受信した場合、前記第１のタイマーは開始もしくは再開されるか、または第２のタイマーが開始もしくは再開された場合、前記第１のタイマーは開始もしくは再開され、前記第２のタイマーは、前記端末デバイスが、新しい送信を示すために使用されるＰＤＣＣＨを受信した後に、前記端末デバイスによってＰＤＣＣＨを監視する時間長を決定するために使用される請求項４５に記載の方法。
【請求項４７】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項４５または４６に記載の方法。
【請求項４８】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項４５乃至４７のいずれか一項に記載の方法。
【請求項４９】
前記方法は、前記ネットワークデバイスによって、前記端末デバイスに第１の情報を送るステップであって、前記第１の情報は、前記第１の探索空間構成を備えるかまたは示す、ステップと、前記ネットワークデバイスによって、前記端末デバイスに第２の情報を送るステップであって、前記第２の情報は、前記第２の探索空間構成を備えるかまたは示す、ステップとをさらに備える請求項４５乃至４８のいずれか一項に記載の方法。
【請求項５０】
前記第１の探索空間セットは、前記第２の探索空間セットのサブセットである請求項４５乃至４９のいずれか一項に記載の方法。
【請求項５１】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項４５乃至５０のいずれか一項に記載の方法。
【請求項５２】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記ネットワークデバイスによって、前記第２の探索空間に基づいて前記ＰＤＣＣＨを送るステップをさらに備える請求項４５乃至５１のいずれか一項に記載の方法。
【請求項５３】
通信方法であって、
第１の条件が満たされた場合、ネットワークデバイスによって、第１の探索空間構成に基づいて端末デバイスにＰＤＣＣＨを送るステップ、または
第２の条件が満たされた場合、前記ネットワークデバイスによって、第２の探索空間構成に基づいて前記端末デバイスにＰＤＣＣＨを送るステップを備え、前記第１の探索空間構成は第１の探索空間セットを備え、前記第２の探索空間構成は第２の探索空間セットを備え、前記第１の探索空間セットは前記第２の探索空間とは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なり、前記第１の条件は、前記端末デバイスが第１の瞬間と第２の瞬間との間にあることを備え、前記第２の条件は、前記端末デバイスが前記第２の瞬間の後にあることを備え、前記第１の瞬間は、間欠受信ＤＲＸオン持続時間（Ｏｎ  Ｄｕｒａｔｉｏｎ）の開始瞬間であり、前記第２の瞬間は、前記端末デバイスが前記第１の瞬間の後に第ＮのＰＤＣＣＨを受信する瞬間である第３の瞬間であるか、または前記第２の瞬間は、第１の持続時間だけ前記第３の瞬間よりも後の瞬間であり、Ｎは１以上の整数であり、前記第１の持続時間の長さは０よりも大きい、通信方法。
【請求項５４】
前記方法は、前記端末デバイスがＰＤＣＣＨを受信した場合、第１のタイマーを開始もしくは再開するステップ、前記端末デバイスが、データ送信を示すために使用されるＰＤＣＣＨを受信した場合、第１のタイマーを開始もしくは再開するステップ、前記端末デバイスが、新しい送信を示すために使用されるＰＤＣＣＨを受信した場合、第１のタイマーを開始もしくは再開するステップ、または第２のタイマーが開始もしくは再開された場合、前記端末デバイスによって、第１のタイマーを開始もしくは再開するステップであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、ステップをさらに備える請求項５３に記載の方法。
【請求項５５】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用され、前記第３のタイマーはオン持続時間タイマーである請求項５３または５４に記載の方法。
【請求項５６】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項５３乃至５５のいずれか一項に記載の方法。
【請求項５７】
前記端末デバイスが、前記第１の探索空間構成および前記第２の探索空間構成を取得することは、前記端末デバイスによって、前記ネットワークデバイスによって送られた第１の情報を受信するステップであって、前記第１の情報は、前記第１の探索空間構成を備えるかまたは示す、ステップと、前記端末デバイスによって、前記ネットワークデバイスによって送られた第２の情報を受信するステップであって、前記第２の情報は、前記第２の探索空間構成を備えるかまたは示す、ステップとを備える請求項５３乃至５６のいずれか一項に記載の方法。
【請求項５８】
前記第１の探索空間セットは、前記第２の探索空間セットのサブセットである請求項５３乃至５７のいずれか一項に記載の方法。
【請求項５９】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項５３乃至５８のいずれか一項に記載の方法。
【請求項６０】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記ネットワークデバイスによって、前記第２の探索空間構成に基づいて前記端末デバイスに前記ＰＤＣＣＨを送るステップをさらに備える請求項５３乃至５９のいずれか一項に記載の方法。
【請求項６１】
前記第１の条件が満たされた場合、前記ＰＤＣＣＨによって示されるＰＤＳＣＨを送るために前記ネットワークデバイスによって使用されるべき多入力多出力ＭＩＭＯレイヤ量は、第１のＭＩＭＯレイヤ量であるか、または前記第２の条件が満たされた場合、前記ＰＤＣＣＨによって示されるＰＤＳＣＨを送るために前記ネットワークデバイスによって使用されるべきＭＩＭＯレイヤ量は、第２のＭＩＭＯレイヤ量であり、前記第１のＭＩＭＯレイヤ量は、前記第２のＭＩＭＯレイヤ量とは異なる請求項５３乃至６０のいずれか一項に記載の方法。
【請求項６２】
通信方法であって、
ネットワークデバイスによって、第１の探索空間構成に基づいて端末デバイスに第１のＰＤＣＣＨを送るステップであって、前記第１のＰＤＣＣＨは、インジケーション情報を搬送するために使用され、前記インジケーション情報は、前記端末デバイスが前記インジケーション情報を受信した後に存在する第１の持続時間内に第２のＰＤＣＣＨを監視することを停止するように前記端末デバイスに示すために使用されるか、または前記インジケーション情報は、前記端末デバイスが前記インジケーション情報を受信した後に存在する第２の持続時間内に前記第２のＰＤＣＣＨを監視するように前記端末デバイスに示すために使用され、前記第２のＰＤＣＣＨはインジケーション情報を搬送しない、ステップと、
前記ネットワークデバイスによって、前記第１の持続時間以外の持続時間内に、または前記第２の持続時間内に第２の探索空間構成に基づいて前記端末デバイスに前記第２のＰＤＣＣＨを送るステップとを備え、
前記第１の探索空間構成は第１の探索空間セットであり、前記第２の探索空間構成は第２の探索空間セットであり、前記第１の探索空間セットは前記第２の探索空間セットとは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なる、通信方法。
【請求項６３】
前記インジケーション情報は、前記第２の探索空間構成をさらに備えるかまたは示す請求項６２に記載の方法。
【請求項６４】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項６１または６２に記載の方法。
【請求項６５】
前記方法は、前記端末デバイスに第１の情報を送るステップであって、前記第１の情報は、前記第１の探索空間構成を備えるかまたは示す、ステップと、前記端末デバイスに第２の情報を送るステップであって、前記第２の情報は、前記第２の探索空間構成を備えるかまたは示す、ステップとをさらに備える請求項６２乃至６４のいずれか一項に記載の方法。
【請求項６６】
前記第１の探索空間セットは、前記第２の探索空間セットのサブセットである請求項６２乃至６５のいずれか一項に記載の方法。
【請求項６７】
前記インジケーション情報は、前記第２のＰＤＣＣＨによって示されるＰＤＳＣＨのために使用されるべきＭＩＭＯレイヤ量をさらに備えるかまたは示す請求項６２乃至６６のいずれか一項に記載の方法。
【請求項６８】
通信方法であって、
第１の条件が満たされたとき、ネットワークデバイスによって、端末デバイスに第１の物理ダウンリンク制御チャネルＰＤＣＣＨを送り、前記ネットワークデバイスによって、第１の多入力多出力ＭＩＭＯレイヤ量に基づいて前記端末デバイスに第１の物理ダウンリンク共有チャネルＰＤＳＣＨを送るステップであって、前記第１のＰＤＣＣＨは、前記第１のＰＤＳＣＨを示すために使用される、ステップ、または
第２の条件が満たされたとき、前記ネットワークデバイスによって、前記端末デバイスに第２のＰＤＣＣＨを送り、前記ネットワークデバイスによって、第２のＭＩＭＯレイヤ量に基づいて前記端末デバイスに前記第２のＰＤＳＣＨを送るステップであって、前記第２のＰＤＣＣＨは、前記第２のＰＤＳＣＨを示すために使用され、前記第１のＭＩＭＯレイヤ量は、前記第２のＭＩＭＯレイヤ量とは異なる、ステップを備え、
前記第１の条件は、第１のタイマーが実行状態でないことを備え、前記第２の条件は、前記第１のタイマーが実行状態であることを備える、通信方法。
【請求項６９】
前記端末デバイスがＰＤＣＣＨを受信した場合、前記第１のタイマーは開始もしくは再開されるか、前記端末デバイスが、データ送信を示すために使用されるＰＤＣＣＨを受信した場合、前記第１のタイマーは開始もしくは再開されるか、前記端末デバイスが、新しい送信を示すために使用されるＰＤＣＣＨを受信した場合、前記第１のタイマーは開始もしくは再開されるか、または前記第２のタイマーが開始もしくは再開された場合、前記第１のタイマーは開始もしくは再開され、前記第２のタイマーは、前記端末デバイスが、新しい送信を示すために使用されるＰＤＣＣＨを受信した後に、前記端末デバイスによってＰＤＣＣＨを監視する時間長を決定するために使用される請求項６８に記載の方法。
【請求項７０】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項６８または６９に記載の方法。
【請求項７１】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項６８乃至７０のいずれか一項に記載の方法。
【請求項７２】
前記ネットワークデバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて前記端末デバイスに前記第２のＰＤＳＣＨを送る請求項６８乃至７１のいずれか一項に記載の方法。
【請求項７３】
通信方法であって、
第１の条件が満たされたとき、ネットワークデバイスによって、端末デバイスに第１の物理ダウンリンク制御チャネルＰＤＣＣＨを送り、前記ネットワークデバイスによって、第１の多入力多出力ＭＩＭＯレイヤ量に基づいて前記端末デバイスに第１の物理ダウンリンク共有チャネルＰＤＳＣＨを送るステップであって、前記第１のＰＤＣＣＨは、前記第１のＰＤＳＣＨを示すために使用される、ステップ、または
第２の条件が満たされたとき、前記ネットワークデバイスによって、前記端末デバイスに第２のＰＤＣＣＨを送り、前記ネットワークデバイスによって、第２のＭＩＭＯレイヤ量に基づいて前記端末デバイスに第２のＰＤＳＣＨを送るステップを備え、前記第２のＰＤＣＣＨは、前記第２のＰＤＳＣＨを示すために使用され、前記第１のＭＩＭＯレイヤ量は、前記第２のＭＩＭＯレイヤ量とは異なり、前記第１の条件は、前記端末デバイスが第１の瞬間と第２の瞬間との間にあることであり、前記第２の条件は、前記端末デバイスが前記第２の瞬間の後にあることであり、前記第１の瞬間は、間欠受信ＤＲＸオン持続時間（ＤＲＸ  Ｏｎ  Ｄｕｒａｔｉｏｎ）の開始瞬間であり、前記第２の瞬間は、前記端末デバイスが前記第１の瞬間の後に第ＮのＰＤＣＣＨを受信する瞬間である第３の瞬間であるか、または前記第２の瞬間は、前記第１の持続時間だけ前記第３の瞬間よりも後の瞬間であり、Ｎは１以上の整数であり、前記第１の持続時間の長さは０よりも大きい、通信方法。
【請求項７４】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、ここにおいて、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない、の場合のうちの１つまたは複数をさらに備える請求項７３に記載の方法。
【請求項７５】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記ネットワークデバイスによって、前記第２のＭＩＭＯレイヤ量に基づいて前記端末デバイスに前記第２のＰＤＳＣＨを送るステップをさらに備える請求項７３または７４に記載の方法。
【請求項７６】
通信方法であって、
ネットワークデバイスによって、インジケーション情報を送るステップであって、前記インジケーション情報は、前記端末デバイスが前記インジケーション情報を受信した後に存在する第１の持続時間内にＰＤＣＣＨを監視することを停止するように前記端末デバイスに示すために使用されるか、または前記インジケーション情報は、前記端末デバイスが前記インジケーション情報を受信した後に存在する第２の持続時間内にＰＤＣＣＨを監視するように前記端末デバイスに示すために使用される、ステップと、前記ネットワークデバイスによって、前記第１の持続時間以外の持続時間内に、または前記第２の持続時間内に前記端末デバイスにＰＤＣＣＨを送るステップであって、前記インジケーション情報は、ＭＩＭＯレイヤ量を備えるかまたは示す、ステップと、前記ネットワークデバイスによって、前記インジケーション情報中に備えられるかまたは前記インジケーション情報によって示される前記ＭＩＭＯレイヤ量に基づいて前記端末デバイスに物理ダウンリンク共有チャネルＰＤＳＣＨを送るステップであって、前記ＰＤＣＣＨは、前記ＰＤＳＣＨを示すために使用される、ステップと
を備える、通信方法。
【請求項７７】
端末デバイスであって、
第１の探索空間構成および第２の探索空間構成を取得するように構成された処理ユニットを備え、前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なり、前記処理ユニットは、第１の条件が満たされた場合、前記第１の探索空間構成に基づいてＰＤＣＣＨを監視することであって、前記第１の条件は、第１のタイマーが実行状態でないことを備える、監視すること、または第２の条件が満たされた場合、前記第２の探索空間構成に基づいてＰＤＣＣＨを監視することであって、前記第２の条件は、第１のタイマーが実行状態であることを備える、監視することを行うようにさらに構成された、端末デバイス。
【請求項７８】
前記端末デバイスは、受信ユニットをさらに備え、
前記処理ユニットは、前記受信ユニットがＰＤＣＣＨを受信した場合、前記第１のタイマーを開始もしくは再開すること、前記受信ユニットが、データ送信を示すために使用されるＰＤＣＣＨを受信した場合、前記第１のタイマーを開始もしくは再開すること、前記受信ユニットが、新しい送信を示すために使用されるＰＤＣＣＨを受信した場合、前記第１のタイマーを開始もしくは再開すること、または第２のタイマーが開始もしくは再開された場合、前記端末デバイスによって、前記第１のタイマーを開始もしくは再開することであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、開始もしくは再開することを行うようにさらに構成された
請求項７７に記載の端末デバイス。
【請求項７９】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項７７または７８に記載の端末デバイス。
【請求項８０】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項７７乃至７９のいずれか一項に記載の端末デバイス。
【請求項８１】
前記受信ユニットは、ネットワークデバイスによって送られた第１の情報を受信するようにさらに構成され、前記第１の情報は、前記第１の探索空間構成を備えるかまたは示し、前記処理ユニットは、前記受信ユニットによって受信された前記第１の情報に基づいて前記第１の探索空間構成を取得するようにさらに構成され、前記受信ユニットは、前記ネットワークデバイスによって送られた第２の情報を受信するようにさらに構成され、前記第２の情報は、前記第２の探索空間構成を備えるかまたは示し、前記処理ユニットは、前記受信ユニットによって受信された前記第２の情報に基づいて前記第２の探索空間構成を取得するようにさらに構成された請求項７７乃至８０のいずれか一項に記載の端末デバイス。
【請求項８２】
前記端末デバイスは、前記ネットワークデバイスによって送られた前記第１の情報を受信して前記第１の探索空間構成を取得し、前記ネットワークデバイスによって送られた前記第２の情報を受信して前記第２の探索空間構成を取得する請求項７７乃至８１のいずれか一項に記載の端末デバイス。
【請求項８３】
前記第１の探索空間セットは、前記第２の探索空間セットのサブセットである請求項７７乃至８２のいずれか一項に記載の端末デバイス。
【請求項８４】
前記第１の条件が満たされた場合、前記ＰＤＣＣＨによって示される物理ダウンリンク共有チャネルＰＤＳＣＨを受信するために前記端末デバイスによって使用されるべき多入力多出力ＭＩＭＯレイヤ量は、第１のＭＩＭＯレイヤ量であるか、または前記第２の条件が満たされた場合、前記ＰＤＣＣＨによって示されるＰＤＳＣＨを受信するために前記端末デバイスによって使用されるべきＭＩＭＯレイヤ量は、第２のＭＩＭＯレイヤ量であり、前記第１のＭＩＭＯレイヤ量は、前記第２のＭＩＭＯレイヤ量とは異なる請求項７７乃至８３のいずれか一項に記載の端末デバイス。
【請求項８５】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項７７乃至８４のいずれか一項に記載の端末デバイス。
【請求項８６】
前記処理ユニットは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２の探索空間構成に基づいて前記ＰＤＣＣＨを監視するようにさらに構成された請求項７７乃至８５のいずれか一項に記載の端末デバイス。
【請求項８７】
端末デバイスであって、第１の探索空間構成および第２の探索空間構成を取得するように構成された処理ユニットを備え、前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なり、前記処理ユニットは、第１の条件が満たされた場合、前記第１の探索空間構成に基づいて物理ダウンリンク制御チャネルＰＤＣＣＨを監視するか、または第２の条件が満たされた場合、前記第２の探索空間構成に基づいてＰＤＣＣＨを監視するようにさらに構成され、前記第１の条件は、前記端末デバイスが第１の瞬間と第２の瞬間との間にあることを備え、前記第２の条件は、前記端末デバイスが前記第２の瞬間の後にあることを備える、端末デバイス。
【請求項８８】
前記処理ユニットは、前記受信ユニットがＰＤＣＣＨを受信した場合、第１のタイマーを開始もしくは再開すること、前記受信ユニットが、データ送信を示すために使用されるＰＤＣＣＨを受信した場合、第１のタイマーを開始もしくは再開すること、前記受信ユニットが、新しい送信を示すために使用されるＰＤＣＣＨを受信した場合、第１のタイマーを開始もしくは再開すること、または第２のタイマーが開始もしくは再開された場合、第１のタイマーを開始もしくは再開することであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、開始もしくは再開することを行うようにさらに構成された請求項８７に記載の端末デバイス。
【請求項８９】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項８７または８８に記載の端末デバイス。
【請求項９０】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項８７乃至８９のいずれか一項に記載の端末デバイス。
【請求項９１】
前記受信ユニットは、ネットワークデバイスによって送られた第１の情報を受信するように特に構成され、前記第１の情報は、前記第１の探索空間構成を備えるかまたは示し、前記処理ユニットは、前記受信ユニットによって受信された前記第１の情報に基づいて前記第１の探索空間構成を取得するように特に構成され、前記受信ユニットは、前記ネットワークデバイスによって送られた第２の情報を受信するように特に構成され、前記第２の情報は、前記第２の探索空間構成を備えるかまたは示し、前記処理ユニットは、前記受信ユニットによって受信された前記第２の情報に基づいて前記第２の探索空間構成を取得するように特に構成された請求項８７乃至９０のいずれか一項に記載の端末デバイス。
【請求項９２】
前記第１の探索空間セットは、前記第２の探索空間セットのサブセットである請求項８７乃至９１のいずれか一項に記載の端末デバイス。
【請求項９３】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項８７乃至９２のいずれか一項に記載の端末デバイス。
【請求項９４】
前記方法は、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記端末デバイスによって、前記第２の探索空間構成に基づいて前記ＰＤＣＣＨを監視するステップをさらに備える請求項８７乃至９３のいずれか一項に記載の端末デバイス。
【請求項９５】
前記第１の条件が満たされた場合、前記ＰＤＣＣＨによって示される物理ダウンリンク共有チャネルＰＤＳＣＨを受信するために前記端末デバイスによって使用されるべき多入力多出力ＭＩＭＯレイヤ量は、第１のＭＩＭＯレイヤ量であるか、または前記第２の条件が満たされた場合、前記ＰＤＣＣＨによって示されるＰＤＳＣＨを受信するために前記端末デバイスによって使用されるべきＭＩＭＯレイヤ量は、第２のＭＩＭＯレイヤ量であり、前記第１のＭＩＭＯレイヤ量は、前記第２のＭＩＭＯレイヤ量とは異なる請求項８７乃至９４のいずれか一項に記載の端末デバイス。
【請求項９６】
端末デバイスであって、第１の探索空間構成および第２の探索空間構成を取得するように構成された処理ユニットを備え、前記第１の探索空間構成は第１の探索空間セットを備え、前記第２の探索空間構成は第２の探索空間セットを備え、前記第１の探索空間セットは前記第２の探索空間セットとは異なるか、または前記第１の探索空間構成は第１の探索空間パラメータを備え、前記第２の探索空間構成は第２の探索空間パラメータを備え、前記第１の探索空間パラメータは前記第２の探索空間パラメータとは異なり、前記処理ユニットは、前記第１の探索空間構成に基づいて第１のＰＤＣＣＨを監視するようにさらに構成され、前記第１のＰＤＣＣＨは、インジケーション情報を搬送するために使用され、前記インジケーション情報は、前記端末デバイスが前記インジケーション情報を受信した後に存在する第１の時間期間内に第２のＰＤＣＣＨを監視しないように前記端末デバイスに示すために使用されるか、または前記インジケーション情報は、前記端末デバイスが前記インジケーション情報を受信した後に存在する第２の時間期間内に前記第２のＰＤＣＣＨを監視するように前記端末デバイスに示すために使用され、前記第２のＰＤＣＣＨは前記インジケーション情報を搬送せず、
前記処理ユニットは、前記第１の時間期間以外の時間期間内に、または前記第２の時間期間内に前記第２の探索空間構成に基づいて前記第２のＰＤＣＣＨを監視するようにさらに構成された、端末デバイス。
【請求項９７】
前記インジケーション情報は、前記第２の探索空間構成をさらに備えるかまたは示す請求項９６に記載の端末デバイス。
【請求項９８】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項９６または９７に記載の端末デバイス。
【請求項９９】
前記端末デバイスは、受信ユニットをさらに備え、前記受信ユニットは、ネットワークデバイスによって送られた第１の情報を受信するように特に構成され、前記第１の情報は、前記第１の探索空間構成を備えるかまたは示し、前記処理ユニットは、前記受信ユニットによって受信された前記第１の情報に基づいて前記第１の探索空間構成を取得するように特に構成され、前記受信ユニットは、前記ネットワークデバイスによって送られた第２の情報を受信するように特に構成され、前記第２の情報は、前記第２の探索空間構成を備えるかまたは示し、前記処理ユニットは、前記受信ユニットによって受信された前記第２の情報に基づいて前記第２の探索空間構成を取得するように特に構成された請求項９６乃至９８のいずれか一項に記載の端末デバイス。
【請求項１００】
前記第１の探索空間セットは、前記第２の探索空間セットのサブセットである請求項９６乃至９９のいずれか一項に記載の端末デバイス。
【請求項１０１】
前記インジケーション情報は、前記第２のＰＤＣＣＨによって示されるＰＤＳＣＨのために使用されるべきＭＩＭＯレイヤ量をさらに備えるかまたは示す請求項９６乃至１００のいずれか一項に記載の端末デバイス。
【請求項１０２】
受信ユニットを備える端末デバイスであって、前記受信ユニットは、第１の条件が満たされたときに第１の物理ダウンリンク制御チャネルＰＤＣＣＨが受信された場合、第１の多入力多出力ＭＩＭＯレイヤ量に基づいて、前記第１のＰＤＣＣＨによって示される物理ダウンリンク共有チャネルＰＤＳＣＨを受信するか、または第２の条件が満たされたときに第２のＰＤＣＣＨが受信された場合、第２のＭＩＭＯレイヤ量に基づいて、前記第２のＰＤＣＣＨによって示されるＰＤＳＣＨを受信するように構成され、前記第１のＭＩＭＯレイヤ量は、前記第２のＭＩＭＯレイヤ量とは異なり、前記第１の条件は、第１のタイマーが実行状態でないことを備え、前記第２の条件は、前記第１のタイマーが実行状態であることを備える、端末デバイス。
【請求項１０３】
前記処理ユニットは、前記受信ユニットがＰＤＣＣＨを受信した場合、前記第１のタイマーを開始もしくは再開すること、前記受信ユニットが、データ送信を示すために使用されるＰＤＣＣＨを受信した場合、前記第１のタイマーを開始もしくは再開すること、前記受信ユニットが、新しい送信を示すために使用されるＰＤＣＣＨを受信した場合、前記第１のタイマーを開始もしくは再開すること、または第２のタイマーが開始もしくは再開された場合、前記第１のタイマーを開始もしくは再開することであって、前記第２のタイマーは、前記端末デバイスが、新しい送信を示すために使用されるＰＤＣＣＨを受信した後に、前記端末デバイスによってＰＤＣＣＨを監視する時間長を決定するために使用される、開始もしくは再開することを行うようにさらに構成された請求項１０２に記載の端末デバイス。
【請求項１０４】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項１０２または１０３に記載の端末デバイス。
【請求項１０５】
前記第１の条件は、前記端末デバイスが第１の瞬間と第２の瞬間との間にあることであり、前記第２の条件は、前記端末デバイスが前記第２の瞬間の後にあることである請求項１０２乃至１０４のいずれか一項に記載の端末デバイス。
【請求項１０６】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１０２乃至１０５のいずれか一項に記載の端末デバイス。
【請求項１０７】
前記端末デバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて、前記第２のＰＤＣＣＨによって示される前記ＰＤＳＣＨを受信する請求項１０２乃至１０６のいずれか一項に記載の端末デバイス。
【請求項１０８】
受信ユニットを備える端末デバイスであって、前記受信ユニットは、第１の条件が満たされたときに第１の物理ダウンリンク制御チャネルＰＤＣＣＨが受信された場合、第１の多入力多出力ＭＩＭＯレイヤ量に基づいて、前記第１のＰＤＣＣＨによって示される物理ダウンリンク共有チャネルＰＤＳＣＨを受信するか、または第２の条件が満たされたときに第２のＰＤＣＣＨが受信された場合、第２のＭＩＭＯレイヤ量に基づいて、前記第２のＰＤＣＣＨによって示されるＰＤＳＣＨを受信するように構成され、前記第１のＭＩＭＯレイヤ量は、前記第２のＭＩＭＯレイヤ量とは異なり、前記第１の条件は、前記端末デバイスが第１の瞬間と第２の瞬間との間にあることであり、前記第２の条件は、前記端末デバイスが前記第２の瞬間の後にあることであり、前記第１の瞬間は、間欠受信ＤＲＸオン持続時間（ＤＲＸ  Ｏｎ  Ｄｕｒａｔｉｏｎ）の開始瞬間であり、前記第２の瞬間は、前記端末デバイスが前記第１の瞬間の後に第ＮのＰＤＣＣＨを受信する瞬間である第３の瞬間であるか、または前記第２の瞬間は、第１の持続時間だけ第３の瞬間よりも後の瞬間であり、前記第３の瞬間は、前記端末デバイスが前記第１の瞬間の後に前記第ＮのＰＤＣＣＨを受信する瞬間であり、Ｎは１以上の整数であり、前記第１の持続時間の長さは０よりも大きい、端末デバイス。
【請求項１０９】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１０８に記載の端末デバイス。
【請求項１１０】
前記端末デバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて、前記第２のＰＤＣＣＨによって示される前記ＰＤＳＣＨを受信する請求項１０８または１０９に記載の端末デバイス。
【請求項１１１】
端末デバイスであって、インジケーション情報を受信するように構成された受信ユニットであって、前記インジケーション情報は、前記端末デバイスが前記インジケーション情報を受信した後に存在する第１の時間期間内にＰＤＣＣＨを監視しないように前記端末デバイスに示すために使用されるか、または前記インジケーション情報は、前記端末デバイスが前記インジケーション情報を受信した後に存在する第２の時間期間内にＰＤＣＣＨを監視するように前記端末デバイスに示すために使用される、受信ユニットと、前記第１の時間期間以外の時間期間内に、または前記第２の時間期間内に前記ＰＤＣＣＨを監視するように構成された処理ユニットとを備え、前記受信ユニットは、前記インジケーション情報によって示されるＭＩＭＯレイヤ量に基づいてＰＤＳＣＨを受信するようにさらに構成され、前記ＰＤＳＣＨは、前記端末デバイスによって監視される前記ＰＤＣＣＨによって示されるＰＤＳＣＨである、端末デバイス。
【請求項１１２】
送りユニットを備えるネットワークデバイスであって、前記送りユニットは、第１の条件が満たされた場合、第１の探索空間構成に基づいて端末デバイスにＰＤＣＣＨを送るか、または第２の条件が満たされた場合、前記ネットワークデバイスによって、第２の探索空間構成に基づいて端末デバイスにＰＤＣＣＨを送るように構成され、前記第１の条件は、前記端末デバイスの第１のタイマーが実行状態でないことを備え、前記第２の条件は、前記第１のタイマーが実行状態であることを備え、前記第１の探索空間構成は第１の探索空間セットを備え、前記第２の探索空間構成は第２の探索空間セットを備え、前記第１の探索空間セットは前記第２の探索空間とは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なる、ネットワークデバイス。
【請求項１１３】
前記端末デバイスがＰＤＣＣＨを受信した場合、前記第１のタイマーは開始もしくは再開されるか、前記端末デバイスが、データ送信を示すために使用されるＰＤＣＣＨを受信した場合、前記第１のタイマーは開始もしくは再開されるか、前記端末デバイスが、新しい送信を示すために使用されるＰＤＣＣＨを受信した場合、前記第１のタイマーは開始もしくは再開されるか、または第２のタイマーが開始もしくは再開された場合、前記第１のタイマーは開始もしくは再開され、前記第２のタイマーは、前記端末デバイスが、新しい送信を示すために使用されるＰＤＣＣＨを受信した後に、前記端末デバイスによってＰＤＣＣＨを監視する時間長を決定するために使用される請求項１１２に記載のネットワークデバイス。
【請求項１１４】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項１１２または１１３に記載のネットワークデバイス。
【請求項１１５】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項１１２乃至１１４のいずれか一項に記載のネットワークデバイス。
【請求項１１６】
前記送りユニットは、前記端末デバイスに第１の情報を送るようにさらに構成され、前記第１の情報は、前記第１の探索空間構成を備えるかまたは示し、前記送りユニットは、前記端末デバイスに第２の情報を送るようにさらに構成され、前記第２の情報は、前記第２の探索空間構成を備えるかまたは示す請求項１１２乃至１１５のいずれか一項に記載のネットワークデバイス。
【請求項１１７】
前記第１の探索空間セットは、前記第２の探索空間セットのサブセットである請求項１１２乃至１１５のいずれか一項に記載のネットワークデバイス。
【請求項１１８】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１１２乃至１１７のいずれか一項に記載のネットワークデバイス。
【請求項１１９】
前記送りユニットは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記ネットワークデバイスによって、前記第２の探索空間に基づいて前記ＰＤＣＣＨを送るようにさらに構成された請求項１１２乃至１１８のいずれか一項に記載のネットワークデバイス。
【請求項１２０】
送りユニットを備えるネットワークデバイスであって、前記送りユニットは、第１の条件が満たされたとき、第１の探索空間構成に基づいて端末デバイスにＰＤＣＣＨを送るか、または第２の条件が満たされた場合、第２の探索空間構成に基づいて端末デバイスにＰＤＣＣＨを送るように構成され、前記第１の探索空間構成は第１の探索空間セットを備え、前記第２の探索空間構成は第２の探索空間セットを備え、前記第１の探索空間セットは前記第２の探索空間とは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なり、前記第１の条件は、前記端末デバイスが第１の瞬間と第２の瞬間との間にあることを備え、前記第２の条件は、前記端末デバイスが前記第２の瞬間の後にあることを備える、ネットワークデバイス。
【請求項１２１】
前記端末デバイスがＰＤＣＣＨを受信した場合、第１のタイマーは開始もしくは再開されるか、前記端末デバイスが、データ送信を示すために使用されるＰＤＣＣＨを受信した場合、第１のタイマーは開始もしくは再開されるか、前記端末デバイスが、新しい送信を示すために使用されるＰＤＣＣＨを受信した場合、第１のタイマーは開始もしくは再開されるか、または第２のタイマーが開始もしくは再開された場合、前記端末デバイスは第１のタイマーを開始もしくは再開し、前記第２のタイマーは、前記端末デバイスが、新しい送信を示すために使用されるＰＤＣＣＨを受信した後に、前記端末デバイスによってＰＤＣＣＨを監視する時間長を決定するために使用される請求項１２０に記載のネットワークデバイス。
【請求項１２２】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項１２０または１２１に記載のネットワークデバイス。
【請求項１２３】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項１２０乃至１２２のいずれか一項に記載のネットワークデバイス。
【請求項１２４】
前記送りユニットは、前記端末デバイスに第１の情報を送るようにさらに構成され、前記第１の情報は、前記第１の探索空間構成を備えるかまたは示し、
前記送りユニットは、前記端末デバイスに第２の情報を送るようにさらに構成され、前記第２の情報は、前記第２の探索空間構成を備えるかまたは示す請求項１２０乃至１２３のいずれか一項に記載のネットワークデバイス。
【請求項１２５】
前記第１の探索空間セットは、前記第２の探索空間セットのサブセットである請求項１２０乃至１２４のいずれか一項に記載のネットワークデバイス。
【請求項１２６】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１２０乃至１２５のいずれか一項に記載のネットワークデバイス。
【請求項１２７】
前記ネットワークデバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２の探索空間構成に基づいて前記端末デバイスに前記ＰＤＣＣＨを送る請求項１２０乃至１２６のいずれか一項に記載のネットワークデバイス。
【請求項１２８】
前記送りユニットは、前記第１の条件が満たされた場合、第１のＭＩＭＯレイヤ量に基づいて、前記ＰＤＣＣＨによって示されるＰＤＳＣＨを送るか、または前記第２の条件が満たされた場合、第２のＭＩＭＯレイヤ量に基づいて、前記ＰＤＣＣＨによって示されるＰＤＳＣＨを送るようにさらに構成され、前記第１のＭＩＭＯレイヤ量は、前記第２のＭＩＭＯレイヤ量とは異なる請求項１２０乃至１２７のいずれか一項に記載のネットワークデバイス。
【請求項１２９】
ネットワークデバイスであって、
第１の探索空間構成に基づいて端末デバイスに第１のＰＤＣＣＨを送るように構成された送りユニットを備え、前記第１のＰＤＣＣＨは、インジケーション情報を搬送するために使用され、前記インジケーション情報は、前記端末デバイスが前記インジケーション情報を受信した後に存在する第１の持続時間内に第２のＰＤＣＣＨを監視することを停止するように前記端末デバイスに示すために使用されるか、または前記インジケーション情報は、前記端末デバイスが前記インジケーション情報を受信した後に存在する第２の持続時間内に前記第２のＰＤＣＣＨを監視するように前記端末デバイスに示すために使用され、前記第２のＰＤＣＣＨは前記インジケーション情報を搬送せず、前記送りユニットは、前記第１の持続時間以外の持続時間内に、または前記第２の持続時間内に第２の探索空間構成に基づいて前記端末デバイスに前記第２のＰＤＣＣＨを送るようにさらに構成され、前記第１の探索空間構成は第１の探索空間セットであり、前記第２の探索空間構成は第２の探索空間セットであり、前記第１の探索空間セットは前記第２の探索空間セットとは異なるか、または前記第１の探索空間構成は第１の探索空間パラメータであり、前記第２の探索空間構成は第２の探索空間パラメータであり、前記第１の探索空間パラメータは前記第２の探索空間パラメータとは異なる、ネットワークデバイス。
【請求項１３０】
前記インジケーション情報は、前記第２の探索空間構成をさらに備えるかまたは示す請求項１２９に記載のネットワークデバイス。
【請求項１３１】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項１２９または１３０に記載のネットワークデバイス。
【請求項１３２】
前記送りユニットは、前記端末デバイスに第１の情報を送るようにさらに構成され、前記第１の情報は、前記第１の探索空間構成を備えるかまたは示し、前記送りユニットは、前記端末デバイスに第２の情報を送るようにさらに構成され、前記第２の情報は、前記第２の探索空間構成を備えるかまたは示す請求項１２９乃至１３１のいずれか一項に記載のネットワークデバイス。
【請求項１３３】
前記第１の探索空間セットは、前記第２の探索空間セットのサブセットである請求項１２９乃至１３２のいずれか一項に記載のネットワークデバイス。
【請求項１３４】
前記インジケーション情報は、前記第２のＰＤＣＣＨによって示されるＰＤＳＣＨのために使用されるべきＭＩＭＯレイヤ量をさらに備えるかまたは示す請求項１２９乃至１３３のいずれか一項に記載のネットワークデバイス。
【請求項１３５】
送りユニットを備えるネットワークデバイスであって、前記送りユニットは、第１の条件が満たされたとき、端末デバイスに第１のＰＤＣＣＨを送り、前記ネットワークデバイスによって、第１のＭＩＭＯレイヤ量に基づいて前記端末デバイスに第１の物理ダウンリンク共有チャネルＰＤＳＣＨを送ることであって、前記第１のＰＤＣＣＨは、前記第１のＰＤＳＣＨを示すために使用される、送ること、または第２の条件が満たされたとき、端末デバイスに第２のＰＤＣＣＨを送り、前記ネットワークデバイスによって、第２のＭＩＭＯレイヤ量に基づいて前記端末デバイスに第２のＰＤＳＣＨを送ることであって、前記第２のＰＤＣＣＨは、前記第２のＰＤＳＣＨを示すために使用され、前記第１のＭＩＭＯレイヤ量は、前記第２のＭＩＭＯレイヤ量とは異なる、送ることを行うように構成され、
前記第１の条件は、第１のタイマーが実行状態でないことを備え、前記第２の条件は、前記第１のタイマーが実行状態であることを備える、ネットワークデバイス。
【請求項１３６】
前記第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、前記第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える請求項１３５に記載のネットワークデバイス。
【請求項１３７】
前記端末デバイスがＰＤＣＣＨを受信した場合、前記第１のタイマーは開始もしくは再開されるか、前記端末デバイスが、データ送信を示すために使用されるＰＤＣＣＨを受信した場合、前記第１のタイマーは開始もしくは再開されるか、前記端末デバイスが、新しい送信を示すために使用されるＰＤＣＣＨを受信した場合、前記第１のタイマーは開始もしくは再開されるか、または第２のタイマーが開始もしくは再開された場合、前記第１のタイマーは開始もしくは再開され、前記第２のタイマーは、前記端末デバイスが、新しい送信を示すために使用されるＰＤＣＣＨを受信した後に、前記端末デバイスによってＰＤＣＣＨを監視する時間長を決定するために使用される請求項１３５または１３６に記載のネットワークデバイス。
【請求項１３８】
前記第１の条件は、第３のタイマーが実行状態であることをさらに備え、前記第３のタイマーは、１つの間欠受信ＤＲＸサイクル中に前記端末デバイスによってＰＤＣＣＨを監視する時間長を決定するために使用される請求項１３５乃至１３７のいずれか一項に記載のネットワークデバイス。
【請求項１３９】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１３５乃至１３８のいずれか一項に記載のネットワークデバイス。
【請求項１４０】
前記ネットワークデバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて前記端末デバイスに前記第２のＰＤＳＣＨを送る請求項１３５乃至１３９のいずれか一項に記載のネットワークデバイス。
【請求項１４１】
送りユニットを備えるネットワークデバイスであって、前記送りユニットは、第１の条件が満たされたとき、端末デバイスに第１の物理ダウンリンク制御チャネルＰＤＣＣＨを送り、第１の多入力多出力ＭＩＭＯレイヤ量に基づいて前記端末デバイスに第１の物理ダウンリンク共有チャネルＰＤＳＣＨを送ることであって、前記第１のＰＤＣＣＨは、前記第１のＰＤＳＣＨを示すために使用される、送ること、または第２の条件が満たされたとき、端末デバイスに第２のＰＤＣＣＨを送り、第２のＭＩＭＯレイヤ量に基づいて前記端末デバイスに第２のＰＤＳＣＨを送ることであって、前記第２のＰＤＣＣＨは、前記第２のＰＤＳＣＨを示すために使用され、前記第１のＭＩＭＯレイヤ量は、前記第２のＭＩＭＯレイヤ量とは異なる、送ることを行うように構成され、前記第１の条件は、前記端末デバイスが第１の瞬間と第２の瞬間との間にあることであり、前記第２の条件は、前記端末デバイスが前記第２の瞬間の後にあることである、ネットワークデバイス。
【請求項１４２】
前記第１の条件は、ダウンリンク再送信タイマーが実行状態でない、アップリンク再送信タイマーが実行状態でない、競合解消タイマーが実行状態でない、前記端末デバイスによって送られたスケジューリング要求が保留状態でない、および前記端末デバイスが、前記端末デバイスがランダムアクセス応答ＲＡＲを正常に受信した後に、新しい送信を示すために使用されるＰＤＣＣＨを受信しない状態ではない、の場合のうちの１つまたは複数をさらに備え、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない請求項１４１に記載のネットワークデバイス。
【請求項１４３】
前記ネットワークデバイスは、前記ダウンリンク再送信タイマーが実行状態である、前記アップリンク再送信タイマーが実行状態である、前記競合解消タイマーが実行状態である、前記端末デバイスによって送られた前記スケジューリング要求が保留状態である、および前記端末デバイスが、前記ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、前記セル無線ネットワーク一時識別子Ｃ−ＲＮＴＩを使用することによってスクランブルされ、前記ＲＡＲは、前記ターゲットランダムアクセスプリアンブルに対する前記応答であり、前記ターゲットランダムアクセスプリアンブルは、前記競合ベースランダムアクセスプリアンブルでない、の場合のうちの１つが生じたとき、前記第２のＭＩＭＯレイヤ量に基づいて前記端末デバイスに前記第２のＰＤＳＣＨを送る請求項１４１または１４２に記載のネットワークデバイス。
【請求項１４４】
送りユニットを備えるネットワークデバイスであって、前記送りユニットは、インジケーション情報を送るように構成され、前記インジケーション情報は、前記端末デバイスが前記インジケーション情報を受信した後に存在する第１の持続時間内にＰＤＣＣＨを監視することを停止するように端末デバイスに示すために使用されるか、または前記インジケーション情報は、前記端末デバイスが前記インジケーション情報を受信した後に存在する第２の持続時間内にＰＤＣＣＨを監視するように端末デバイスに示すために使用され、前記送りユニットは、前記第１の持続時間以外の持続時間内に、または前記第２の持続時間内に前記端末に前記ＰＤＣＣＨを送り、前記インジケーション情報によって示されるＭＩＭＯレイヤ量に基づいて前記端末に物理ダウンリンク共有チャネルＰＤＳＣＨを送るようにさらに構成され、前記ＰＤＣＣＨは、前記ＰＤＳＣＨを示すために使用される、ネットワークデバイス。
【請求項１４５】
１つまたは複数のプロセッサおよび１つまたは複数のメモリを備える、ネットワークデバイスであって、
前記１つまたは複数のメモリは、前記１つまたは複数のプロセッサに結合され、前記１つまたは複数のメモリは、コンピュータプログラムコードを記憶するように構成され、前記コンピュータプログラムコードはコンピュータ命令を備え、前記１つまたは複数のプロセッサが前記コンピュータ命令を実行したとき、前記ネットワークデバイスは、請求項５３乃至７６のいずれか一項に記載の方法を実施することを可能にされる、ネットワークデバイス。
【請求項１４６】
コンピュータ可読記憶媒体であって、前記コンピュータ可読記憶媒体は命令を記憶し、前記コンピュータ可読記憶媒体が端末デバイス上で実行されたとき、前記端末デバイスは、請求項２０乃至５２のいずれか一項に記載の方法を実施することを可能にされる、コンピュータ可読記憶媒体。
【請求項１４７】
ワイヤレス通信装置であって、前記ワイヤレス通信装置は命令を記憶し、前記ワイヤレス通信装置が端末デバイス上で実行されたとき、前記端末デバイスは、請求項２０乃至５２のいずれか一項に記載の方法を実施することを可能される、ワイヤレス通信装置。
【請求項１４８】
前記ワイヤレス通信装置はチップである請求項１４７に記載のワイヤレス通信装置。
【請求項１４９】
ワイヤレス通信装置であって、前記ワイヤレス通信装置は命令を記憶し、前記ワイヤレス通信装置がネットワークデバイス上で実行されたとき、前記ネットワークデバイスは、請求項５３乃至７６のいずれか一項に記載の方法を実施することを可能される、ワイヤレス通信装置。
【請求項１５０】
前記ワイヤレス通信装置はチップである請求項１４９に記載のワイヤレス通信装置。
【発明の詳細な説明】
【技術分野】
【０００１】
本出願の実施形態は、通信分野に関し、詳細には、端末デバイスとネットワークデバイスとの間の通信の処理においてＰＤＣＣＨを監視するための方法およびデバイスに関する。
【背景技術】
【０００２】
ユーザ機器（ｕｓｅｒ  ｅｑｕｉｐｍｅｎｔ、ＵＥ）が、ＵＥの電力消費量を低減するために、無線リソース制御（ｒａｄｉｏ  ｒｅｓｏｕｒｃｅ  ｃｏｎｔｒｏｌ、ＲＲＣ）接続モードであるとき、ＵＥのために間欠受信（ｄｉｓｃｏｎｔｉｎｕｏｕｓ  ｒｅｃｅｐｔｉｏｎ、ＤＲＸ）機能が構成され得る。ＤＲＸが構成された後に、ＵＥは、ＵＥの電力消費量を低減するために、いくつかの時間期間内にのみ物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）を監視し、他の時間期間内にＰＤＣＣＨを監視しないことがある。
【０００３】
特に、ＵＥは、構成された帯域幅パート（Ｂａｎｄｗｉｄｔｈ  ｐａｒｔ、ＢＷＰ）中で基地局と通信し、ダウンリンクＢＷＰの構成パラメータは、ＵＥのために構成された探索空間を含む。ＵＥは、ＵＥのために構成された探索空間のすべての部分においてＤＲＸサイクル中の時間期間内にＰＤＣＣＨを監視する。たとえば、ＵＥが、現在構成されているＢＷＰ中で通信を実施するとき、ＵＥのために探索空間の最大１０個の部分が構成される。ＵＥは、ＤＲＸサイクル中に時間期間内に探索空間の１０個の部分においてＰＤＣＣＨを監視する必要がある。この場合、電力消費量が無視できない。
【発明の概要】
【０００４】
本出願の実施形態は、ネットワークデバイスと通信する処理において端末デバイスによって実施されるＰＤＣＣＨ監視によって引き起こされる電力消費量を低減するための、監視方法およびデバイスを提供する。
【０００５】
上記の目的を達成するために、本出願の実施形態では以下の技術的解決策が使用される。
【０００６】
第１の態様によれば、監視方法が開示され、本方法は、端末デバイスによって、第１の探索空間構成および第２の探索空間構成を最初に取得するステップであって、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なる、ステップと、第１の条件が満たされた場合、端末デバイスによって、第１の探索空間構成に基づいてＰＤＣＣＨを監視するステップであって、第１の条件は、第１のタイマーが実行状態ではないことを含む、ステップ、または第２の条件が満たされた場合、端末デバイスによって、第２の探索空間構成に基づいてＰＤＣＣＨを監視するステップであって、第２の条件は、第１のタイマーが実行状態であることを含む、ステップとを含む。
【０００７】
本発明のこの実施形態において提供される監視方法によれば、第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【０００８】
第１の態様に関して、第１の態様の第１の可能な実装では、本方法は、端末デバイスがＰＤＣＣＨを受信した場合、第１のタイマーを開始もしくは再開するステップ、端末デバイスが、データ送信を示すために使用されるＰＤＣＣＨを受信した場合、第１のタイマーを開始もしくは再開するステップ、端末デバイスが、新しい送信を示すために使用されるＰＤＣＣＨを受信した場合、第１のタイマーを開始もしくは再開するステップ、または第２のタイマーが開始もしくは再開された場合、端末デバイスによって、第１のタイマーを開始もしくは再開するステップであって、第２のタイマーは、端末デバイスが、新しい送信を示すために使用されるＰＤＣＣＨを受信した後に、端末デバイスによってＰＤＣＣＨを監視する時間長を決定するために使用される、ステップをさらに含む。
【０００９】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【００１０】
第１の態様または第１の態様の第１の可能な実装に関して、第１の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【００１１】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【００１２】
第１の態様または第１の態様の第１もしくは第２の可能な実装に関して、第１の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００１３】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【００１４】
第１の態様または第１の態様の第１から第３の可能な実装のいずれか１つに関して、第１の態様の第４の可能な実装では、端末デバイスによって、第１の探索空間構成および第２の探索空間構成を取得するステップは、端末デバイスによって、ネットワークデバイスによって送られた第１の情報を受信するステップであって、第１の情報は、第１の探索空間構成を含むかまたは示す、ステップと、端末デバイスによって、ネットワークデバイスによって送られた第２の情報を受信するステップであって、第２の情報は、第２の探索空間構成を含むかまたは示す、ステップとを含む。
【００１５】
本発明のこの実施形態は、端末デバイスが第１の探索空間構成および第２の探索空間構成を取得する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【００１６】
第１の態様または第１の態様の第１から第４の可能な実装のいずれか１つに関して、第１の態様の第５の可能な実装では、第１の探索空間セットは、第２の探索空間セットのサブセットである。
【００１７】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【００１８】
第１の態様または第１の態様の第１から第４の可能な実装のいずれか１つに関して、第１の態様の第５の可能な実装では、第１の条件が満たされた場合、ＰＤＣＣＨによって示される物理ダウンリンク共有チャネルＰＤＳＣＨを受信するために端末デバイスによって使用されるべき多入力多出力ＭＩＭＯレイヤ量は、第１のＭＩＭＯレイヤ量であるか、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量であり、第１のＭＩＭＯレイヤ量は、第２のＭＩＭＯレイヤ量とは異なる。
【００１９】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【００２０】
第１の態様または第１の態様の第１から第５の可能な実装のいずれか１つに関して、第１の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００２１】
第１の態様または第１の態様の第１から第６の可能な実装のいずれか１つに関して、第１の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、端末デバイスによって、第２の探索空間構成に基づいてＰＤＣＣＨを監視するステップをさらに含む。
【００２２】
第２の態様によれば、監視方法が開示され、本方法は、端末デバイスによって、第１の探索空間構成および第２の探索空間構成を最初に取得するステップであって、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なる、ステップと、第１の条件が満たされた場合、端末デバイスによって、第１の探索空間構成に基づいてＰＤＣＣＨを監視するステップ、または第２の条件が満たされた場合、第２の探索空間構成に基づいてＰＤＣＣＨを監視するステップであって、第１の条件は、端末デバイスが第１の瞬間と第２の瞬間との間にあることを含み、第２の条件は、端末デバイスが第２の瞬間の後にあることを含む、ステップとを含む。第１の瞬間は、間欠受信ＤＲＸオン持続時間（Ｏｎ  Ｄｕｒａｔｉｏｎ）の開始瞬間であり得ることに留意されたい。第２の瞬間は、端末デバイスが第１の瞬間の後に第ＮのＰＤＣＣＨを受信する瞬間である。代替として、第２の瞬間は、第１の持続時間だけ第３の瞬間よりも後の瞬間であり、第３の瞬間は、端末デバイスが第１の瞬間の後に第ＮのＰＤＣＣＨを受信する瞬間であり得る。Ｎは１以上の整数であり、第１の持続時間の長さは０よりも大きい。
【００２３】
本発明のこの実施形態において提供される監視方法によれば、第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【００２４】
第２の態様に関して、第２の態様の第１の可能な実装では、本方法は、端末デバイスがＰＤＣＣＨを受信した場合、第１のタイマーを開始もしくは再開するステップ、端末デバイスが、データ送信を示すために使用されるＰＤＣＣＨを受信した場合、第１のタイマーを開始もしくは再開するステップ、端末デバイスが、新しい送信を示すために使用されるＰＤＣＣＨを受信した場合、第１のタイマーを開始もしくは再開するステップ、または第２のタイマーが開始もしくは再開された場合、端末デバイスによって、第１のタイマーを開始もしくは再開するステップであって、第２のタイマーは、端末デバイスが、新しい送信を示すために使用されるＰＤＣＣＨを受信した後に、端末デバイスによってＰＤＣＣＨを監視する時間長を決定するために使用される、ステップをさらに含む。
【００２５】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【００２６】
第２の態様または第２の態様の第１の可能な実装に関して、第２の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【００２７】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【００２８】
第２の態様または第２の態様の第１もしくは第２の可能な実装に関して、第２の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００２９】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【００３０】
第２の態様または第２の態様の第１から第３の可能な実装のいずれか１つに関して、第２の態様の第４の可能な実装では、端末デバイスによって、第１の探索空間構成および第２の探索空間構成を取得するステップは、端末デバイスによって、ネットワークデバイスによって送られた第１の情報を受信するステップであって、第１の情報は、第１の探索空間構成を含むかまたは示す、ステップと、端末デバイスによって、ネットワークデバイスによって送られた第２の情報を受信するステップであって、第２の情報は、第２の探索空間構成を含むかまたは示す、ステップとを含む。
【００３１】
本発明のこの実施形態は、端末デバイスが第１の探索空間構成および第２の探索空間構成を取得する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【００３２】
第２の態様または第２の態様の第１から第４の可能な実装のいずれか１つに関して、第２の態様の第５の可能な実装では、第１の探索空間セットは、第２の探索空間セットのサブセットである。
【００３３】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【００３４】
第２の態様または第２の態様の第１から第５の可能な実装のいずれか１つに関して、第２の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００３５】
第２の態様または第２の態様の第１から第６の可能な実装のいずれか１つに関して、第２の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、端末デバイスによって、第２の探索空間構成に基づいてＰＤＣＣＨを監視するステップをさらに含む。
【００３６】
第２の態様または第２の態様の第１から第７の可能な実装のいずれか１つに関して、第２の態様の第８の可能な実装では、第１の条件が満たされた場合、ＰＤＣＣＨによって示される物理ダウンリンク共有チャネルＰＤＳＣＨを受信するために端末デバイスによって使用されるべき多入力多出力ＭＩＭＯレイヤ量は、第１のＭＩＭＯレイヤ量であるか、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量であり、第１のＭＩＭＯレイヤ量は、第２のＭＩＭＯレイヤ量とは異なる。
【００３７】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【００３８】
第３の態様によれば、監視方法が提供され、本方法は、端末デバイスによって、第１の探索空間構成および第２の探索空間構成を取得するステップであって、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なる、ステップと、端末デバイスによって、第１の探索空間構成に基づいて第１のＰＤＣＣＨをさらに監視するステップであって、第１のＰＤＣＣＨは、インジケーション情報を搬送するために使用され、インジケーション情報は、端末デバイスがインジケーション情報を受信した後に存在する第１の時間期間内に第２のＰＤＣＣＨを監視しないように端末デバイスに示すために使用されるか、またはインジケーション情報は、端末デバイスがインジケーション情報を受信した後に存在する第２の時間期間内に第２のＰＤＣＣＨを監視するように端末デバイスに示すために使用され、第２のＰＤＣＣＨはインジケーション情報を搬送しない、ステップと、端末デバイスによって、第１の時間期間以外の時間期間内に、または第２の時間期間内に第２の探索空間構成に基づいて第２のＰＤＣＣＨを監視するステップとを含む。
【００３９】
本発明のこの実施形態において提供される方法によれば、端末デバイスは、異なる探索空間構成に基づいて、インジケーション情報を搬送するＰＤＣＣＨと、インジケーション情報を搬送しないＰＤＣＣＨとを監視し得る。第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【００４０】
第３の態様に関して、第３の態様の第１の可能な実装では、インジケーション情報は、第２の探索空間構成をさらに含むかまたは示す。
【００４１】
第３の態様または第３の態様の第１の可能な実装に関して、第３の態様の第２の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００４２】
第３の態様または第３の態様の第１もしくは第２の可能な実装に関して、第３の態様の第３の可能な実装では、端末デバイスによって、第１の探索空間構成および第２の探索空間構成を取得するステップは、端末デバイスによって、ネットワークデバイスによって送られた第１の情報を受信するステップであって、第１の情報は、第１の探索空間構成を含むかまたは示す、ステップと、端末デバイスによって、ネットワークデバイスによって送られた第２の情報を受信するステップであって、第２の情報は、第２の探索空間構成を含むかまたは示す、ステップとを含む。
【００４３】
第３の態様または第３の態様の第１から第３の可能な実装に関して、第３の態様の第４の可能な実装では、第１の探索空間セットは、第２の探索空間セットのサブセットである。
【００４４】
第３の態様または第３の態様の第１から第４の可能な実装に関して、第３の態様の第５の可能な実装では、インジケーション情報は、第２のＰＤＣＣＨによって示されるＰＤＳＣＨのために使用されるべきＭＩＭＯレイヤ量をさらに含むかまたは示す。
【００４５】
第４の態様によれば、通信方法が開示され、本方法は、第１の条件が満たされたときに端末デバイスが第１の物理ダウンリンク制御チャネルＰＤＣＣＨを受信した場合、第１の多入力多出力ＭＩＭＯレイヤ量に基づいて端末デバイスによって、第１のＰＤＣＣＨによって示される物理ダウンリンク共有チャネルＰＤＳＣＨを受信するステップ、または第２の条件が満たされたときに端末デバイスが第２のＰＤＣＣＨを受信した場合、第２のＭＩＭＯレイヤ量に基づいて端末デバイスによって、第２のＰＤＣＣＨによって示されるＰＤＳＣＨを受信するステップを含み、第１のＭＩＭＯレイヤ量は、第２のＭＩＭＯレイヤ量とは異なり、第１の条件は、第１のタイマーが実行状態でないことを含み、第２の条件は、第１のタイマーが実行状態であることを含む。
【００４６】
本発明のこの実施形態において提供される方法では、端末デバイスは、第１の条件が満たされるか第２の条件が満たされるかを最初に決定し、決定結果に基づいて、ＰＤＳＣＨを受信するために使用されるべきＭＩＭＯレイヤ量をさらに決定し得る。比較的大きいＭＩＭＯレイヤ量を盲目的に使用する代わりに、端末デバイスは、ネットワークデバイスによって送られたＰＤＳＣＨを受信するために適切なＭＩＭＯレイヤ量を使用する。このようにして、端末デバイスによってＰＤＳＣＨを受信する電力消費量は低減されることが可能である。
【００４７】
第４の態様に関して、第４の態様の第１の可能な実装では、本方法は、端末デバイスがＰＤＣＣＨを受信した場合、第１のタイマーを開始もしくは再開するステップ、端末デバイスが、データ送信を示すために使用されるＰＤＣＣＨを受信した場合、第１のタイマーを開始もしくは再開するステップ、端末デバイスが、新しい送信を示すために使用されるＰＤＣＣＨを受信した場合、第１のタイマーを開始もしくは再開するステップ、または第２のタイマーが開始もしくは再開された場合、端末デバイスによって、第１のタイマーを開始もしくは再開するステップであって、第２のタイマーは、端末デバイスが、新しい送信を示すために使用されるＰＤＣＣＨを受信した後に、端末デバイスによってＰＤＣＣＨを監視する時間長を決定するために使用される、ステップをさらに含む。
【００４８】
第４の態様または第４の態様の第１の可能な実装に関して、第４の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。
【００４９】
第４の態様または第４の態様の第１もしくは第２の可能な実装のいずれか１つに関して、第４の態様の第３の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００５０】
第４の態様または第４の態様の第１から第３の可能な実装のいずれか１つに関して、第４の態様の第４の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２のＭＩＭＯレイヤ量に基づいて端末デバイスによって、第２のＰＤＣＣＨによって示されるＰＤＳＣＨを受信するステップをさらに含む。
【００５１】
第５の態様によれば、通信方法が開示され、本方法は、第１の条件が満たされたときに端末デバイスが第１の物理ダウンリンク制御チャネルＰＤＣＣＨを受信した場合、第１の多入力多出力ＭＩＭＯレイヤ量に基づいて端末デバイスによって、第１のＰＤＣＣＨによって示される物理ダウンリンク共有チャネルＰＤＳＣＨを受信するステップ、または第２の条件が満たされたときに端末デバイスが第２のＰＤＣＣＨを受信した場合、第２のＭＩＭＯレイヤ量に基づいて端末デバイスによって、第２のＰＤＣＣＨによって示されるＰＤＳＣＨを受信するステップを含み、第１のＭＩＭＯレイヤ量は、第２のＭＩＭＯレイヤ量とは異なり、第１の条件は、端末デバイスが第１の瞬間と第２の瞬間との間にあることであり、第２の条件は、端末デバイスが第２の瞬間の後にあることであり、第１の瞬間は、間欠受信ＤＲＸオン持続時間（ＤＲＸ  Ｏｎ  Ｄｕｒａｔｉｏｎ）の開始瞬間であり得、第２の瞬間は、端末デバイスが第１の瞬間の後に第ＮのＰＤＣＣＨを受信する瞬間であるか、または第２の瞬間は、第１の持続時間だけ第３の瞬間よりも後の瞬間であり、第３の瞬間は、端末デバイスが第１の瞬間の後に第ＮのＰＤＣＣＨを受信する瞬間であり得、Ｎは１以上の整数であり、第１の持続時間の長さは０よりも大きい。
【００５２】
第５の態様に関して、第５の態様の第１の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００５３】
第５の態様または第５の態様の第１の可能な実装に関して、第５の態様の第２の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２のＭＩＭＯレイヤ量に基づいて端末デバイスによって、第２のＰＤＣＣＨによって示されるＰＤＳＣＨを受信するステップをさらに含む。
【００５４】
第６の態様によれば、通信方法が開示され、本方法は、端末デバイスによって、インジケーション情報を最初に受信するステップであって、インジケーション情報は、端末デバイスがインジケーション情報を受信した後に存在する第１の時間期間内にＰＤＣＣＨを監視しないように端末デバイスに示すために使用されるか、またはインジケーション情報は、端末デバイスがインジケーション情報を受信した後に存在する第２の時間期間内にＰＤＣＣＨを監視するように端末デバイスに示すために使用される、ステップと、端末デバイスによって、第１の時間期間以外の時間期間内に、または第２の時間期間内にＰＤＣＣＨを次いで監視するステップとを含む。さらに、インジケーション情報は、ＭＩＭＯレイヤ量を含むかまたは示し、端末デバイスは、インジケーション情報中に含まれるかまたはインジケーション情報によって示されるＭＩＭＯレイヤ量に基づいてＰＤＳＣＨを受信し、ＰＤＳＣＨは、端末デバイスによって監視されるＰＤＣＣＨによって示されるＰＤＳＣＨである。
【００５５】
第７の態様によれば、通信方法が開示され、本方法は、第１の条件が満たされた場合、ネットワークデバイスによって、第１の探索空間構成に基づいて端末デバイスにＰＤＣＣＨを送るステップ、または第２の条件が満たされた場合、ネットワークデバイスによって、第２の探索空間構成に基づいて端末デバイスにＰＤＣＣＨを送るステップを含み、第１の条件は、端末デバイスの第１のタイマーが実行状態でないことを含み、第２の条件は、第１のタイマーが実行状態であることを含み、第１の探索空間構成は第１の探索空間セットを含み、第２の探索空間構成は第２の探索空間セットを含み、第１の探索空間セットは第２の探索空間とは異なるか、または第１の探索空間構成は第１の探索空間パラメータであり、第２の探索空間構成は第２の探索空間パラメータであり、第１の探索空間パラメータは第２の探索空間パラメータとは異なる。
【００５６】
第７の態様に関して、第７の態様の第１の可能な実装では、端末デバイスがＰＤＣＣＨを受信した場合、第１のタイマーは開始もしくは再開されるか、端末デバイスが、データ送信を示すために使用されるＰＤＣＣＨを受信した場合、第１のタイマーは開始もしくは再開されるか、端末デバイスが、新しい送信を示すために使用されるＰＤＣＣＨを受信した場合、第１のタイマーは開始もしくは再開されるか、または第２のタイマーが開始もしくは再開された場合、第１のタイマーは開始もしくは再開され、第２のタイマーは、端末デバイスが、新しい送信を示すために使用されるＰＤＣＣＨを受信した後に、端末デバイスによってＰＤＣＣＨを監視する時間長を決定するために使用される。
【００５７】
第７の態様または第７の態様の第１の可能な実装に関して、第７の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【００５８】
第７の態様または第７の態様の第１もしくは第２の可能な実装に関して、第７の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００５９】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【００６０】
第７の態様または第７の態様の第１から第３の可能な実装のいずれか１つに関して、第７の態様の第４の可能な実装では、本方法は、ネットワークデバイスによって、端末デバイスに第１の情報を送るステップであって、第１の情報は、第１の探索空間構成を含むかまたは示す、ステップと、ネットワークデバイスによって、端末デバイスに第２の情報を送るステップであって、第２の情報は、第２の探索空間構成を含むかまたは示す、ステップとをさらに含む。
【００６１】
本発明のこの実施形態は、ネットワークデバイスが第１の探索空間構成および第２の探索空間構成を端末デバイスに通知する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【００６２】
第７の態様または第７の態様の第１から第４の可能な実装のいずれか１つに関して、第７の態様の第５の可能な実装では、第１の探索空間セットは、第２の探索空間セットのサブセットである。
【００６３】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【００６４】
第７の態様または第７の態様の第１から第５の可能な実装のいずれか１つに関して、第７の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００６５】
第７の態様または第７の態様の第１から第６の可能な実装のいずれか１つに関して、第７の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間に基づいてＰＤＣＣＨを送るステップをさらに含む。
【００６６】
第８の態様によれば、通信方法が開示され、本方法は、第１の条件が満たされた場合、ネットワークデバイスによって、第１の探索空間構成に基づいて端末デバイスにＰＤＣＣＨを送るステップ、または第２の条件が満たされた場合、ネットワークデバイスによって、第２の探索空間構成に基づいて端末デバイスにＰＤＣＣＨを送るステップを含み、第１の探索空間構成は第１の探索空間セットを含み、第２の探索空間構成は第２の探索空間セットを含み、第１の探索空間セットは第２の探索空間とは異なるか、または第１の探索空間構成は第１の探索空間パラメータであり、第２の探索空間構成は第２の探索空間パラメータであり、第１の探索空間パラメータは第２の探索空間パラメータとは異なる。第１の条件は、端末デバイスが第１の瞬間と第２の瞬間との間にあることを含む。第２の条件は、端末デバイスが第２の瞬間の後にあることを含む。第１の瞬間は間欠受信ＤＲＸオン持続時間（Ｏｎ  Ｄｕｒａｔｉｏｎ）の開始瞬間であり得ることに留意されたい。第２の瞬間は第３の瞬間であり、第３の瞬間は、端末デバイスが第１の瞬間の後に第ＮのＰＤＣＣＨを受信する瞬間であり得る。代替として、第２の瞬間は、第１の持続時間だけ第３の瞬間よりも後の瞬間である。Ｎは１以上の整数であり、第１の持続時間の長さは０よりも大きい。
【００６７】
本発明のこの実施形態において提供される監視方法によれば、第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【００６８】
第８の態様に関して、第８の態様の第１の可能な実装では、本方法は、端末デバイスがＰＤＣＣＨを受信した場合、第１のタイマーを開始もしくは再開するステップ、端末デバイスが、データ送信を示すために使用されるＰＤＣＣＨを受信した場合、第１のタイマーを開始もしくは再開するステップ、端末デバイスが、新しい送信を示すために使用されるＰＤＣＣＨを受信した場合、第１のタイマーを開始もしくは再開するステップ、または第２のタイマーが開始もしくは再開された場合、端末デバイスによって、第１のタイマーを開始もしくは再開するステップであって、第２のタイマーは、端末デバイスが、新しい送信を示すために使用されるＰＤＣＣＨを受信した後に、端末デバイスによってＰＤＣＣＨを監視する時間長を決定するために使用される、ステップをさらに含む。
【００６９】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【００７０】
第８の態様または第８の態様の第１の可能な実装に関して、第８の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【００７１】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【００７２】
第８の態様または第８の態様の第１もしくは第２の可能な実装に関して、第８の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００７３】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【００７４】
第８の態様または第８の態様の第１から第３の可能な実装のいずれか１つに関して、第８の態様の第４の可能な実装では、端末デバイスが、第１の探索空間構成および第２の探索空間構成を取得することは、端末デバイスによって、ネットワークデバイスによって送られた第１の情報を受信するステップであって、第１の情報は、第１の探索空間構成を含むかまたは示す、ステップと、端末デバイスによって、ネットワークデバイスによって送られた第２の情報を受信するステップであって、第２の情報は、第２の探索空間構成を含むかまたは示す、ステップとを含む。
【００７５】
本発明のこの実施形態は、端末デバイスが第１の探索空間構成および第２の探索空間構成を取得する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【００７６】
第８の態様または第８の態様の第１から第４の可能な実装のいずれか１つに関して、第８の態様の第５の可能な実装では、第１の探索空間セットは、第２の探索空間セットのサブセットである。
【００７７】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【００７８】
第８の態様または第８の態様の第１から第５の可能な実装のいずれか１つに関して、第５の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００７９】
第８の態様または第８の態様の第１から第６の可能な実装のいずれか１つに関して、第５の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間構成に基づいて端末デバイスにＰＤＣＣＨを送るステップをさらに含む。
【００８０】
第８の態様または第８の態様の第１から第７の可能な実装のいずれか１つに関して、第８の態様の第８の可能な実装では、第１の条件が満たされた場合、ＰＤＣＣＨによって示されるＰＤＳＣＨを送るためにネットワークデバイスによって使用されるべき多入力多出力ＭＩＭＯレイヤ量は、第１のＭＩＭＯレイヤ量であるか、または第２の条件が満たされた場合、ＰＤＣＣＨによって示されるＰＤＳＣＨを送るためにネットワークデバイスによって使用されるべきＭＩＭＯレイヤ量は、第２のＭＩＭＯレイヤ量であり、第１のＭＩＭＯレイヤ量は、第２のＭＩＭＯレイヤ量とは異なる。
【００８１】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【００８２】
第９の態様によれば、通信方法が開示され、本方法は、ネットワークデバイスによって、第１の探索空間構成に基づいて端末デバイスに第１のＰＤＣＣＨを送るステップであって、第１のＰＤＣＣＨは、インジケーション情報を搬送するために使用され、インジケーション情報は、端末デバイスがインジケーション情報を受信した後に存在する第１の持続時間内に第２のＰＤＣＣＨを監視することを停止するように端末デバイスに示すために使用されるか、またはインジケーション情報は、端末デバイスがインジケーション情報を受信した後に存在する第２の持続時間内に第２のＰＤＣＣＨを監視するように端末デバイスに示すために使用され、第２のＰＤＣＣＨはインジケーション情報を搬送しない、ステップと、
ネットワークデバイスによって、第１の持続時間以外の持続時間内に、または第２の持続時間内に第２の探索空間構成に基づいて端末デバイスに第２のＰＤＣＣＨを送るステップとを含む。
【００８３】
第１の探索空間構成は第１の探索空間セットであり、第２の探索空間構成は第２の探索空間セットであり、第１の探索空間セットは第２の探索空間セットとは異なるか、または第１の探索空間構成は第１の探索空間パラメータであり、第２の探索空間構成は第２の探索空間パラメータであり、第１の探索空間パラメータは第２の探索空間パラメータとは異なる。
【００８４】
第９の態様に関して、第９の態様の第１の可能な実装では、インジケーション情報は、第２の探索空間構成をさらに含むかまたは示す。
【００８５】
第９の態様または第９の態様の第１の可能な実装に関して、第９の態様の第２の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【００８６】
第９の態様または第９の態様の第１もしくは第２の可能な実装に関して、第９の態様の第３の可能な実装では、本方法は、端末デバイスに第１の情報を送るステップであって、第１の情報は、第１の探索空間構成を含むかまたは示す、ステップと、端末デバイスに第２の情報を送るステップであって、第２の情報は、第２の探索空間構成を含むかまたは示す、ステップとをさらに含む。
【００８７】
第９の態様または第９の態様の第１から第３の可能な実装に関して、第９の態様の第４の可能な実装では、第１の探索空間セットは、第２の探索空間セットのサブセットである。
【００８８】
第９の態様または第９の態様の第１から第４の可能な実装に関して、第９の態様の第５の可能な実装では、インジケーション情報は、第２のＰＤＣＣＨによって示されるＰＤＳＣＨのために使用されるべきＭＩＭＯレイヤ量をさらに含むかまたは示す。
【００８９】
第１０の態様によれば、通信方法が開示され、本方法は、
第１の条件が満たされたとき、ネットワークデバイスによって、端末デバイスに第１の物理ダウンリンク制御チャネルＰＤＣＣＨを送り、ネットワークデバイスによって、第１の多入力多出力ＭＩＭＯレイヤ量に基づいて端末デバイスに第１の物理ダウンリンク共有チャネルＰＤＳＣＨを送るステップであって、第１のＰＤＣＣＨは、第１のＰＤＳＣＨを示すために使用される、ステップ、または
第２の条件が満たされたとき、ネットワークデバイスによって、端末デバイスに第２のＰＤＣＣＨを送り、ネットワークデバイスによって、第２のＭＩＭＯレイヤ量に基づいて端末デバイスに第２のＰＤＳＣＨを送るステップであって、第２のＰＤＣＣＨは、第２のＰＤＳＣＨを示すために使用され、第１のＭＩＭＯレイヤ量は、第２のＭＩＭＯレイヤ量とは異なる、ステップを含む。
【００９０】
第１の条件は、第１のタイマーが実行状態でないことを含み、第２の条件は、第１のタイマーが実行状態であることを含む。
【００９１】
第１０の態様に関して、第１０の態様の第１の可能な実装では、端末デバイスがＰＤＣＣＨを受信した場合、第１のタイマーは開始もしくは再開されるか、端末デバイスが、データ送信を示すために使用されるＰＤＣＣＨを受信した場合、第１のタイマーは開始もしくは再開されるか、端末デバイスが、新しい送信を示すために使用されるＰＤＣＣＨを受信した場合、第１のタイマーは開始もしくは再開されるか、または第２のタイマーが開始もしくは再開された場合、第１のタイマーは開始もしくは再開され、第２のタイマーは、端末デバイスが、新しい送信を示すために使用されるＰＤＣＣＨを受信した後に、端末デバイスによってＰＤＣＣＨを監視する時間長を決定するために使用される。
【００９２】
第１０の態様または第１０の態様の第１の可能な実装に関して、第１０の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。
【００９３】
第１０の態様または第１０の態様の第１もしくは第２の可能な実装のいずれか１つに関して、第１０の態様の第３の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００９４】
第１０の態様または第１０の態様の第１から第３の可能な実装のいずれか１つに関して、第１０の態様の第４の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２のＭＩＭＯレイヤ量に基づいて端末デバイスに第２のＰＤＳＣＨを送るステップをさらに含む。
【００９５】
第１１の態様によれば、通信方法が開示され、本方法は、第１の条件が満たされたとき、ネットワークデバイスによって、端末デバイスに第１の物理ダウンリンク制御チャネルＰＤＣＣＨを送り、ネットワークデバイスによって、第１の多入力多出力ＭＩＭＯレイヤ量に基づいて端末デバイスに第１の物理ダウンリンク共有チャネルＰＤＳＣＨを送るステップであって、第１のＰＤＣＣＨは、第１のＰＤＳＣＨを示すために使用される、ステップ、または
第２の条件が満たされたとき、ネットワークデバイスによって、端末デバイスに第２のＰＤＣＣＨを送り、ネットワークデバイスによって、第２のＭＩＭＯレイヤ量に基づいて端末デバイスに第２のＰＤＳＣＨを送るステップを含み、第２のＰＤＣＣＨは、第２のＰＤＳＣＨを示すために使用され、第１のＭＩＭＯレイヤ量は、第２のＭＩＭＯレイヤ量とは異なり、第１の条件は、端末デバイスが第１の瞬間と第２の瞬間との間にあることであり、第２の条件は、端末デバイスが第２の瞬間の後にあることであり、第１の瞬間は、間欠受信ＤＲＸオン持続時間（ＤＲＸ  Ｏｎ  Ｄｕｒａｔｉｏｎ）の開始瞬間であり得、第２の瞬間は、端末デバイスが第１の瞬間の後に第ＮのＰＤＣＣＨを受信する瞬間である第３の瞬間であるか、または第２の瞬間は、第１の持続時間だけ第３の瞬間よりも後の瞬間であり得、Ｎは１以上の整数であり、第１の持続時間の長さは０よりも大きい。
【００９６】
第１１の態様に関して、第１１の態様の第１の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【００９７】
第１１の態様または第１１の態様の第１の可能な実装に関して、第１１の態様の第２の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２のＭＩＭＯレイヤ量に基づいて端末デバイスに第２のＰＤＳＣＨを送るステップをさらに含む。
【００９８】
第１２の態様によれば、通信方法が開示され、本方法は、ネットワークデバイスによって、インジケーション情報を送るステップであって、インジケーション情報は、端末デバイスがインジケーション情報を受信した後に存在する第１の持続時間内にＰＤＣＣＨを監視することを停止するように端末デバイスに示すために使用されるか、またはインジケーション情報は、端末デバイスがインジケーション情報を受信した後に存在する第２の持続時間内にＰＤＣＣＨを監視するように端末デバイスに示すために使用される、ステップと、ネットワークデバイスによって、第１の持続時間以外の持続時間内に、または第２の持続時間内に端末にＰＤＣＣＨを送るステップであって、インジケーション情報は、ＭＩＭＯレイヤ量を含むかまたは示す、ステップと、ネットワークデバイスによって、インジケーション情報中に含まれるかまたはインジケーション情報によって示されるＭＩＭＯレイヤ量に基づいて端末に物理ダウンリンク共有チャネルＰＤＳＣＨを送るステップであって、ＰＤＣＣＨは、ＰＤＳＣＨを示すために使用される、ステップとを含む。
【００９９】
第１３の態様によれば、端末デバイスが開示され、本デバイスは、第１の探索空間構成および第２の探索空間構成を取得するように構成された処理ユニットを含み、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なり、処理ユニットは、第１の条件が満たされた場合、第１の探索空間構成に基づいてＰＤＣＣＨを監視することであって、第１の条件は、第１のタイマーが実行状態でないことを含む、監視すること、または第２の条件が満たされた場合、第２の探索空間構成に基づいてＰＤＣＣＨを監視することであって、第２の条件は、第１のタイマーが実行状態であることを含む、監視することを行うようにさらに構成される。
【０１００】
第１３の態様に関して、第１３の態様の第１の可能な実装では、端末デバイスは、受信ユニットをさらに含み、処理ユニットは、受信ユニットがＰＤＣＣＨを受信した場合、第１のタイマーを開始もしくは再開すること、受信ユニットが、データ送信を示すために使用されるＰＤＣＣＨを受信した場合、第１のタイマーを開始もしくは再開すること、受信ユニットが、新しい送信を示すために使用されるＰＤＣＣＨを受信した場合、第１のタイマーを開始もしくは再開すること、または第２のタイマーが開始もしくは再開された場合、端末デバイスによって、第１のタイマーを開始もしくは再開することであって、第２のタイマーは、端末デバイスが、新しい送信を示すために使用されるＰＤＣＣＨを受信した後に、端末デバイスによってＰＤＣＣＨを監視する時間長を決定するために使用される、開始もしくは再開することを行うようにさらに構成される。
【０１０１】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【０１０２】
第１３の態様または第１３の態様の第１の可能な実装に関して、第１３の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【０１０３】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【０１０４】
第１３の態様または第１３の態様の第１もしくは第２の可能な実装に関して、第１３の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１０５】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【０１０６】
第１３の態様または第１３の態様の第１から第３の可能な実装のいずれか１つに関して、第１３の態様の第４の可能な実装では、受信ユニットは、ネットワークデバイスによって送られた第１の情報を受信するようにさらに構成され、第１の情報は、第１の探索空間構成を含むかまたは示し、処理ユニットは、受信ユニットによって受信された第１の情報に基づいて第１の探索空間構成を取得するようにさらに構成され、
受信ユニットは、ネットワークデバイスによって送られた第２の情報を受信するようにさらに構成され、第２の情報は、第２の探索空間構成を含むかまたは示し、処理ユニットは、受信ユニットによって受信された第２の情報に基づいて第２の探索空間構成を取得するようにさらに構成される。
【０１０７】
本発明のこの実施形態は、端末デバイスが第１の探索空間構成および第２の探索空間構成を取得する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【０１０８】
第１３の態様または第１３の態様の第１から第４の可能な実装のいずれか１つに関して、第１３の態様の第５の可能な実装では、第１の探索空間セットは、第２の探索空間セットのサブセットである。
【０１０９】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【０１１０】
第１３の態様または第１３の態様の第１から第４の可能な実装のいずれか１つに関して、第１３の態様の第５の可能な実装では、第１の条件が満たされた場合、ＰＤＣＣＨによって示される物理ダウンリンク共有チャネルＰＤＳＣＨを受信するために端末デバイスによって使用されるべき多入力多出力ＭＩＭＯレイヤ量は、第１のＭＩＭＯレイヤ量であるか、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量であり、第１のＭＩＭＯレイヤ量は、第２のＭＩＭＯレイヤ量とは異なる。
【０１１１】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【０１１２】
第１３の態様または第１３の態様の第１から第５の可能な実装のいずれか１つに関して、第１３の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１１３】
第１３の態様または第１３の態様の第１から第６の可能な実装のいずれか１つに関して、第１３の態様の第７の可能な実装では、処理ユニットは、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２の探索空間構成に基づいてＰＤＣＣＨを監視するようにさらに構成される。
【０１１４】
第１４の態様によれば、端末デバイスが開示され、本デバイスは、第１の探索空間構成および第２の探索空間構成を取得するように構成された処理ユニットを含み、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なる。処理ユニットは、第１の条件が満たされた場合、第１の探索空間構成に基づいてＰＤＣＣＨを監視するか、または第２の条件が満たされた場合、第２の探索空間構成に基づいてＰＤＣＣＨを監視するようにさらに構成される。第１の条件は、端末デバイスが第１の瞬間と第２の瞬間との間にあることを含む。第２の条件は、端末デバイスが第２の瞬間の後にあることを含む。第１の瞬間は間欠受信ＤＲＸオン持続時間（Ｏｎ  Ｄｕｒａｔｉｏｎ）の開始瞬間であり得ることに留意されたい。第２の瞬間は、端末デバイスが第１の瞬間の後に第ＮのＰＤＣＣＨを受信する瞬間である。代替として、第２の瞬間は、第１の持続時間だけ第３の瞬間よりも後の瞬間であり、第３の瞬間は、端末デバイスが第１の瞬間の後に第ＮのＰＤＣＣＨを受信する瞬間であり得る。Ｎは１以上の整数であり、第１の持続時間の長さは０よりも大きい。
【０１１５】
本発明のこの実施形態では、第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【０１１６】
第１４の態様に関して、第１４の態様の第１の可能な実装では、処理ユニットは、受信ユニットがＰＤＣＣＨを受信した場合、第１のタイマーを開始もしくは再開すること、受信ユニットが、データ送信を示すために使用されるＰＤＣＣＨを受信した場合、第１のタイマーを開始もしくは再開すること、受信ユニットが、新しい送信を示すために使用されるＰＤＣＣＨを受信した場合、第１のタイマーを開始もしくは再開すること、または第２のタイマーが開始もしくは再開された場合、第１のタイマーを開始もしくは再開することであって、第２のタイマーは、端末デバイスが、新しい送信を示すために使用されるＰＤＣＣＨを受信した後に、端末デバイスによってＰＤＣＣＨを監視する時間長を決定するために使用される、開始もしくは再開することを行うようにさらに構成される。
【０１１７】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【０１１８】
第１４の態様または第１４の態様の第１の可能な実装に関して、第１４の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【０１１９】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【０１２０】
第１４の態様または第１４の態様の第１もしくは第２の可能な実装に関して、第１４の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１２１】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【０１２２】
第１４の態様または第１４の態様の第１から第３の可能な実装のいずれか１つに関して、第１４の態様の第４の可能な実装では、受信ユニットは、ネットワークデバイスによって送られた第１の情報を受信するように特に構成され、第１の情報は、第１の探索空間構成を含むかまたは示し、処理ユニットは、受信ユニットによって受信された第１の情報に基づいて第１の探索空間構成を取得するように特に構成され、受信ユニットは、ネットワークデバイスによって送られた第２の情報を受信するように特に構成され、第２の情報は、第２の探索空間構成を含むかまたは示し、処理ユニットは、受信ユニットによって受信された第２の情報に基づいて第２の探索空間構成を取得するように特に構成される。
【０１２３】
本発明のこの実施形態は、端末デバイスが第１の探索空間構成および第２の探索空間構成を取得する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【０１２４】
第１４の態様または第１４の態様の第１から第４の可能な実装のいずれか１つに関して、第１４の態様の第５の可能な実装では、第１の探索空間セットは、第２の探索空間セットのサブセットである。
【０１２５】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【０１２６】
第１４の態様または第１４の態様の第１から第５の可能な実装のいずれか１つに関して、第１４の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１２７】
第１４の態様または第１４の態様の第１から第６の可能な実装に関して、第１４の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、端末デバイスによって、第２の探索空間構成に基づいてＰＤＣＣＨを監視するステップをさらに含む。
【０１２８】
第１４の態様または第１４の態様の第１から第７の可能な実装のいずれか１つに関して、第１４の態様の第８の可能な実装では、第１の条件が満たされた場合、ＰＤＣＣＨによって示される物理ダウンリンク共有チャネルＰＤＳＣＨを受信するために端末デバイスによって使用されるべき多入力多出力ＭＩＭＯレイヤ量は、第１のＭＩＭＯレイヤ量であるか、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量であり、第１のＭＩＭＯレイヤ量は、第２のＭＩＭＯレイヤ量とは異なる。
【０１２９】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【０１３０】
第１５の態様によれば、端末デバイスが開示され、本デバイスは、第１の探索空間構成および第２の探索空間構成を取得するように構成された処理ユニットを含み、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータを含み、第２の探索空間構成は第２の探索空間パラメータを含み、第１の探索空間パラメータは第２の探索空間パラメータとは異なる。さらに、処理ユニットは、第１の探索空間構成に基づいて第１のＰＤＣＣＨを監視するように構成され、第１のＰＤＣＣＨは、インジケーション情報を搬送するために使用される。インジケーション情報は、端末デバイスがインジケーション情報を受信した後に存在する第１の時間期間内に第２のＰＤＣＣＨを監視しないように端末デバイスに示すために使用されるか、またはインジケーション情報は、端末デバイスがインジケーション情報を受信した後に存在する第２の時間期間内に第２のＰＤＣＣＨを監視するように端末デバイスに示すために使用される。第２のＰＤＣＣＨは、インジケーション情報を搬送しない。さらに、処理ユニットは、第１の時間期間以外の時間期間内に、または第２の時間期間内に第２の探索空間構成に基づいて第２のＰＤＣＣＨを監視するようにさらに構成される。
【０１３１】
本発明のこの実施形態では、端末デバイスは、異なる探索空間構成に基づいて、インジケーション情報を搬送するＰＤＣＣＨと、インジケーション情報を搬送しないＰＤＣＣＨとを監視し得る。第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。第１５の態様に関して、第１５の態様の第１の可能な実装では、インジケーション情報は、第２の探索空間構成をさらに含むかまたは示す。
【０１３２】
第１５の態様または第１５の態様の第１の可能な実装に関して、第１５の態様の第２の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１３３】
第１５の態様または第１５の態様の第１もしくは第２の可能な実装に関して、第１５の態様の第３の可能な実装では、端末デバイスは、受信ユニットをさらに含む。受信ユニットは、ネットワークデバイスによって送られた第１の情報を受信するように特に構成され、第１の情報は、第１の探索空間構成を含むかまたは示し、処理ユニットは、受信ユニットによって受信された第１の情報に基づいて第１の探索空間構成を取得するように特に構成される。受信ユニットは、ネットワークデバイスによって送られた第２の情報を受信するように特に構成され、第２の情報は、第２の探索空間構成を含むかまたは示し、処理ユニットは、受信ユニットによって受信された第２の情報に基づいて第２の探索空間構成を取得するように特に構成される。
【０１３４】
第１５の態様または第１５の態様の第１から第３の可能な実装に関して、第１５の態様の第４の可能な実装では、第１の探索空間セットは、第２の探索空間セットのサブセットである。
【０１３５】
第１５の態様または第１５の態様の第１から第４の可能な実装に関して、第１５の態様の第５の可能な実装では、インジケーション情報は、第２のＰＤＣＣＨによって示されるＰＤＳＣＨのために使用されるべきＭＩＭＯレイヤ量をさらに含むかまたは示す。
【０１３６】
第１６の態様によれば、受信ユニットを含む端末デバイスが開示され、受信ユニットは、第１の条件が満たされたときに第１の物理ダウンリンク制御チャネルＰＤＣＣＨが受信された場合、第１の多入力多出力ＭＩＭＯレイヤ量に基づいて、第１のＰＤＣＣＨによって示される物理ダウンリンク共有チャネルＰＤＳＣＨを受信するか、または第２の条件が満たされたときに第２のＰＤＣＣＨが受信された場合、第２のＭＩＭＯレイヤ量に基づいて、第２のＰＤＣＣＨによって示されるＰＤＳＣＨを受信するように構成され、第１のＭＩＭＯレイヤ量は、第２のＭＩＭＯレイヤ量とは異なる。第１の条件は、第１のタイマーが実行状態でないことを含み、第２の条件は、第１のタイマーが実行状態であることを含む。
【０１３７】
本発明のこの実施形態において提供される端末デバイスは、第１の条件が満たされるか第２の条件が満たされるかを最初に決定し、決定結果に基づいて、ＰＤＳＣＨを受信するために使用されるべきＭＩＭＯレイヤ量をさらに決定し得る。比較的大きいＭＩＭＯレイヤ量を盲目的に使用する代わりに、端末デバイスは、ネットワークデバイスによって送られたＰＤＳＣＨを受信するために適切なＭＩＭＯレイヤ量を使用する。このようにして、端末デバイスによってＰＤＳＣＨを受信する電力消費量は低減されることが可能である。
【０１３８】
第１６の態様に関して、第１６の態様の第１の可能な実装では、処理ユニットは、受信ユニットがＰＤＣＣＨを受信した場合、第１のタイマーを開始もしくは再開すること、受信ユニットが、データ送信を示すために使用されるＰＤＣＣＨを受信した場合、第１のタイマーを開始もしくは再開すること、受信ユニットが、新しい送信を示すために使用されるＰＤＣＣＨを受信した場合、第１のタイマーを開始もしくは再開すること、または第２のタイマーが開始もしくは再開された場合、第１のタイマーを開始もしくは再開することであって、第２のタイマーは、端末デバイスが、新しい送信を示すために使用されるＰＤＣＣＨを受信した後に、端末デバイスによってＰＤＣＣＨを監視する時間長を決定するために使用される、開始もしくは再開することを行うようにさらに構成される。
【０１３９】
第１６の態様または第１６の態様の第１の可能な実装に関して、第１６の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。
【０１４０】
第１６の態様または第１６の態様の第１もしくは第２の可能な実装に関して、第１６の態様の第３の可能な実装では、第１の条件は、端末デバイスが第１の瞬間と第２の瞬間との間にあることであり、第２の条件は、端末デバイスが第２の瞬間の後にあることである。第１の瞬間は、間欠受信ＤＲＸオン持続時間（Ｏｎ  Ｄｕｒａｔｉｏｎ）の開始瞬間であり得る。第２の瞬間は、端末デバイスが第１の瞬間の後に第ＮのＰＤＣＣＨを受信する瞬間である。代替として、第２の瞬間は、第１の持続時間だけ第３の瞬間よりも後の瞬間であり、第３の瞬間は、端末デバイスが第１の瞬間の後に第ＮのＰＤＣＣＨを受信する瞬間であり得る。Ｎは１以上の整数であり、第１の持続時間の長さは０よりも大きい。
【０１４１】
第１６の態様または第１６の態様の第１もしくは第２の可能な実装のいずれか１つに関して、第１６の態様の第３の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１４２】
第１６の態様または第１６の態様の第１から第３の可能な実装のいずれか１つに関して、第１６の態様の第４の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２のＭＩＭＯレイヤ量に基づいて端末デバイスによって、第２のＰＤＣＣＨによって示されるＰＤＳＣＨを受信するステップをさらに含む。
【０１４３】
第１７の態様によれば、受信ユニットを含む端末デバイスが開示され、受信ユニットは、第１の条件が満たされたときに第１の物理ダウンリンク制御チャネルＰＤＣＣＨが受信された場合、第１の多入力多出力ＭＩＭＯレイヤ量に基づいて、第１のＰＤＣＣＨによって示される物理ダウンリンク共有チャネルＰＤＳＣＨを受信するか、または第２の条件が満たされたときに第２のＰＤＣＣＨが受信された場合、第２のＭＩＭＯレイヤ量に基づいて、第２のＰＤＣＣＨによって示されるＰＤＳＣＨを受信するように構成され、第１のＭＩＭＯレイヤ量は、第２のＭＩＭＯレイヤ量とは異なる。第１の条件は、端末デバイスが第１の瞬間と第２の瞬間との間にあることであり、第２の条件は、端末デバイスが第２の瞬間の後にあることである。第１の瞬間は、間欠受信ＤＲＸオン持続時間（ＤＲＸ  Ｏｎ  Ｄｕｒａｔｉｏｎ）の開始瞬間であり得る。第２の瞬間は、端末デバイスが第１の瞬間の後に第ＮのＰＤＣＣＨを受信する瞬間である第３の瞬間であり得る。代替として、第２の瞬間は、第１の持続時間だけ第３の瞬間よりも後の瞬間であり、第３の瞬間は、端末デバイスが第１の瞬間の後に第ＮのＰＤＣＣＨを受信する瞬間であり得る。Ｎは１以上の整数であり、第１の持続時間の長さは０よりも大きい。
【０１４４】
第１７の態様に関して、第１７の態様の第１の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１４５】
第１７の態様または第１７の態様の第１の可能な実装に関して、第１７の態様の第２の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２のＭＩＭＯレイヤ量に基づいて端末デバイスによって、第２のＰＤＣＣＨによって示されるＰＤＳＣＨを受信するステップをさらに含む。
【０１４６】
第１８の態様によれば、端末デバイスが開示され、本デバイスは、インジケーション情報を受信するように構成された受信ユニットであって、インジケーション情報は、端末デバイスがインジケーション情報を受信した後に存在する第１の時間期間内にＰＤＣＣＨを監視しないように端末デバイスに示すために使用されるか、またはインジケーション情報は、端末デバイスがインジケーション情報を受信した後に存在する第２の時間期間内にＰＤＣＣＨを監視するように端末デバイスに示すために使用される、受信ユニットと、第１の時間期間以外の時間期間内に、または第２の時間期間内にＰＤＣＣＨを監視するように構成された処理ユニットとを含み、受信ユニットは、インジケーション情報によって示されるＭＩＭＯレイヤ量に基づいてＰＤＳＣＨを受信するようにさらに構成され、ＰＤＳＣＨは、端末デバイスによって監視されるＰＤＣＣＨによって示されるＰＤＳＣＨである。
【０１４７】
第１９の態様によれば、送りユニットを含むネットワークデバイスが開示され、送りユニットは、第１の条件が満たされた場合、第１の探索空間構成に基づいて端末デバイスにＰＤＣＣＨを送るか、または第２の条件が満たされた場合、ネットワークデバイスによって、第２の探索空間構成に基づいて端末デバイスにＰＤＣＣＨを送るように構成され、第１の条件は、端末デバイスの第１のタイマーが実行状態でないことを含み、第２の条件は、第１のタイマーが実行状態であることを含む。第１の探索空間構成は第１の探索空間セットを含み、第２の探索空間構成は第２の探索空間セットを含み、第１の探索空間セットは第２の探索空間とは異なるか、または第１の探索空間構成は第１の探索空間パラメータであり、第２の探索空間構成は第２の探索空間パラメータであり、第１の探索空間パラメータは第２の探索空間パラメータとは異なる。
【０１４８】
第１９の態様に関して、第１９の態様の第１の可能な実装では、端末デバイスがＰＤＣＣＨを受信した場合、第１のタイマーは開始もしくは再開されるか、端末デバイスが、データ送信を示すために使用されるＰＤＣＣＨを受信した場合、第１のタイマーは開始もしくは再開されるか、端末デバイスが、新しい送信を示すために使用されるＰＤＣＣＨを受信した場合、第１のタイマーは開始もしくは再開されるか、または第２のタイマーが開始もしくは再開された場合、第１のタイマーは開始もしくは再開され、第２のタイマーは、端末デバイスが、新しい送信を示すために使用されるＰＤＣＣＨを受信した後に、端末デバイスによってＰＤＣＣＨを監視する時間長を決定するために使用される。
【０１４９】
第１９の態様または第１９の態様の第１の可能な実装に関して、第１９の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【０１５０】
第１９の態様または第１９の態様の第１もしくは第２の可能な実装に関して、第１９の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１５１】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【０１５２】
第１９の態様または第１９の態様の第１から第３の可能な実装のいずれか１つに関して、第１９の態様の第４の可能な実装では、送りユニットは、端末デバイスに第１の情報を送るようにさらに構成され、第１の情報は、第１の探索空間構成を含むかまたは示し、送りユニットは、端末デバイスに第２の情報を送るようにさらに構成され、第２の情報は、第２の探索空間構成を含むかまたは示す。
【０１５３】
本発明のこの実施形態は、ネットワークデバイスが第１の探索空間構成および第２の探索空間構成を端末デバイスに通知する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【０１５４】
第１９の態様または第１９の態様の第１から第４の可能な実装のいずれか１つに関して、第１９の態様の第５の可能な実装では、第１の探索空間セットは、第２の探索空間セットのサブセットである。
【０１５５】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【０１５６】
第１９の態様または第１９の態様の第１から第５の可能な実装のいずれか１つに関して、第１９の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１５７】
第１９の態様または第１９の態様の第１から第６の可能な実装のいずれか１つに関して、第１９の態様の第７の可能な実装では、送りユニットは、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間に基づいてＰＤＣＣＨを送るようにさらに構成される。
【０１５８】
第２０の態様によれば、送りユニットを含むネットワークデバイスが開示され、送りユニットは、第１の条件が満たされたとき、第１の探索空間構成に基づいて端末デバイスにＰＤＣＣＨを送るか、または第２の条件が満たされた場合、第２の探索空間構成に基づいて端末デバイスにＰＤＣＣＨを送るように構成され、第１の探索空間構成は第１の探索空間セットを含み、第２の探索空間構成は第２の探索空間セットを含み、第１の探索空間セットは第２の探索空間とは異なるか、または第１の探索空間構成は第１の探索空間パラメータであり、第２の探索空間構成は第２の探索空間パラメータであり、第１の探索空間パラメータは第２の探索空間パラメータとは異なる。第１の条件は、端末デバイスが第１の瞬間と第２の瞬間との間にあることを含む。第２の条件は、端末デバイスが第２の瞬間の後にあることを含む。第１の瞬間は間欠受信ＤＲＸオン持続時間（Ｏｎ  Ｄｕｒａｔｉｏｎ）の開始瞬間であり得ることに留意されたい。第２の瞬間は第３の瞬間であり、第３の瞬間は、端末デバイスが第１の瞬間の後に第ＮのＰＤＣＣＨを受信する瞬間であり得る。代替として、第２の瞬間は、第１の持続時間だけ第３の瞬間よりも後の瞬間である。Ｎは１以上の整数であり、第１の持続時間の長さは０よりも大きい。
【０１５９】
本発明のこの実施形態では、第１の探索空間構成および第２の探索空間構成は、異なる探索空間セットであり得、第１の探索空間セットおよび／または第２の探索空間セットは、端末デバイスの探索空間のすべての部分を含まないことがある。この場合、端末デバイスは、端末デバイスの探索空間のいくつかの部分においてのみＰＤＣＣＨを監視する必要がある。これは、端末デバイスの電力消費量を大幅に低減する。もちろん、第１の探索空間構成および第２の探索空間構成は、異なる探索空間パラメータであり得る。本発明のこの実施形態では、ＰＤＣＣＨを監視するために端末デバイスによって使用されるリソースは、端末デバイスの電力消費量を低減するために、端末デバイスのために異なる探索空間パラメータを構成することによって調整され得る。
【０１６０】
第２０の態様に関して、第２０の態様の第１の可能な実装では、端末デバイスがＰＤＣＣＨを受信した場合、第１のタイマーは開始もしくは再開されるか、端末デバイスが、データ送信を示すために使用されるＰＤＣＣＨを受信した場合、第１のタイマーは開始もしくは再開されるか、端末デバイスが、新しい送信を示すために使用されるＰＤＣＣＨを受信した場合、第１のタイマーは開始もしくは再開されるか、または第２のタイマーが開始もしくは再開された場合、端末デバイスは第１のタイマーを開始もしくは再開し、第２のタイマーは、端末デバイスが、新しい送信を示すために使用されるＰＤＣＣＨを受信した後に、端末デバイスによってＰＤＣＣＨを監視する時間長を決定するために使用される。
【０１６１】
本発明のこの実施形態は、第１のタイマーを開始もしくは再開するいくつかの可能な実装を提供する。さらに、端末デバイスは、第１のタイマーが実行されているかどうかに基づいて対応する判定を行い、第１の探索空間構成を使用することによってＰＤＣＣＨを監視するか、または第２の探索空間構成を使用することによってＰＤＣＣＨを監視し得る。
【０１６２】
第２０の態様または第２０の態様の第１の可能な実装に関して、第２０の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。たとえば、第３のタイマーは、オン持続時間タイマーである。
【０１６３】
本発明のこの実施形態は、第１の条件の別の可能な実装を提供する。第１のタイマーが実行状態でなく、第３のタイマーが実行状態であるときのみ、第１の条件は満たされると決定され、次いで、第１の探索空間構成に基づいてＰＤＣＣＨが監視される。
【０１６４】
第２０の態様または第２０の態様の第１もしくは第２の可能な実装に関して、第２０の態様の第３の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１６５】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【０１６６】
第２０の態様または第２０の態様の第１から第３の可能な実装のいずれか１つに関して、第２０の態様の第４の可能な実装では、送りユニットは、端末デバイスに第１の情報を送るようにさらに構成され、第１の情報は、第１の探索空間構成を含むかまたは示し、送りユニットは、端末デバイスに第２の情報を送るようにさらに構成され、第２の情報は、第２の探索空間構成を含むかまたは示す。
【０１６７】
本発明のこの実施形態は、ネットワークデバイスが端末デバイスのために第１の探索空間構成および第２の探索空間構成を構成する、可能な実装をさらに提供する。端末デバイスは、ネットワークデバイスによって送られた第１の情報を受信して第１の探索空間構成を取得し、ネットワークデバイスによって送られた第２の情報を受信して第２の探索空間構成を取得し得る。
【０１６８】
第２０の態様または第２０の態様の第１から第４の可能な実装のいずれか１つに関して、第２０の態様の第５の可能な実装では、第１の探索空間セットは、第２の探索空間セットのサブセットである。
【０１６９】
本発明のこの実施形態では、第１の探索空間セットは第２の探索空間セットのサブセットであるので、第１の条件が満たされたとき、端末デバイスは、候補ＰＤＣＣＨの比較的小さい量を監視し、したがって、端末デバイスの電力消費量が効果的に低減されることが可能である。
【０１７０】
第２０の態様または第２０の態様の第１から第５の可能な実装のいずれか１つに関して、第２０の態様の第６の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１７１】
第２０の態様または第２０の態様の第１から第６の可能な実装のいずれか１つに関して、第２０の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間構成に基づいて端末デバイスにＰＤＣＣＨを送るステップをさらに含む。
【０１７２】
第２０の態様または第２０の態様の第１から第７の可能な実装のいずれか１つに関して、第２０の態様の第８の可能な実装では、送りユニットは、第１の条件が満たされた場合、第１のＭＩＭＯレイヤ量に基づいて、ＰＤＣＣＨによって示されるＰＤＳＣＨを送るか、または第２の条件が満たされた場合、第２のＭＩＭＯレイヤ量に基づいて、ＰＤＣＣＨによって示されるＰＤＳＣＨを送るようにさらに構成され、第１のＭＩＭＯレイヤ量は、第２のＭＩＭＯレイヤ量とは異なる。
【０１７３】
本発明のこの実施形態において提供される方法によれば、端末デバイスは、ネットワークデバイスによって送られたＰＤＳＣＨを受信するために適切なＭＩＭＯレイヤ量を使用して、端末デバイスによってＰＤＳＣＨを受信する電力消費量を低減することができる。
【０１７４】
第２１の態様によれば、送りユニットを含むネットワークデバイスが開示され、送りユニットは、第１の探索空間構成に基づいて端末デバイスに第１のＰＤＣＣＨを送るように構成され、第１のＰＤＣＣＨは、インジケーション情報を搬送するために使用され、インジケーション情報は、端末デバイスがインジケーション情報を受信した後に存在する第１の持続時間内に第２のＰＤＣＣＨを監視することを停止するように端末デバイスに示すために使用されるか、またはインジケーション情報は、端末デバイスがインジケーション情報を受信した後に存在する第２の持続時間内に第２のＰＤＣＣＨを監視するように端末デバイスに示すために使用され、第２のＰＤＣＣＨはインジケーション情報を搬送しない。送りユニットは、第１の持続時間以外の持続時間内に、または第２の持続時間内に第２の探索空間構成に基づいて端末デバイスに第２のＰＤＣＣＨを送るようにさらに構成され、第１の探索空間構成は第１の探索空間セットであり、第２の探索空間構成は第２の探索空間セットであり、第１の探索空間セットは第２の探索空間セットとは異なるか、または第１の探索空間構成は第１の探索空間パラメータであり、第２の探索空間構成は第２の探索空間パラメータであり、第１の探索空間パラメータは第２の探索空間パラメータとは異なる。
【０１７５】
第２１の態様に関して、第２１の態様の第１の可能な実装では、インジケーション情報は、第２の探索空間構成をさらに含むかまたは示す。
【０１７６】
第２１の態様または第２１の態様の第１の可能な実装に関して、第２１の態様の第２の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１７７】
第２１の態様または第２１の態様の第１もしくは第２の可能な実装に関して、第２１の態様の第３の可能な実装では、送りユニットは、端末デバイスに第１の情報を送ることであって、第１の情報は、第１の探索空間構成を含むかまたは示す、送ることと、端末デバイスに第２の情報を送ることであって、第２の情報は、第２の探索空間構成を含むかまたは示す、送ることとを行うようにさらに構成される。
【０１７８】
第２１の態様または第２１の態様の第１から第３の可能な実装に関して、第２１の態様の第４の可能な実装では、第１の探索空間セットは、第２の探索空間セットのサブセットである。
【０１７９】
第２１の態様または第２１の態様の第１から第４の可能な実装に関して、第２１の態様の第５の可能な実装では、インジケーション情報は、第２のＰＤＣＣＨによって示されるＰＤＳＣＨのために使用されるべきＭＩＭＯレイヤ量をさらに含むかまたは示す。
【０１８０】
第２２の態様によれば、送りユニットを含むネットワークデバイスが開示され、送りユニットは、第１の条件が満たされたとき、端末デバイスに第１のＰＤＣＣＨを送り、ネットワークデバイスによって、第１のＭＩＭＯレイヤ量に基づいて端末デバイスに第１の物理ダウンリンク共有チャネルＰＤＳＣＨを送ることであって、第１のＰＤＣＣＨは、第１のＰＤＳＣＨを示すために使用される、送ること、または第２の条件が満たされたとき、端末デバイスに第２のＰＤＣＣＨを送り、ネットワークデバイスによって、第２のＭＩＭＯレイヤ量に基づいて端末デバイスに第２のＰＤＳＣＨを送ることであって、第２のＰＤＣＣＨは、第２のＰＤＳＣＨを示すために使用され、第１のＭＩＭＯレイヤ量は、第２のＭＩＭＯレイヤ量とは異なる、送ることを行うように構成される。
【０１８１】
第１の条件は、第１のタイマーが実行状態でないことを含み、第２の条件は、第１のタイマーが実行状態であることを含む。
【０１８２】
第２２の態様に関して、第２２の態様の第１の可能な実装では、第１の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含み、第２の探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。
【０１８３】
本発明のこの実施形態は、いくつかの可能な探索空間パラメータを提供する。ＰＤＣＣＨを監視するために端末デバイスによって使用されるリソースは、異なる探索空間パラメータを構成することによって調整され得る。
【０１８４】
第２２の態様に関して、第２２の態様の第１の可能な実装では、端末デバイスがＰＤＣＣＨを受信した場合、第１のタイマーは開始もしくは再開されるか、端末デバイスが、データ送信を示すために使用されるＰＤＣＣＨを受信した場合、第１のタイマーは開始もしくは再開されるか、端末デバイスが、新しい送信を示すために使用されるＰＤＣＣＨを受信した場合、第１のタイマーは開始もしくは再開されるか、または第２のタイマーが開始もしくは再開された場合、第１のタイマーは開始もしくは再開され、第２のタイマーは、端末デバイスが、新しい送信を示すために使用されるＰＤＣＣＨを受信した後に、端末デバイスによってＰＤＣＣＨを監視する時間長を決定するために使用される。
【０１８５】
第２２の態様または第２２の態様の第１の可能な実装に関して、第２２の態様の第２の可能な実装では、第１の条件は、第３のタイマーが実行状態であることをさらに含み、第３のタイマーは、１つの間欠受信ＤＲＸサイクル中に端末デバイスによってＰＤＣＣＨを監視する時間長を決定するために使用される。
【０１８６】
第２２の態様または第２２の態様の第１もしくは第２の可能な実装のいずれか１つに関して、第２２の態様の第３の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１８７】
第２２の態様または第２２の態様の第１から第３の可能な実装のいずれか１つに関して、第２２の態様の第４の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２のＭＩＭＯレイヤ量に基づいて端末デバイスに第２のＰＤＳＣＨを送るステップをさらに含む。
【０１８８】
第２３の態様によれば、送りユニットを含むネットワークデバイスが開示され、送りユニットは、第１の条件が満たされたとき、端末デバイスに第１の物理ダウンリンク制御チャネルＰＤＣＣＨを送り、第１の多入力多出力ＭＩＭＯレイヤ量に基づいて端末デバイスに第１の物理ダウンリンク共有チャネルＰＤＳＣＨを送ることであって、第１のＰＤＣＣＨは、第１のＰＤＳＣＨを示すために使用される、送ること、または第２の条件が満たされたとき、端末デバイスに第２のＰＤＣＣＨを送り、第２のＭＩＭＯレイヤ量に基づいて端末デバイスに第２のＰＤＳＣＨを送ることであって、第２のＰＤＣＣＨは、第２のＰＤＳＣＨを示すために使用され、第１のＭＩＭＯレイヤ量は、第２のＭＩＭＯレイヤ量とは異なる、送ることを行うように構成される。第１の条件は、端末デバイスが第１の瞬間と第２の瞬間との間にあることであり、第２の条件は、端末デバイスが第２の瞬間の後にあることである。第１の瞬間は、間欠受信ＤＲＸオン持続時間（ＤＲＸ  Ｏｎ  Ｄｕｒａｔｉｏｎ）の開始瞬間であり得る。第２の瞬間は第３の瞬間であり、第３の瞬間は、端末デバイスが第１の瞬間の後に第ＮのＰＤＣＣＨを受信する瞬間であり得る。代替として、第２の瞬間は、第１の持続時間だけ第３の瞬間よりも後の瞬間である。Ｎは１以上の整数であり、第１の持続時間の長さは０よりも大きい。
【０１８９】
第２３の態様に関して、第２３の態様の第１の可能な実装では、第１の条件は、ダウンリンク再送信タイマーが実行状態でない、アップリンク再送信タイマーが実行状態でない、競合解消タイマーが実行状態でない、端末デバイスによって送られたスケジューリング要求が保留状態でない、および端末デバイスが、端末デバイスがランダムアクセス応答ＲＡＲを正常に受信した後に、新しい送信を示すために使用されるＰＤＣＣＨを受信しない状態ではない、の場合のうちの１つまたは複数をさらに含み、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない。
【０１９０】
第２３の態様または第２３の態様の第１の可能な実装に関して、第２３の態様の第２の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２のＭＩＭＯレイヤ量に基づいて端末デバイスに第２のＰＤＳＣＨを送るステップをさらに含む。
【０１９１】
第２４の態様によれば、送りユニットを含むネットワークデバイスが開示され、送りユニットは、インジケーション情報を送るように構成され、インジケーション情報は、端末デバイスがインジケーション情報を受信した後に存在する第１の持続時間内にＰＤＣＣＨを監視することを停止するように端末デバイスに示すために使用されるか、またはインジケーション情報は、端末デバイスがインジケーション情報を受信した後に存在する第２の持続時間内にＰＤＣＣＨを監視するように端末デバイスに示すために使用され、送りユニットは、第１の持続時間以外の持続時間内に、または第２の持続時間内に端末にＰＤＣＣＨを送り、インジケーション情報によって示されるＭＩＭＯレイヤ量に基づいて端末に物理ダウンリンク共有チャネルＰＤＳＣＨを送るようにさらに構成され、ＰＤＣＣＨは、ＰＤＳＣＨを示すために使用される。
【０１９２】
第２５の態様によれば、１つまたは複数のプロセッサおよび１つまたは複数のメモリを含む、端末デバイスが開示される。
【０１９３】
１つまたは複数のメモリは、１つまたは複数のプロセッサに結合され、１つまたは複数のメモリは、コンピュータプログラムコードを記憶するように構成され、コンピュータプログラムコードはコンピュータ命令を含み、１つまたは複数のプロセッサがコンピュータ命令を実行したとき、端末デバイスは、第１の態様から第６の態様および可能な実装のいずれか１つによる方法を実施することを可能にされる、ネットワークデバイス。
【０１９４】
第２６の態様によれば、１つまたは複数のプロセッサおよび１つまたは複数のメモリを含む、ネットワークデバイスが開示される。
【０１９５】
１つまたは複数のメモリは、１つまたは複数のプロセッサに結合され、１つまたは複数のメモリは、コンピュータプログラムコードを記憶するように構成され、コンピュータプログラムコードはコンピュータ命令を含み、１つまたは複数のプロセッサがコンピュータ命令を実行したとき、ネットワークデバイスは、第７の態様から第１２の態様および可能な実装のいずれか１つによる方法を実施することを可能にされる。
【０１９６】
第２７の態様によれば、コンピュータ可読記憶媒体が開示される。コンピュータ可読記憶媒体は命令を記憶する。コンピュータ可読記憶媒体が、第１３の態様から第１８の態様および可能な実装のいずれか１つによる端末デバイス上で実行されたとき、端末デバイスは、第１の態様から第６の態様および可能な実装のいずれか１つによる方法を実施することを可能にされる。
【０１９７】
第２８の態様によれば、コンピュータ可読記憶媒体が開示される。コンピュータ可読記憶媒体は命令を記憶する。コンピュータ可読記憶媒体が、第１９の態様から第２４の態様および可能な実装のいずれか１つによるネットワークデバイス上で実行されたとき、ネットワークデバイスは、第１の態様から第４の態様および可能な実装のいずれか１つによる方法を実施することを可能される。
【０１９８】
第２９の態様によれば、ワイヤレス通信装置が開示される。ワイヤレス通信装置は命令を記憶する。ワイヤレス通信装置が、第１３の態様から第１８の態様および可能な実装のいずれか１つによる端末デバイス上で実行されたとき、端末デバイスは、第１の態様から第６の態様および可能な実装のいずれか１つによる方法を実施することを可能にされる。ワイヤレス通信装置はチップである。
【０１９９】
第３０の態様によれば、ワイヤレス通信装置が開示される。ワイヤレス通信装置は命令を記憶する。ワイヤレス通信装置が、第１９の態様から第２４の態様および可能な実装のいずれか１つによるネットワークデバイス上で実行されたとき、ネットワークデバイスは、第７の態様から第１２の態様および可能な実装のいずれか１つによる方法を実施することを可能される。ワイヤレス通信装置はチップである。
【図面の簡単な説明】
【０２００】
【図１】本発明の実施形態による通信ネットワークのアーキテクチャ図である。
【図２】従来技術におけるＤＲＸサイクルの概略図である。
【図３】本発明の実施形態による端末デバイスの構造ブロック図である。
【図４】本発明の実施形態による監視方法の概略フローチャートである。
【図４ａ】本発明の実施形態による監視方法の概略図である。
【図５】本発明の実施形態による監視方法の別の概略フローチャートである。
【図５ａ】本発明の実施形態による監視方法の別の概略図である。
【図６】本発明の実施形態による監視方法の別の概略フローチャートである。
【図７】本発明の実施形態による通信方法の概略フローチャートである。
【図８】本発明の実施形態による通信方法の別の概略フローチャートである。
【図９】本発明の実施形態による通信方法の別の概略フローチャートである。
【図１０】本発明の実施形態による端末デバイスの別の構造ブロック図である。
【図１１】本発明の実施形態による端末デバイスの別の構造ブロック図である。
【図１２】本発明の実施形態によるネットワークデバイスの構造ブロック図である。
【図１３】本発明の実施形態によるネットワークデバイスの別の構造ブロック図である。
【図１４】本発明の実施形態によるネットワークデバイスの別の構造ブロック図である。
【発明を実施するための形態】
【０２０１】
以下は、添付の図面および実施形態を参照しながら、本出願をさらに説明する。
【０２０２】
図１は、本発明の実施形態による通信ネットワークのアーキテクチャ図である。この通信ネットワークは、ネットワークデバイスと、端末デバイスとを含む。ネットワークデバイスは、ダウンリンクデータを受信するように端末デバイスをスケジュールし得る、または、アップリンクデータを送るように端末デバイスをスケジュールし得る。本発明の実施形態におけるネットワークデバイスは、基地局（ｂａｓｅ  ｓｔａｔｉｏｎ、ＢＳ）を含む。基地局は、複数の形、たとえば、マクロ基地局、マイクロ基地局、中継局、およびアクセスポイントを有し得る。たとえば、本発明の実施形態における基地局は、ｎｅｗ  ｒａｄｉｏ（ｎｅｗ  ｒａｄｉｏ、ＮＲ）における基地局であってよい。ＮＲにおける基地局は、送受信点（ｔｒａｎｓｍｉｓｓｉｏｎ  ｒｅｃｅｐｔｉｏｎ  ｐｏｉｎｔ、ＴＲＰ）または次世代ノードＢ（Ｎｅｘｔ  ｇｅｎｅｒａｔｉｏｎ  ＮｏｄｅＢ、ｇＮＢ）とも呼ばれることがある。代替として、基地局は、ｇｌｏｂａｌ  ｓｙｓｔｅｍ  ｆｏｒ  ｍｏｂｉｌｅ  ｃｏｍｍｕｎｉｃａｔｉｏｎ（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ）システムまたは符号分割多元アクセス（ｃｏｄｅ  ｄｉｖｉｓｉｏｎ  ｍｕｌｔｉｐｌｅ  ａｃｃｅｓｓ、ＣＤＭＡ）システム内の送受信基地局（ｂａｓｅ  ｔｒａｎｓｃｅｉｖｅｒ  ｓｔａｔｉｏｎ、ＢＴＳ）であってもよいし、広帯域符号分割多元アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム内のノードＢ（ｎｏｄｅＢ、ＮＢ）であってもよいし、ロングタームエボリューション（ｌｏｎｇ  ｔｅｒｍ  ｅｖｏｌｕｔｉｏｎ、ＬＴＥ）システム内の進化型ノードＢ（Ｅｖｏｌｕｔｉｏｎａｌ  ＮｏｄｅＢ、ｅＮＢまたはｅＮｏｄｅＢ）であってもよいし、将来の５Ｇ（５ｔｈ  ｇｅｎｅｒａｔｉｏｎ）ネットワーク内のｇＮＢであってもよい。本発明の実施形態におけるネットワークデバイスは、代替として、無線アクセスネットワーク内で展開され、端末とのワイヤレス通信を実施することができるデバイスを含んでよい。たとえば、ネットワークデバイスは、クラウド無線アクセスネットワーク（ｃｌｏｕｄ  ｒａｄｉｏ  ａｃｃｅｓｓ  ｎｅｔｗｏｒｋ、ＣＲＡＮ）シナリオでは、無線コントローラであってよい。代替として、ネットワークデバイスは、中継局、アクセスポイント、将来の５Ｇネットワーク内のネットワークデバイス、将来の進化型公衆携帯電話網（ｐｕｂｌｉｃ  ｌａｎｄ  ｍｏｂｉｌｅ  ｎｅｔｗｏｒｋ、ＰＬＭＮ）内のネットワークデバイスなど、たとえば、進化型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（ｎｏｄｅＢ、ＮＢ）、基地局コントローラ（ｂａｓｅ  ｓｔａｔｉｏｎ  ｃｏｎｔｒｏｌｌｅｒ、ＢＳＣ）、基地局トランシーバ（ｂａｓｅ  ｔｒａｎｓｃｅｉｖｅｒ  ｓｔａｔｉｏｎ、ＢＴＳ）、ホームネットワークデバイス（たとえば、ホーム進化型ノードＢまたはホームノードＢ、ＨＮＢ）、またはベースバンドユニット（ｂａｓｅ  ｂａｎｄ  ｕｎｉｔ、ＢＢＵ）であってよい。本発明の実施形態では���ネットワークデバイスの機能を実装する装置は、ネットワークデバイスであってもよいし、チップ、回路、または別の装置などの、機能を実装する際にネットワークデバイスをサポートする装置であってもよい。本発明の実施形態では、ネットワークデバイスの機能を実装する装置がネットワークデバイスである例が、本発明の実施形態において提供される技術的解決策を説明するために使用される。
【０２０３】
本発明の実施形態における端末デバイスは、端末とも呼ばれることがあり、ワイヤレストランシーバ機能を有するデバイスであってよい。端末デバイスは、陸上で展開されることがあり、屋内デバイス、屋外デバイス、ハンドヘルドデバイス、ウェアラブルデバイス、車内デバイス、または車載デバイスを含む。代替として、端末デバイスは、水面上に（たとえば、船上に）展開されることがある、または、空中（たとえば、航空機、バルーン、または衛星上）に展開されることがある。端末デバイスは、ユーザ機器（ｕｓｅｒ  ｅｑｕｉｐｍｅｎｔ、ＵＥ）であってよい。ＵＥは、ハンドヘルドデバイス、車載デバイス、ウェアラブルデバイス、またはワイヤレス通信機能を有するコンピューティングデバイスを含む。たとえば、ＵＥは、携帯電話（ｍｏｂｉｌｅ  ｐｈｏｎｅ）、タブレットコンピュータ、またはワイヤレストランシーバ機能を有するコンピュータであってよい。代替として、端末デバイスは、仮想現実（ｖｉｒｔｕａｌ  ｒｅａｌｉｔｙ、ＶＲ）端末デバイス、拡張現実（ａｕｇｍｅｎｔｅｄ  ｒｅａｌｉｔｙ、ＡＲ）端末デバイス、工業制御におけるワイヤレス端末、自動運転におけるワイヤレス端末、遠隔医療におけるワイヤレス端末、スマートグリッドにおけるワイヤレス端末、スマートシティ（ｓｍａｒｔ  ｃｉｔｙ）におけるワイヤレス端末、スマートホーム（ｓｍａｒｔ  ｈｏｍｅ）におけるワイヤレス端末などであってよい。本発明の実施形態では、端末の機能を実装する装置は、端末であってもよいし、チップ、回路、または別の装置などの、機能を実装する際に端末をサポートする装置であってもよい。本発明の実施形態では、端末の機能を実装する装置が端末である例が、本発明の実施形態において提供される技術的解決策を説明するために使用される。
【０２０４】
通常、端末デバイスは、端末デバイスがダウンリンクデータを受信する予定であるかアップリンクデータを送る予定であるかにかかわらず、ネットワークデバイスによってスケジュールされる必要があり、ネットワークデバイスは、ＰＤＣＣＨを通じて端末デバイスをスケジュールし得る。たとえば、ＰＤＣＣＨは、端末デバイスが物理ダウンリンク共有チャネル（ｐｈｙｓｉｃａｌ  ｄｏｗｎｌｉｎｋ、ＰＤＳＣＨ）を受信するように、ダウンリンクスケジューリング情報を搬送することがある。代替として、ＰＤＣＣＨは、端末デバイスが物理アップリンク共有チャネル（ｐｈｙｓｉｃａｌ  ｕｐｌｉｎｋ、ＰＵＳＣＨ）を送るように、アップリンクスケジューリング情報を送るために使用されることがある。ＰＤＣＣＨを正常に受信する前に、端末デバイスは、候補ＰＤＣＣＨのセットを監視する必要がある。具体的に言えば、端末デバイスは、監視のためのＤＣＩフォーマットに基づいて、セット内の各ＰＤＣＣＨを復号することを試みる。端末デバイスが監視プロセスにおいて探索空間内でＰＤＣＣＨを正常に復号した場合、それは、端末デバイスがＰＤＣＣＨを正常に受信したことを意味する。探索空間は、候補ＰＤＣＣＨのセットを決定するために端末デバイスによって使用されることが留意されるべきである。探索空間の各々に対して、ネットワークデバイスは、探索空間のパラメータを構成し得る。パラメータは、探索空間インデックス、関連する制御リソースセット、ＰＤＣＣＨ監視期間、各ＰＤＣＣＨ監視期間中のＰＤＣＣＨ監視持続時間、各ＣＣＥアグリゲーションレベルにおける候補ＰＤＣＣＨの量、監視のためのＤＣＩフォーマット（ＤＣＩ  ｆｏｒｍａｔ）などを含む。端末デバイスは、探索空間のパラメータに基づいて、監視されるべき候補ＰＤＣＣＨのセットを決定することがある。
【０２０５】
ＤＲＸ（ｄｉｓｃｏｎｔｉｎｕｏｕｓ  ｒｅｃｅｐｔｉｏｎ、間欠受信）は、ＰＤＣＣＨ監視を実施するための端末デバイスの電力消費量を低減するために、ＬＴＥおよびＮＲにおいてさらに定義される。接続モードのＤＲＸは、Ｃ−ＤＲＸ（ｃｏｎｎｅｃｔｅｄ  ｄｉｓｃｏｎｔｉｎｕｏｕｓ  ｒｅｃｅｐｔｉｏｎ、接続間欠受信）とも呼ばれることがある。ＤＲＸの基本原理は、次の通りである。ネットワークデバイスが、接続モードで端末デバイスのためのＤＲＸパラメータを構成する。ＤＲＸパラメータは、ＤＲＸサイクル（ｃｙｃｌｅ）を含むことがある。図２を参照すると、ＤＲＸサイクルは、「Ｏｎ  Ｄｕｒａｔｉｏｎ」と、「Ｏｐｐｏｒｔｕｎｉｔｙ  ｆｏｒ  ＤＲＸ」とを含む。「Ｏｎ  Ｄｕｒａｔｉｏｎ」は、オン持続時間と呼ばれることがあり、「Ｏｐｐｏｒｔｕｎｉｔｙ  ｆｏｒ  ＤＲＸ」は、ＤＲＸの機会と呼ばれることがある。「Ｏｎ  Ｄｕｒａｔｉｏｎ」内では、端末デバイスはＰＤＣＣＨを監視する。「Ｏｐｐｏｒｔｕｎｉｔｙ  ｆｏｒ  ＤＲＸ」時間期間内では、端末デバイスは、電力消費量を低減するためにＰＤＣＣＨを監視しないことがある。
【０２０６】
代替として、ネットワークデバイスは、インジケーション情報を使用することによって、ＰＤＣＣＨ監視を実施するための端末デバイスの電力消費量を低減するために、インジケーション情報を端末デバイスに送る。このインジケーション情報は、端末デバイスが以下のいくつかのスロット（ｓｌｏｔ）内のＰＤＣＣＨを監視する必要がないことを示すために使用される。代替として、ネットワークデバイスは、インジケーション情報が送られた後に存在するオン持続時間内に端末デバイスがＰＤＣＣＨを監視する必要があるまたはＰＤＣＣＨを監視する必要がないことを示すために、オン持続時間の前にインジケーション情報を送る。
【０２０７】
端末デバイスの電力消費量を低減するための前述の２つの解決策では、端末デバイスは、端末デバイスのためにネットワークデバイスによって構成された探索空間内のすべてのＰＤＣＣＨを監視し、これを復号することを試みる必要がある。この場合、電力消費量は無視できない。たとえば、ＮＲでは、最大１０の探索空間が、端末が現在構成されているＢＷＰ（Ｂａｎｄｗｉｄｔｈ  ｐａｒｔ）内で通信を実施するとき、その端末のために構成されてよい。ＤＲＸサイクル中のオン持続時間内で、ＵＥは、１０の探索空間内に含まれるすべてのＰＤＣＣＨを監視し、これを復号することを試みる必要があり、非常に高い電力消費量につながる。
【０２０８】
本発明の実施形態は、監視方法を提供する。端末デバイスは、第１の探索空間構成および第２の探索空間構成を取得する。第１の探索空間構成は第１の探索空間セットを含み、第２の探索空間構成は第２の探索空間セットを含み、第１の探索空間セットは第２の探索空間セットとは異なる。代替として、第１の探索空間構成は第１の探索空間パラメータを含み、第２の探索空間構成は第２の探索空間パラメータを含み、第１の探索空間パラメータは第２の探索空間パラメータとは異なる。さらに、第１の条件が満たされた場合、端末デバイスは、第１の探索空間構成に基づいて物理ダウンリンク制御チャネルＰＤＣＣＨを監視する。この第１の条件は、第１のタイマーが実行状態でないことを含む。第２の条件が満たされた場合、端末デバイスは、第２の探索空間構成に基づいてＰＤＣＣＨを監視する。この第２の条件は、第１のタイマーが実行状態であることを含む。本発明のこの実施形態では、第１の探索空間構成と第２の探索空間構成は異なる探索空間セットであってよく、第１の探索空間セットおよび／または第２の探索空間セットは、端末デバイスの探索空間のすべてを含むとは限らない。この場合、端末デバイスは、端末デバイスの探索空間のいくつかのみにおいてＰＤＣＣＨを監視する必要がある。これは、端末デバイスの電力消費量を大きく低減する。確かに、第１の探索空間構成と第２の探索空間構成は、異なる探索空間パラメータであってよい。本発明のこの実施形態では、ＰＤＣＣＨを監視するために端末デバイスによって使用されるリソースは、端末デバイスの電力消費量を低減するように端末デバイスのための異なる探索空間パラメータを構成することによって調整されてよい。
【０２０９】
本発明の実施形態は、端末デバイス３０を提供する。図３に図示されるように、端末デバイス３０は、本発明の実施形態を含む。本発明の実施形態において提供される監視方法および通信方法は、図３に図示される端末デバイスに適用され得る。図３に図示されるように、端末デバイスは、少なくとも１つのプロセッサ３０１と、メモリ３０２と、トランシーバ３０３と、通信バス３０４とを含んでよい。
【０２１０】
以下は、図３を参照しながら、端末デバイスの構成要素を詳細に説明する。
【０２１１】
プロセッサ３０１は、端末デバイスの制御センタであり、プロセッサであってもよいし、複数の処理要素の総称であってもよい。たとえば、プロセッサ３０１は、中央処理ユニット（ｃｅｎｔｒａｌ  ｐｒｏｃｅｓｓｉｎｇ  ｕｎｉｔ、ＣＰＵ）であり、または、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）であってもよいし、本出願の実施形態を実装する１つもしくは複数の集積回路、たとえば、１つもしくは複数のマイクロプロセッサ（ｄｉｇｉｔａｌ  ｓｉｇｎａｌ  ｐｒｏｃｅｓｓｏｒ、ＤＳＰ）もしくは１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成されてもよい。
【０２１２】
プロセッサ３０１は、端末デバイスのさまざまな機能を実施するために、メモリ３０２内に記憶されたソフトウェアプログラムを実行し（ｒｕｎ  ｏｒ  ｅｘｅｃｕｔｅ）、メモリ３０２内に記憶されたデータを呼び出し得る。
【０２１３】
特定の実装では、実施形態において、プロセッサ３０１は、１つまたは複数のＣＰＵ、たとえば、図３に図示されるＣＰＵ０およびＣＰＵ１を含むことがある。
【０２１４】
特定の実装では、実施形態において、端末デバイスは、複数のプロセッサ、たとえば、図３に図示されるプロセッサ３０１およびプロセッサ３０５を含むことがある。プロセッサの各々は、シングルコア（シングルＣＰＵ）プロセッサであってもよいし、マルチコア（マルチＣＰＵ）プロセッサであってもよい。本明細書におけるプロセッサは、データ（たとえば、コンピュータプログラム命令）を処理するように構成された１つまたは複数の端末デバイス、回路、および／または処理コアを指すことがある。
【０２１５】
メモリ３０２は、読み出し専用メモリ（ｒｅａｄ−ｏｎｌｙ  ｍｅｍｏｒｙ、ＲＯＭ）または静的情報および命令を記憶することが可能である別のタイプの静的記憶装置端末デバイスであってもよいし、ランダムアクセスメモリ（ｒａｎｄｏｍ  ａｃｃｅｓｓ  ｍｅｍｏｒｙ、ＲＡＭ）または情報および命令を記憶することが可能である別のタイプの動的記憶装置端末デバイスであってもよいし、電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）もしくは他のコンパクトディスク記憶装置、光ディスク記憶装置（圧縮光ディスク、レーザディスク、光ディスク、デジタル多用途光ディスク、ｂｌｕｅ−ｒａｙ光ディスクなどを含む）、磁気ディスク記憶媒体もしくは別の磁気記憶装置端末デバイス、または命令もしくはデータ構造の形で予想プログラムコードを搬送もしくは記憶することが可能であり、コンピュータによってアクセスされることが可能である他の任意の媒体であってもよいが、それらに限定されない。メモリ３０２は、独立して存在してよく、通信バス３０４を通じてプロセッサ３０１に接続される。メモリ３０２は、代替として、プロセッサ３０１と統合されてよい。
【０２１６】
メモリ３０２は、本発明の解決策を実施するためのソフトウェアプログラムを記憶するように構成され、プロセッサ３０１は、ソフトウェアプログラムの実行を制御する。
【０２１７】
トランシーバ３０３は、トランシーバタイプの任意の端末デバイスであり、別の端末デバイスとの通信のために使用される。確かに、トランシーバ３０３は、イーサネット、無線アクセスネットワーク（ｒａｄｉｏ  ａｃｃｅｓｓ  ｎｅｔｗｏｒｋ、ＲＡＮ）、またはワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信するようにさらに構成されてよい。トランシーバ３０３は、受信機能を実装するための受信ユニットと、送出機能を実装するための送出ユニットとを含み得る。
【０２１８】
通信バス３０４は、インダストリスタンダードアーキテクチャ（Ｉｎｄｕｓｔｒｙ  Ｓｔａｎｄａｒｄ  Ａｒｃｈｉｔｅｃｔｕｒｅ、ＩＳＡ）バス、ペリフェラルコンポーネントインターコネクト（Ｐｅｒｉｐｈｅｒａｌ  Ｃｏｍｐｏｎｅｎｔ、ＰＣＩ）バス、拡張インダストリスタンダードアーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、制御バスなどに分類され得る。表現の容易さのために、図３ではバスを表現するために１つの太い線のみが使用されているが、これは、１つのバスのみまたは１つのタイプのバスのみがあることを意味しない。
【０２１９】
図３に図示される端末デバイス構造は、端末デバイスに対する制限を構成しない。端末デバイスは、図に図示されるそれらよりも多いまたは少ない構成要素を含んでもよいし、いくつかの構成要素を組み合わせてもよいし、異なる構成要素配置を有してもよい。
【０２２０】
本発明の実施形態は、監視方法を提供する。図４に図示されるように、方法は、以下のステップを含む。
【０２２１】
ステップ４０１：端末デバイスは、第１の探索空間構成および第２の探索空間構成を取得する。
【０２２２】
特定の実装では、端末デバイスは、ネットワークデバイスによって配信されるシグナリングを通じて第１の探索空間構成および第２の探索空間構成を取得することもあり、または、あらかじめ構成された第１の探索空間構成および第２の探索空間構成を取得することもある。具体的には、ネットワークデバイスは、２つのシグナリングを通じて第１の探索空間構成および第２の探索空間構成に通知することがある。たとえば、端末デバイスは、ネットワークデバイスによって送られた第１の情報を受信し、この第１の情報は、第１の探索空間構成を含むまたは示す。そして、端末デバイスは、ネットワークデバイスによって送られた第２の情報を受信し、この第２の情報は、第２の探索空間構成を含むまたは示す。言い換えれば、ネットワークデバイスは、第１の情報および第２の情報を２つのシグナリングへとカプセル化し、この２つのシグナリングを端末デバイスに別個に配信する。確かに、ネットワークデバイスは、代替として、第１の情報および第２の情報を１つのシグナリングへとカプセル化し、このシグナリングを端末デバイスに配信することがある。代替として、ネットワークデバイスは、第１の探索空間構成および第２の探索空間構成のうちの１つのみを端末デバイスに通知することがあり、端末デバイスは、第１の探索空間構成に基づいて第２の探索空間構成を得る、または第２の探索空間構成に基づいて第１の探索空間構成を得ることがある。探索空間構成は、探索空間セット、すなわち、１つまたは複数の探索空間を含むセットであってよいことが留意されるべきである。端末デバイスは、探索空間に基づいて、監視される必要があるＰＤＣＣＨのセットを決定することがある。代替として、探索空間構成は、探索空間パラメータ、たとえば、ＰＤＣＣＨ監視期間、各ＰＤＣＣＨ監視期間中のＰＤＣＣＨ監視持続時間、候補ＰＤＣＣＨの量、ＣＣＥアグリゲーションレベル、または関連する制御リソースセットのうちの１つまたは複数であってよい。端末デバイスは、探索空間パラメータに基づいて、監視される必要があるＰＤＣＣＨのために使用されるべきリソースを決定することがある。
【０２２３】
いくつかの実施形態では、第１の探索空間構成は第１の探索空間セットを含み、第２の探索空間構成は第２の探索空間セットを含み、第１の探索空間セットは、第２の探索空間セットとは異なる。
【０２２４】
特定の実装では、第１の探索空間セットは、第２の探索空間セットのサブセットであってよい。たとえば、第２の探索空間セットは、探索空間１と、探索空間２と、探索空間３と、探索空間４と、探索空間５とを含み、第１の探索空間セットは、探索空間１と、探索空間２とを含む。
【０２２５】
任意選択で、第１の探索空間セットと第２の探索空間セットの交差セットは、空のセットであることがある。言い換えれば、第１の探索空間セットと第２の探索空間セットは、同じ探索空間を含まない。たとえば、第２の探索空間セットは、探索空間３と、探索空間４と、探索空間５とを含み、第１の探索空間セットは、探索空間１と、探索空間２とを含む。
【０２２６】
任意選択で、第１の探索空間セットと第２の探索空間セットの交差セットは、空でないセットであることがある。言い換えれば、第１の探索空間セットと第２の探索空間セットは、同じ探索空間を含む。たとえば、第２の探索空間セットは、探索空間３と、探索空間４と、探索空間５とを含み、第１の探索空間セットは、探索空間２と、探索空間３とを含む。
【０２２７】
ネットワークデバイスは、端末デバイスのためにＢＷＰ（すなわち、システム帯域幅の一部）を構成することがあり、端末デバイスは、ネットワークデバイスによって構成されたＢＷＰ内のネットワークデバイスと通信することがある。ＢＷＰは、アップリンクＢＷＰおよびダウンリンクＢＷＰに分割され得る。端末デバイスは、アップリンクＢＷＰ内のネットワークデバイスにアップリンクデータを送り、ダウンリンクＢＷＰ内で、ネットワークデバイスによって送られるＰＤＣＣＨなどのダウンリンクデータを受信する。通常、端末デバイスのサービングセルのダウンリンクＢＷＰごとに、最大１０の探索空間が端末デバイスのために構成され得る。探索空間の各々に対して、探索空間インデックス、関連する制御リソースセット、ＰＤＣＣＨ監視期間、各ＰＤＣＣＨ監視期間中のＰＤＣＣＨ監視持続時間、各制御チャネル要素（ｃｏｎｔｒｏｌ  ｃｈａｎｎｅｌ  ｅｌｅｍｅｎｔｓ、ＣＣＥ）アグリゲーションレベルにおける候補ＰＤＣＣＨの量、および監視のためのＤＣＩフォーマット（ＤＣＩ  ｆｏｒｍａｔ）、の探索空間パラメータのうちの１つまたは複数が、ＵＥのために構成され得る。ＰＤＣＣＨ監視期間およびＰＤＣＣＨ監視持続時間の時間単位は、スロット（ｓｌｏｔ）である。端末デバイスは、制御リソースセットおよび探索空間に基づいて、監視される必要がある候補ＰＤＣＣＨのために使用されるべきリソースを決定し得る。さらに、ネットワークデバイスは、各端末デバイスのために探索空間を構成し得る。たとえば、ＵＥ固有（ＵＥに固有の）ＰＤＣＣＨパラメータは、端末デバイスが、端末デバイスのために、ＰＤＣＣＨを監視するための探索空間を具体的に構成するために構成され、端末デバイスがＰＤＣＣＨを監視し得る探索空間は、端末デバイスのＵＥ固有ＰＤＣＣＨパラメータ内の１つまたは複数の探索空間である。代替として、ネットワークデバイスは、セルごとに探索空間を構成することがある。たとえば、セル固有（セルに固有の）ＰＤＣＣＨパラメータは、端末デバイスが、端末デバイスのために、ＰＤＣＣＨを監視するための探索空間を構成するために構成され、端末デバイスのために構成されるセル固有ＰＤＣＣＨパラメータは、端末デバイスが置かれたサービングセル内の別の端末デバイスのために構成されたセル固有ＰＤＣＣＨパラメータと同じである。
【０２２８】
特定の実装では、第１の探索空間セットおよび第２の探索空間セット内の探索空間は、ＵＥ固有ＰＤＣＣＨパラメータ内の１つまたは複数の探索空間であることがある。
【０２２９】
任意選択で、第１の探索空間セットは、セル固有ＰＤＣＣＨパラメータ内の探索空間と、ＵＥ固有ＰＤＣＣＨパラメータ内の１つまたは複数の探索空間とを含み、第２の探索空間セットは、端末デバイスのために構成されたすべての探索空間を含む。たとえば、端末デバイスのために構成されるセル固有ＰＤＣＣＨパラメータは、探索空間１と、探索空間２とを含み、端末デバイスのために構成されるＵＥ固有ＰＤＣＣＨパラメータは、探索空間３と、探索空間４と、探索空間５とを含む。第１の探索空間セットは、探索空間１と、探索空間２と、探索空間３とを含み、第２の探索空間セットは、探索空間１と、探索空間２と、探索空間３と、探索空間４と、探索空間５とを含む。
【０２３０】
任意選択で、第１の探索空間セットおよび第２の探索空間セットは各々、セル固有ＰＤＣＣＨパラメータ内の探索空間と、ＵＥ固有ＰＤＣＣＨパラメータ内の１つまたは複数の探索空間とを含む。いくつかの実施形態では、第１の探索空間セットと第２の探索空間セットは、セル固有ＰＤＣＣＨパラメータ内の同じ探索空間を含み、第１の探索空間セットと第２の探索空間セットは、ＵＥ固有ＰＤＣＣＨパラメータ内の異なる探索空間を含む。たとえば、セル固有ＰＤＣＣＨパラメータは、探索空間１と、探索空間２とを含み、ＵＥ固有ＰＤＣＣＨパラメータは、探索空間３と、探索空間４と、探索空間５とを含む。第１の探索空間セット内に含まれるＵＥ固有ＰＤＣＣＨパラメータ内のすべての探索空間は、第２の探索空間セット内に含まれるＵＥ固有ＰＤＣＣＨパラメータ内のそれらとは異なり、たとえば、第１の探索空間は、探索空間１と、探索空間２と、探索空間３とを含み、探索空間の第２のグループは、探索空間１と、探索空間２と、探索空間４と、探索空間５とを含む。第１の探索空間セット内に含まれるＵＥ固有ＰＤＣＣＨパラメータ内のすべての探索空間は、第２の探索空間セット内に含まれるＵＥ固有ＰＤＣＣＨパラメータ内のそれらとは異なる、たとえば、探索空間の第１のグループは、探索空間１と、探索空間２と、探索空間３と、探索空間４とを含み、探索空間の第２のグループは、探索空間１と、探索空間２と、探索空間４と、探索空間５とを含む。
【０２３１】
任意選択で、第１の探索空間セットは、セル固有ＰＤＣＣＨパラメータ内の探索空間を含み、第２の探索空間セットは、セル固有ＰＤＣＣＨパラメータ内の探索空間と、ＵＥ固有ＰＤＣＣＨパラメータ内の探索空間とを含む。
【０２３２】
いくつかの実施形態では、第１の探索空間セットは、端末デバイスのデフォルト探索空間を含むセットであることがある。ネットワークデバイスは、端末デバイスのための１つまたは複数のデフォルト探索空間を構成することがある。デフォルト探索空間は、端末デバイスのためにネットワークデバイスによって構成されたすべての探索空間のサブセットであってよい。
【０２３３】
いくつかの実施形態では、第１の探索空間セットと関連する制御リソースセットは、ＵＥのデフォルト制御リソースセットである。ネットワークデバイスは、端末デバイスのための１つまたは複数の制御リソースセットを構成することがあり、端末デバイスのためにネットワークデバイスによって構成された「１つまたは複数の制御リソースセット」は、端末デバイスのデフォルト制御リソースセットと呼ばれることがあることが留意されるべきである。
【０２３４】
いくつかの実施形態では、ＰＤＣＣＨを監視するためのリソースは、同じ探索空間内で異なる探索空間パラメータを使用することによって調整されることがある。本発明のこの実施形態では、第１の探索空間構成は第１の探索空間パラメータを含み、第２の探索空間構成は第２の探索空間パラメータを含み、第１の探索空間パラメータは第２の探索空間パラメータとは異なる。言い換えれば、端末デバイスは、異なる探索空間パラメータに基づいてＰＤＣＣＨを監視することがある。たとえば、端末デバイスは、異なるＰＤＣＣＨ監視期間に基づいてＰＤＣＣＨを監視する、端末デバイスは、異なるＰＤＣＣＨ監視持続時間に基づいてＰＤＣＣＨを監視する、または、端末デバイスは、異なる量の候補ＰＤＣＣＨに基づいてＰＤＣＣＨを監視する。探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、または関連する制御リソースセット、のうちの１つまたは複数を含むことがある。任意選択で、候補ＰＤＣＣＨの量は、各ＣＣＥアグリゲーションレベルにおける候補ＰＤＣＣＨの量であることがある。
【０２３５】
いくつかの実施形態では、第２の探索空間パラメータは、端末デバイスのために構成されることがあり、端末デバイスは、第２の探索空間パラメータに基づいて第１の探索空間パラメータを決定することがある。特定の実装では、端末デバイスは、第２の探索空間パラメータおよびスケールファクタに基づいて第１の探索空間パラメータを決定することがある。このスケールファクタは、ネットワークデバイスによって構成されてもよいし、あらかじめ規定されてもよい。たとえば、第１の探索空間パラメータは第１のＰＤＣＣＨ監視期間を含み、第２の探索空間パラメータは第２のＰＤＣＣＨ監視期間を含む。ネットワークデバイスは、端末デバイスのために第２のＰＤＣＣＨ監視期間を構成し、端末デバイスは、第１のＰＤＣＣＨ監視期間は第２のＰＤＣＣＨ監視期間とスケールファクタの積であると決定する。
【０２３６】
いくつかの実施形態では、第１の探索空間パラメータは、デフォルト探索空間パラメータであることがある。デフォルト探索空間パラメータは、端末デバイスのためにネットワークデバイスによってあらかじめ構成された探索空間パラメータであることがある。たとえば、ネットワークデバイスは、端末デバイスのためにＰＤＣＣＨ監視期間または候補ＰＤＣＣＨの量を構成する。
【０２３７】
いくつかの実施形態では、第１の探索空間セット内の関連する制御リソースセットは、ＵＥのデフォルト制御リソースセットである。
【０２３８】
特定の実装では、第１の探索空間パラメータおよび第２の探索空間パラメータは、探索空間ＩＥ（情報要素）内に示されることがある。たとえば、探索空間パラメータは、監視期間およびオフセットパラメータであることがある。第１の探索空間パラメータおよび第２の探索空間パラメータが、探索空間ＩＥに追加される。第１の探索空間パラメータと第２の探索空間パラメータは異なる監視期間を含み、第１の探索空間パラメータと第２の探索空間パラメータは異なるオフセットパラメータを含み、第１の探索空間パラメータと第２の探索空間パラメータは、ＰＤＣＣＨを監視するための異なるリソースを示す。端末デバイスは、異なるリソースに基づいてＰＤＣＣＨを監視することがある。
【０２３９】
第１の条件が満たされた場合は、ステップ４０２が実施される。第２の条件が満たされた場合は、ステップ４０３が実施される。
【０２４０】
ステップ４０２：端末デバイスは、第１の条件が満たされた場合、第１の探索空間構成に基づいて物理ダウンリンク制御チャネルＰＤＣＣＨを監視し、この第１の条件は、第１のタイマーが実行状態でないことを含む。
【０２４１】
ステップ４０３：端末デバイスは、第２の条件が満たされた場合、第２の探索空間構成に基づいてＰＤＣＣＨを監視し、この第２の条件は、第１のタイマーが実行状態であることを含む。
【０２４２】
特定の実装では、第１のタイマーの持続時間は、ＲＲＣシグナリングを通じてネットワークデバイスによって構成されることがある。いくつかの実施形態では、タイマーの持続時間は、不活動タイマー（ｄｒｘ−ＩｎａｃｔｉｖｉｔｙＴｉｍｅｒ）の持続時間よりも小さい。確かに、本発明のこの実施形態では、第１のタイマーは、代替として、ｄｒｘ−ＩｎａｃｔｉｖｉｔｙＴｉｍｅｒであってよく、端末デバイスが新しい送信をスケジュールするためにＰＤＣＣＨを正常に復号した後に端末デバイスによってＰＤＣＣＨを監視する時間長を決定するために使用される。
【０２４３】
たとえば、第１のタイマーは、ＲＲＣシグナリングを通じてネットワークデバイスによって構成されるタイマーである。図４ａを参照すると、タイマーは、最初は瞬間Ｔ１に開始されず、タイマーは瞬間Ｔ２に開始される。したがって、タイマーは、瞬間Ｔ１から瞬間Ｔ２まで実行状態でなく、端末デバイスは、第１の探索空間構成に基づいてＰＤＣＣＨを監視する。タイマーは、瞬間Ｔ２から瞬間Ｔ３まで実行状態であり、端末デバイスは、第２の探索空間構成に基づいてＰＤＣＣＨを監視する。
【０２４４】
本発明のこの実施形態で説明されるさまざまなタイプのタイマーが開始されると、タイマーは、タイマーが停止されるまたは満了するまで実行状態であることが留意されるべきである。タイマーが開始されない場合、タイマーは実行状態でない。タイマーが実行状態でない場合、タイマーは開始されてよい。タイマーが実行状態である場合、タイマーは再開されてよい。タイマーの値は、タイマーが開始または再開されるときのタイマーの初期値である。タイマーの時間長は、タイマーが開始または再開瞬間から満了瞬間まで連続的に実行する時間長と理解されてよい。
【０２４５】
本発明のこの実施形態は、ステップ４０２における第１の条件の他の可能な実装をさらに提供する。第１の条件は、具体的には、以下の４つの可能な場合を含んでよい。
【０２４６】
（１）第１のタイマーが実行状態でないことを含むことに加えて、第１の条件は、第３のタイマーが実行状態であることをさらに含む。
【０２４７】
第３のタイマーは、１つの間欠受信ＤＲＸサイクル中に端末デバイスによってＰＤＣＣＨを監視する時間長を決定するために使用されることが留意されるべきである。たとえば、第３のタイマーは、オン持続時間タイマー、ｏｎＤｕｒａｔｉｏｎＴｉｍｅｒ、またはｄｒｘ−ｏｎＤｕｒａｔｉｏｎＴｉｍｅｒである。言い換えれば、第１のタイマーは実行状態でなく、第３のタイマーは実行状態である場合、端末デバイスは、第１の探索空間構成に基づいてＰＤＣＣＨを監視する。第３のタイマーは、ＤＲＸサイクルの開始瞬間に開始されてよい。代替として、第３のタイマーは、ＤＲＸサイクル中のオン持続時間（Ｏｎ  Ｄｕｒａｔｉｏｎ）の開始瞬間に開始され、第３のタイマーの時間長はオン持続時間の長さである。
【０２４８】
（２）いくつかの実施形態では、第１のタイマーが実行状態でないことを含むことに加えて、第１の条件は、端末デバイスがＤＲＸサイクル中のオン持続時間内であることをさらに含むことがある。言い換えれば、第１のタイマーが実行状態でなく、端末デバイスがＤＲＸサイクル中のオン持続時間内である場合、端末デバイスは、第１の探索空間構成に基づいて物理ダウンリンク制御チャネルＰＤＣＣＨを監視する。
【０２４９】
（３）いくつかの実施形態では、第１のタイマーが実行状態でないことを含むことに加えて、第１の条件は、ダウンリンク再送信タイマー（ｄｒｘ−Ｒｅｔｒａｎｓｍｉｓｓｉｏｎ  ＴｉｍｅｒＤＬまたはｄｒｘ−ＲｅｔｒａｎｓｍｉｓｓｉｏｎＴｉｍｅｒなど）が実行状態でない、アップリンク再送信タイマー（ｄｒｘ−Ｒｅｔｒａｎｓｍｉｓｓｉｏｎ  ＴｉｍｅｒＵＬまたはｄｒｘ−ＵＬＲｅｔｒａｎｓｍｉｓｓｉｏｎＴｉｍｅｒなど）が実行状態でない、競合解消タイマー（ｒａ−ＣｏｎｔｅｎｔｉｏｎＲｅｓｏｌｕｔｉｏｎＴｉｍｅｒまたはｍａｃ−ＣｏｎｔｅｎｔｉｏｎＲｅｓｏｌｕｔｉｏｎＴｉｍｅｒなど）が実行状態でない、端末デバイスによって送られたスケジューリング要求が保留状態でない、および端末デバイスが、「端末デバイスがランダムアクセス応答ＲＡＲを正常に受信した後に、新しい送信を示すために使用されるＰＤＣＣＨを受信しない」状態ではなく、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つまたは複数をさらに含む。
【０２５０】
たとえば、いくつかの実施形態では、第１のタイマーが実行状態でなく、ダウンリンク再送信タイマーが実行状態でない場合、端末デバイスは、第１の探索空間構成に基づいて物理ダウンリンク制御チャネルＰＤＣＣＨを監視する。いくつかの他の実施形態では、第１のタイマーが実行状態でなく、ダウンリンク再送信タイマーが実行状態でなく、アップリンク再送信タイマーも実行状態でない場合、端末デバイスは、第１の探索空間構成に基づいて物理ダウンリンク制御チャネルＰＤＣＣＨを監視する。いくつかの他の実施形態では、第１のタイマーが実行状態でなく、第３のタイマーが実行状態であり、ダウンリンク再送信タイマーが実行状態でない場合、端末デバイスは、第１の探索空間構成に基づいて物理ダウンリンク制御チャネルＰＤＣＣＨを監視する。
【０２５１】
アップリンク再送信タイマーは、アップリンク再送信を示すために使用されるＰＤＣＣＨを監視する時間長を決定するために使用され、ダウンリンク再送信タイマーは、ダウンリンク再送信を示すために使用されるＰＤＣＣＨを監視する時間長を決定するために使用される。競合解消タイマーは、端末デバイスがランダムアクセスプロセスにおいてメッセージ３を送った後に端末デバイスによって、メッセージ４を示すために使用されるＰＤＣＣＨを監視する時間長を決定するために使用される。
【０２５２】
（４）いくつかの実施形態では、第１の条件は、端末デバイスが第１の瞬間と第２の瞬間との間にあることである。第２の瞬間は第３の瞬間であり、この第３の瞬間は、端末デバイスが第１の瞬間の後に第ＮのＰＤＣＣＨを受信する瞬間である。代替として、第２の瞬間は、第３の瞬間よりも第１の持続時間後の瞬間である。Ｎは、１以上の整数であり、第１の持続時間の長さは０よりも大きい。端末デバイスは、第１の条件が満たされた場合、第１の探索空間構成に基づいてＰＤＣＣＨを監視する。第２の条件は、端末デバイスが第２の瞬間の後にあることである。端末デバイスは、第２の条件が満たされた場合、第２の探索空間構成に基づいてＰＤＣＣＨを監視する。いくつかの実施形態では、第１の瞬間は、ＤＲＸオン持続時間の開始瞬間であることがある。いくつかの実施形態では、不活動タイマーがＤＲＸサイクル中のオン持続時間内で満了する場合、第１の瞬間は、不活動タイマーが満了する瞬間である。
【０２５３】
いくつかの実施形態では、端末デバイスは、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信せず、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、第２の探索空間構成に基づいてＰＤＣＣＨを監視する。
【０２５４】
特定の実装では、ダウンリンク再送信タイマーが実行状態である場合、端末デバイスは、第２の探索空間構成に基づいてＰＤＣＣＨを監視する。
【０２５５】
アップリンク再送信タイマーが実行状態である場合、端末デバイスは、第２の探索空間構成に基づいてＰＤＣＣＨを監視する。
【０２５６】
競合解消タイマーが実行状態である場合、端末デバイスは、第２の探索空間構成に基づいてＰＤＣＣＨを監視する。
【０２５７】
端末デバイスによって送られるスケジューリング要求が保留状態である場合、端末デバイスは、第２の探索空間構成に基づいてＰＤＣＣＨを監視する。
【０２５８】
端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２５９】
ダウンリンク再送信タイマーが実行状態である、またはアップリンク再送信タイマーが実行状態である場合、端末デバイスは、第２の探索空間構成に基づいてＰＤＣＣＨを監視する。
【０２６０】
ダウンリンク再送信タイマーが実行状態である、または競合解消タイマーが実行状態である場合、端末デバイスは、第２の探索空間構成に基づいてＰＤＣＣＨを監視する。
【０２６１】
ダウンリンク再送信タイマーが実行状態である、または端末デバイスによって送られたスケジューリング要求が保留状態である場合、端末デバイスは、第２の探索空間構成に基づいてＰＤＣＣＨを監視する。
【０２６２】
ダウンリンク再送信タイマーが実行状態である、または、端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２６３】
アップリンク再送信タイマーが実行状態である、または競合解消タイマーが実行状態である場合、端末デバイスは、第２の探索空間構成に基づいてＰＤＣＣＨを監視する。
【０２６４】
アップリンク再送信タイマーが実行状態である、または端末デバイスによって送られたスケジューリング要求が保留状態である場合、端末デバイスは、第２の探索空間構成に基づいてＰＤＣＣＨを監視する。
【０２６５】
アップリンク再送信タイマーが実行状態である、または、端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２６６】
競合解消タイマーが実行状態である、または端末デバイスによって送られたスケジューリング要求が保留状態である場合、端末デバイスは、第２の探索空間構成に基づいてＰＤＣＣＨを監視する。
【０２６７】
競合解消タイマーが実行状態である、または、端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２６８】
端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２６９】
ダウンリンク再送信タイマーが実行状態である、またはアップリンク再送信タイマーが実行状態である、または競合解消タイマーが実行状態である場合、端末デバイスは、第２の探索空間構成に基づいてＰＤＣＣＨを監視する。
【０２７０】
ダウンリンク再送信タイマーが実行状態である、またはアップリンク再送信タイマーが実行状態である、または端末デバイスによって送られたスケジューリング要求が保留状態である場合、端末デバイスは、第２の探索空間構成に基づいてＰＤＣＣＨを監視する。
【０２７１】
ダウンリンク再送信タイマーが実行状態である、またはアップリンク再送信タイマーが実行状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７２】
アップリンク再送信タイマーが実行状態である、または競合解消タイマーが実行状態である、または端末デバイスによって送られたスケジューリング要求が保留状態である場合、端末デバイスは、第２の探索空間構成に基づいてＰＤＣＣＨを監視する。
【０２７３】
アップリンク再送信タイマーが実行状態である、または競合解消タイマーが実行状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７４】
競合解消タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７５】
ダウンリンク再送信タイマーが実行状態である、または競合解消タイマーが実行状態である、または端末デバイスによって送られたスケジューリング要求が保留状態である場合、端末デバイスは、第２の探索空間構成に基づいてＰＤＣＣＨを監視する。
【０２７６】
ダウンリンク再送信タイマーが実行状態である、または競合解消タイマーが実行状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７７】
アップリンク再送信タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７８】
ダウンリンク再送信タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２７９】
ダウンリンク再送信タイマーが実行状態である、またはアップリンク再送信タイマーが実行状態である、または競合解消タイマーが実行状態である、または端末デバイスによって送られたスケジューリング要求が保留状態である場合、端末デバイスは、第２の探索空間構成に基づいてＰＤＣＣＨを監視する。
【０２８０】
ダウンリンク再送信タイマーが実行状態である、またはアップリンク再送信タイマーが実行状態である、または競合解消タイマーが実行状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２８１】
ダウンリンク再送信タイマーが実行状態である、またはアップリンク再送信タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２８２】
アップリンク再送信タイマーが実行状態である、または競合解消タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２８３】
ダウンリンク再送信タイマーが実行状態である、または競合解消タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２８４】
ダウンリンク再送信タイマーが実行状態である、またはアップリンク再送信タイマーが実行状態である、または競合解消タイマーが実行状態である、または端末デバイスによって送られたスケジューリング要求が保留状態である、または端末デバイスが、ランダムアクセス応答ＲＡＲを正常に受信した後に、新しい送信を示すために使用されるＰＤＣＣＨを受信しない場合、端末デバイスは、第２の探索空間構成に基づいてＰＤＣＣＨを監視する。
【０２８５】
さらに、端末デバイスによって監視されるＰＤＣＣＨは、セル無線ネットワーク一時識別子（ｃｅｌｌ  ｒａｄｉｏ  ｎｅｔｗｏｒｋ  ｔｅｍｐｏｒａｒｙ  ｉｄｅｎｔｉｔｙ、Ｃ−ＲＮＴＩ）、構成されたスケジューリング無線ネットワーク一時識別子（Ｃｏｎｆｉｇｕｒｅｄ  Ｓｃｈｅｄｕｌｉｎｇ  ＲＮＴＩ、ＣＳ−ＲＮＴＩ）、割り込み無線ネットワーク一時識別子（Ｉｎｔｅｒｒｕｐｔｉｏｎ  ＲＮＴＩ、ＩＮＴ−ＲＮＴＩ）、スロットフォーマットインジケーション無線ネットワーク一時識別子（Ｓｌｏｔ  Ｆｏｒｍａｔ  Ｉｎｄｉｃａｔｉｏｎ  ＲＮＴＩ、ＳＦＩ−ＲＮＴＩ）、半永続的チャネル状態情報無線ネットワーク一時識別子（Ｓｅｍｉ−Ｐｅｒｓｉｓｔｅｎｔ  ＣＳＩ  ＲＮＴＩ、ＳＰ−ＣＳＩ−ＲＮＴＩ）、送信電力制御無線ネットワーク一時識別子（Ｔｒａｎｓｍｉｔ  Ｐｏｗｅｒ  Ｃｏｎｔｒｏｌ  ＲＮＴＩ、ＴＰＣ−ＰＵＣＣＨ−ＲＮＴＩ）、送信電力制御物理アップリンク共有チャネル無線ネットワーク一時識別子（Ｔｒａｎｓｍｉｔ  Ｐｏｗｅｒ  Ｃｏｎｔｒｏｌ  Ｐｈｙｓｉｃａｌ  Ｕｐｌｉｎｋ  Ｓｈａｒｅｄ  Ｃｈａｎｎｅｌ  ＲＮＴＩ、ＴＰＣ−ＰＵＳＣＨ−ＲＮＴＩ）、または送信電力制御サウンディング参照信号無線ネットワーク一時識別子（Ｔｒａｎｓｍｉｔ  Ｐｏｗｅｒ  Ｃｏｎｔｒｏｌ  Ｓｏｕｎｄｉｎｇ  Ｒｅｆｅｒｅｎｃｅ  Ｓｉｇｎａｌ  ＲＮＴＩ、ＴＰＣ−ＳＲＳ−ＲＮＴＩ）を使用することによってスクランブルされたＰＤＣＣＨであってよい。
【０２８６】
特定の実装では、端末デバイスは、ＰＤＣＣＨが受信されるかどうかを決定するためにＰＤＣＣＨを監視する。端末デバイスがＰＤＣＣＨを受信することは、端末デバイスがＰＤＣＣＨを監視するとも考えられ得ることが留意されるべきである。端末デバイスは、端末デバイスがＰＤＣＣＨを受信した場合、第１のタイマーは開始もしくは再開される、端末デバイスが、データ送信を示すために使用されるＰＤＣＣＨを受信した場合、第１のタイマーは開始もしくは再開される、端末デバイスが、新しい送信を示すために使用されるＰＤＣＣＨを受信した場合、第１のタイマーは開始もしくは再開される、または第２のタイマーが開始もしくは再開された場合、端末デバイスは第１のタイマーを開始もしくは再開し、ここで、第２のタイマーは、端末デバイスが、新しい送信を示すために使用されるＰＤＣＣＨを受信した後に、端末デバイスによってＰＤＣＣＨを監視する時間長を決定するために使用される、のシナリオにおいて、第１のタイマーを開始または再開することがある。たとえば、第２のタイマーはｄｒｘ−ＩｎａｃｔｉｖｉｔｙＴｉｍｅｒである。データ送信を示すために使用されるＰＤＣＣＨは、アップリンク送信を示すために使用されるＰＤＣＣＨであってもよいし、ダウンリンク送信を示すために使用されるＰＤＣＣＨであってもよい。代替として、端末デバイスが、ネットワークデバイスによって送られたインジケーション情報を受信した場合、端末デバイスは、第１のタイマーを開始または再開する。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）を通じて送信されてもよいし、メディアアクセス制御制御要素（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）を通じて送信されてもよい。
【０２８７】
いくつかの実施形態では、端末デバイスは、第１の条件または第２の条件が満たされたかどうかを決定した結果に基づいて、ＰＤＳＣＨを受信するために使用されるべきＭＩＭＯレイヤ量をさらに決定することがある。たとえば、第１の条件が満たされた場合、ＰＤＣＣＨによって示されるＰＤＳＣＨを受信するために端末デバイスによって使用されるべき多入力多出力ＭＩＭＯレイヤ量は、第１のＭＩＭＯレイヤ量である、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量である。第１のＭＩＭＯレイヤ量は第２のＭＩＭＯレイヤ量とは異なり、第１のＭＩＭＯは最大ＭＩＭＯレイヤ量であってよく、第２のＭＩＭＯレイヤ量は第１のＭＩＭＯレイヤ量よりも小さい。
【０２８８】
端末デバイスは、ステップ４０１からステップ４０３において監視方法を使用することによって、セカンダリセル内のＰＤＣＣＨを監視し得ることが留意されるべきである。代替として、端末デバイスは、ステップ４０１からステップ４０３において監視方法を使用することによって、デフォルトＢＷＰまたは初期ＢＷＰ内でＰＤＣＣＨを監視することがある。任意選択で、端末デバイスは、代替として、ネットワークデバイスの構成に基づいて方法を使用することがある。たとえば、ネットワークデバイスが、電力節約モードを使用するように端末デバイスを構成する、ネットワークデバイスは、電力節約モードを使用するように端末デバイスに示すために、インジケーション情報を端末デバイスに送る。インジケーション情報を受信した後、端末デバイスは、ステップ４０１からステップ４０３において監視方法を使用することによって、ＰＤＣＣＨを監視する。ネットワークデバイスが、電力節約モードを使用するように端末デバイスを構成する前に、端末デバイスは、端末デバイスが電力節約モードを使用することを予想することを示すため、または端末デバイスの電力が比較的低いことを示すために、インジケーション情報をネットワークデバイスに送ってよい。
【０２８９】
本発明のこの実施形態は、第１の探索空間セットおよび第２の探索空間セットを構成するための方法をさらに提供する。具体的には、第１の構成方法から第３の構成方法の３つの構成方法がある。
【０２９０】
第１の構成方法では、探索空間のＩＥ（情報要素）内では、探索空間が第１の探索空間セットに属する、または探索空間が第２の探索空間セットに属することが示される。具体的には、以下の３つの可能な場合があり得る。
【０２９１】
（１）探索空間ＩＥは１つのインジケーション情報を含み、このインジケーション情報は、探索空間が第１の探索空間セットに属するか第２の探索空間セットに属するかどうかを示す。インジケーション情報は、２つの値を有し得る。一方の値は、探索空間が第１の探索空間セットに属することを示し、他方の値は、探索空間が第２の探索空間セットに属することを示す。たとえば、ＳｅａｒｃｈＳｐａｃｅＩＥはｓｅａｒｃｈＳｐａｃｅＧｒｏｕｐを含み、ｓｅａｒｃｈＳｐａｃｅＧｒｏｕｐの利用可能な値は、「ｆｉｒｓｔ」と「ｓｅｃｏｎｄ」とを含み、「ｆｉｒｓｔ」は、探索空間が第１の探索空間セットに属することを示し、「ｓｅｃｏｎｄ」は、探索空間が第２の探索空間セットに属することを示す。標準における特定の実装は、以下の通りであってよい。  
SearchSpace ::=                        SEQUENCE {
searchSpaceGroup
ENUMERATED {first, second}
}
【０２９２】
代替として、インジケーション情報は、３つの値を有してよい。１つの値は、探索空間が第１の探索空間セットに属することを示し、１つの値は、探索空間が第２の探索空間セットに属することを示し、もう１つの値は、探索空間が第１の探索空間セットと第２の探索空間セットの両方に属することを示す。たとえば、ＳｅａｒｃｈＳｐａｃｅ  ＩＥはｓｅａｒｃｈＳｐａｃｅＧｒｏｕｐを含み、ｓｅａｒｃｈＳｐａｃｅＧｒｏｕｐの利用可能な値は、「ｆｉｒｓｔ」と、「ｓｅｃｏｎｄ」と、「ｂｏｔｈ」とを含み、「ｆｉｒｓｔ」は、探索空間が第１の探索空間セットに属することを示し、「ｓｅｃｏｎｄ」は、探索空間が第２の探索空間セットに属することを示し、「ｂｏｔｈ」は、探索空間が第１の探索空間セットと第２の探索空間セットの両方に属することを示す。標準における特定の実装は、以下の通りであってよい。  
SearchSpace ::=                        SEQUENCE {
searchSpaceGroup
ENUMERATED {first, second, both}
}
【０２９３】
（２）探索空間ＩＥは１つのインジケーション情報を含み、このインジケーション情報は、探索空間が第１の探索空間セットに属するかどうかを示す。インジケーション情報は、２つの値を有する。一方の値は、探索空間が第１の探索空間セットに属することを示し、他方の値は、探索が第１の探索空間セットに属さないことを示す。たとえば、ＳｅａｒｃｈＳｐａｃｅ  ＩＥはｓｅａｒｃｈＳｐａｃｅＤｅｆａｕｌｔを含み、ｓｅａｒｃｈＳｐａｃｅＤｅｆａｕｌｔの利用可能な値は、「ｔｒｕｅ」と「ｆａｌｓｅ」とを含み、「ｔｒｕｅ」は、探索空間が第１の探索空間セットに属することを示し、「ｆａｌｓｅ」は、探索空間が第１の探索空間セットに属さないことを示す。標準における特定の実装は、以下の通りであってよい。  
SearchSpace ::=                        SEQUENCE {
searchSpaceDefault
ENUMERATED {true, false}
}
【０２９４】
任意選択で、探索空間が第１の探索空間セットに属さない場合、探索空間は、第２の探索空間セットに属する。探索空間が第１の探索空間セットに属する場合、探索空間は、第２の探索空間セットにも属することがあることが理解され得る。
【０２９５】
（３）探索空間ＩＥは１つのインジケーション情報を含み、このインジケーション情報は、探索空間が第２の探索空間セットに属するかどうかを示す。インジケーション情報は、２つの値を有する。一方の値は、探索空間が第２の探索空間セットに属することを示し、他方の値は、探索空間が第２の探索空間セットに属さないことを示す。たとえば、ＳｅａｒｃｈＳｐａｃｅ  ＩＥはｓｅａｒｃｈＳｐａｃｅＳｅｃｏｎｄＧｒｏｕｐを含み、ｓｅａｒｃｈＳｐａｃｅＳｅｃｏｎｄＧｒｏｕｐの利用可能な値は、「ｔｒｕｅ」と「ｆａｌｓｅ」とを含み、「ｔｒｕｅ」は、探索空間が第２の探索空間セットに属することを示し、「ｆａｌｓｅ」は、探索空間が第２の探索空間セットに属さないことを示す。標準における特定の実装は、以下の通りであってよい。  
SearchSpace ::=                        SEQUENCE {
searchSpaceFirstGroup
ENUMERATED {true, false}
}
【０２９６】
任意選択で、探索空間が第２の探索空間セットに属さない場合、探索空間は、第１の探索空間セットに属する。
【０２９７】
第２の構成方法では、構成シグナリングは、探索空間が第１の探索空間セットに属することを示すためのインジケーション情報を含む。たとえば、ＰＤＣＣＨ−Ｃｏｎｆｉｇ  ＩＥは、探索空間が第１の探索空間セットに属することを示すためのインジケーション情報ＤｅｆａｕｌｔＳｅａｒｃｈＳｐａｃｅを含み、ＤｅｆａｕｌｔＳｅａｒｃｈＳｐａｃｅは、１つまたは複数の探索空間ＩＥを含む。これらの探索空間ＩＥに対応する探索空間は、第１の探索空間セットに属する。標準における特定の実装は、以下の通りであってよい。  
PDCCH-Config ::=                        SEQUENCE {
DefaultSearchSpace      SearchSpace
}
【０２９８】
代替として、標準における特定の実装は、以下の通りであってよく、ここで、Ｎは１以上である。  
PDCCH-Config ::=                        SEQUENCE {
DefaultSearchSpace      SEQUENCE(SIZE (1..N)) OF SearchSpace
}
【０２９９】
任意選択で、第１の探索空間セットに属すると示されない探索空間は、第２の探索空間セットに属する。
【０３００】
第３の構成方法では、第１の探索空間セットのインジケーション情報は探索空間インデックスであってよく、探索空間インデックスは、第１の探索空間セットに属する探索空間を示すために使用される。たとえば、ＰＤＣＣＨ−Ｃｏｎｆｉｇ  ＩＥは、探索空間の第２のグループのインジケーション情報ＤｅｆａｕｌｔＳｅａｒｃｈＳｐａｃｅを含み、ＤｅｆａｕｌｔＳｅａｒｃｈＳｐａｃｅは、１つまたは複数の探索空間インデックスを含む。これらのインデックスに対応する探索空間は、第１の探索空間セットに属する。標準における特定の実装は、以下の通りであってよい。  
PDCCH-Config ::=                        SEQUENCE {
DefaultSearchSpace      SearchSpaceId
}
【０３０１】
代替として、標準における特定の実装は、以下の通りであってよく、ここで、Ｎは１以上である。  
PDCCH-Config ::=                        SEQUENCE {
DefaultSearchSpace      SEQUENCE(SIZE (1..N)) OF SearchSpaceId
}
【０３０２】
任意選択で、第１の探索空間セットに属すると示されない探索空間は、第２の探索空間セットに属する。
【０３０３】
さらに、本発明のこの実施形態は、第１の探索空間パラメータおよび第２の探索空間パラメータを構成するための方法をさらに提供する。具体的には、以下の２つの構成方法がある。
【０３０４】
第１の構成方法では、第１の探索空間パラメータおよび第２の探索空間パラメータは、探索空間ＩＥ（情報要素）内に示される。たとえば、第１の探索空間パラメータおよび第２の探索空間パラメータは各々、ＰＤＣＣＨ監視期間を含む。ＳｅａｒｃｈＳｐａｃｅ  ＩＥは、ｍｏｎｉｔｏｒｉｎｇＳｌｏｔＰｅｒｉｏｄｉｃｉｔｙＡｎｄＯｆｆｓｅｔ１と、ｍｏｎｉｔｏｒｉｎｇＳｌｏｔＰｅｒｉｏｄｉｃｉｔｙＡｎｄＯｆｆｓｅｔ２とを含む。ここでは、ｍｏｎｉｔｏｒｉｎｇＳｌｏｔＰｅｒｉｏｄｉｃｉｔｙＡｎｄＯｆｆｓｅｔ１は第１のＰＤＣＣＨ監視期間を示し、ｍｏｎｉｔｏｒｉｎｇＳｌｏｔＰｅｒｉｏｄｉｃｉｔｙＡｎｄＯｆｆｓｅｔ２は第２のＰＤＣＣＨ監視期間を示す。標準における特定の実装は、以下の通りであってよい。  
SearchSpace ::=                          SEQUENCE {
monitoringSlotPeriodicityAndOffset1      CHOICE {
sl1
NULL,
sl2
INTEGER (0..1),
...
}
monitoringSlotPeriodicityAndOffset2      CHOICE {
sl1
NULL,
sl2
INTEGER (0..1),
...
}
}
【０３０５】
第２の構成方法では、第２の探索空間パラメータおよびスケールファクタが、探索空間ＩＥ（情報要素）内に示される。第１の探索空間パラメータは、第２の探索空間パラメータおよびスケールファクタに基づいて決定され得る。たとえば、第１の探索空間パラメータおよび第２の探索空間パラメータは各々、ＰＤＣＣＨ監視期間を含む。ＳｅａｒｃｈＳｐａｃｅ  ＩＥは、第２のＰＤＣＣＨ監視期間を示すために使用されるｍｏｎｉｔｏｒｉｎｇＳｌｏｔＰｅｒｉｏｄｉｃｉｔｙＡｎｄＯｆｆｓｅｔを含む。ＳｅａｒｃｈＳｐａｃｅ  ＩＥは、スケールファクタを示すために使用されるｓｃａｌｅをさらに含む。端末デバイスは、第２のＰＤＣＣＨ監視期間およびスケールファクタに基づいて第１のＰＤＣＣＨ監視期間を決定することがある。標準における特定の実装は、以下の通りであってよい。  
SearchSpace ::=                          SEQUENCE {
monitoringSlotPeriodicityAndOffset      CHOICE {
sl1
NULL,
sl2
INTEGER (0..1),
...
}
scale          ENUMERATED {0.5, 0.25}
}
【０３０６】
本発明の実施形態は、監視方法をさらに提供する。図５に図示されるように、方法は、以下のステップを含む。
【０３０７】
ステップ５０１：端末デバイスは、第１の探索空間構成および第２の探索空間構成を取得する。
【０３０８】
本発明のこの実施形態では、第１の探索空間構成は第１の探索空間セットを含み、第２の探索空間構成は第２の探索空間セットを含み、第１の探索空間セットは第２の探索空間セットとは異なる。探索空間セットは、１つまたは複数の探索空間を含むセットであり、探索空間は、端末デバイスによって監視される必要があるＰＤＣＣＨのセットを決定するために使用されることが留意されるべきである。
【０３０９】
ステップ５０１の関係する説明および解説については、本発明の実施形態におけるステップ４０１の関係する説明を参照すること。詳細は、本発明のこの実施形態では説明されない。
【０３１０】
第１の条件が満たされた場合は、ステップ５０２が実施される。第２の条件が満たされた場合は、ステップ５０３が実施される。
【０３１１】
ステップ５０２：端末デバイスは、第１の条件が満たされた場合、第１の探索空間構成に基づいて物理ダウンリンク制御チャネルＰＤＣＣＨを監視し、この第１の条件は、第１のタイマーが実行状態でなく、第３のタイマーが実行状態であることを含む。
【０３１２】
特定の実装では、第１のタイマーの持続時間は、ＲＲＣシグナリングを通じてネットワークデバイスによって構成されることがある。いくつかの実施形態では、タイマーの持続時間は、不活動タイマー（ｄｒｘ−ＩｎａｃｔｉｖｉｔｙＴｉｍｅｒ）の持続時間よりも小さい。確かに、本発明のこの実施形態では、第１のタイマーは、代替として、ｄｒｘ−ＩｎａｃｔｉｖｉｔｙＴｉｍｅｒであってよく、端末デバイスが新しい送信をスケジュールするためにＰＤＣＣＨを正常に復号した後に端末デバイスによってＰＤＣＣＨを監視する時間長を決定するために使用される。
【０３１３】
さらに、第３のタイマーは、１つの間欠受信ＤＲＸサイクル中に端末デバイスによってＰＤＣＣＨを監視する時間長を決定するために使用される。たとえば、第３のタイマーは、オン持続時間タイマー、ｏｎＤｕｒａｔｉｏｎＴｉｍｅｒ、またはｄｒｘ−ｏｎＤｕｒａｔｉｏｎＴｉｍｅｒである。言い換えれば、第１のタイマーは実行状態でなく、第３のタイマーは実行状態である場合、端末デバイスは、第１の探索空間構成に基づいて物理ダウンリンク制御チャネルＰＤＣＣＨを監視する。第３のタイマーは、ＤＲＸサイクルの開始瞬間に開始されてよい。代替として、第３のタイマーは、ＤＲＸサイクル中のオン持続時間（Ｏｎ  Ｄｕｒａｔｉｏｎ）の開始瞬間に開始され、第３のタイマーの時間長はオン持続時間の長さである。
【０３１４】
ステップ５０３：端末デバイスは、第２の条件が満たされた場合、第２の探索空間構成に基づいてＰＤＣＣＨを監視し、この第２の条件は、第１のタイマーが実行状態であることを含む。
【０３１５】
たとえば、第１のタイマーはｄｒｘ−ＩｎａｃｔｉｖｉｔｙＴｉｍｅｒであり、第３のタイマーはｏｎＤｕｒａｔｉｏｎＴｉｍｅｒである。図５ａを参照すると、ＤＲＸサイクル中のオン持続時間は瞬間Ｔ４から開始し、ｒｘ−ＩｎａｃｔｉｖｉｔｙＴｉｍｅｒは瞬間Ｔ５に開始される。言い換えれば、瞬間Ｔ４から瞬間Ｔ５まで、第３のタイマーは実行状態であり、第１のタイマーｄｒｘ−ＩｎａｃｔｉｖｉｔｙＴｉｍｅｒは実行状態でない。端末デバイスは、第１の探索空間構成に基づいてＰＤＣＣＨを監視する。第１のタイマーｄｒｘ−ＩｎａｃｔｉｖｉｔｙＴｉｍｅｒは、瞬間Ｔ５から瞬間Ｔ６まで実行状態であり、端末デバイスは、第２の探索空間構成に基づいてＰＤＣＣＨを監視する。
【０３１６】
本発明のこの実施形態において提供される方法では、ネットワークデバイスは、第１の探索空間構成に基づいて端末デバイスによってＰＤＣＣＨを監視する電力消費量が第２の探索空間構成に基づいて端末によってＰＤＣＣＨを監視する電力消費量よりも低いように、端末デバイスの探索空間を構成する。これは、端末デバイスによってＰＤＣＣＨを監視する電力消費量を低減する。たとえば、第１の探索空間セットは、第２の探索空間セットのサブセットとして構成される。代替として、第１の探索空間パラメータは比較的少量のＰＤＣＣＨリソースを示す、第１の探索空間パラメータは比較的少量の候補ＰＤＣＣＨを示す、第１の探索空間パラメータは比較的長いＰＤＣＣＨ監視期間を示す、などが考えられる。
【０３１７】
本発明のこの実施形態は、ステップ５０２における第１の条件の他の可能な実装をさらに提供する。いくつかの実施形態では、第１の条件は、ダウンリンク再送信タイマー（ｄｒｘ−Ｒｅｔｒａｎｓｍｉｓｓｉｏｎ  ＴｉｍｅｒＤＬまたはｄｒｘ−ＲｅｔｒａｎｓｍｉｓｓｉｏｎＴｉｍｅｒなど）が実行状態でない、アップリンク再送信タイマー（ｄｒｘ−Ｒｅｔｒａｎｓｍｉｓｓｉｏｎ  ＴｉｍｅｒＵＬまたはｄｒｘ−ＵＬＲｅｔｒａｎｓｍｉｓｓｉｏｎＴｉｍｅｒなど）が実行状態でない、競合解消タイマー（ｒａ−ＣｏｎｔｅｎｔｉｏｎＲｅｓｏｌｕｔｉｏｎＴｉｍｅｒまたはｍａｃ−ＣｏｎｔｅｎｔｉｏｎＲｅｓｏｌｕｔｉｏｎＴｉｍｅｒなど）が実行状態でない、端末デバイスによって送られたスケジューリング要求が保留状態でない、および端末デバイスが、「端末デバイスがランダムアクセス応答ＲＡＲを正常に受信した後に、新しい送信を示すために使用されるＰＤＣＣＨを受信しない」状態ではなく、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つまたは複数をさらに含む。
【０３１８】
たとえば、いくつかの実施形態では、第１のタイマーが実行状態でなく、第３のタイマーが実行状態であり、ダウンリンク再送信タイマーが実行状態でない場合、端末デバイスは、第１の探索空間構成に基づいて物理ダウンリンク制御チャネルＰＤＣＣＨを監視する。いくつかの他の実施形態では、第１のタイマーが実行状態でなく、第３のタイマーが実行状態であり、ダウンリンク再送信タイマーが実行状態でなく、アップリンク再送信タイマーが実行状態でない場合、端末デバイスは、第１の探索空間構成に基づいて物理ダウンリンク制御チャネルＰＤＣＣＨを監視する。
【０３１９】
アップリンク再送信タイマーは、アップリンク再送信を示すために使用されるＰＤＣＣＨを監視する時間長を決定するために使用され、ダウンリンク再送信タイマーは、ダウンリンク再送信を示すために使用されるＰＤＣＣＨを監視する時間長を決定するために使用される。競合解消タイマーは、端末デバイスがランダムアクセスプロセスにおいてメッセージ３を送った後に端末デバイスによって、メッセージ４を示すために使用されるＰＤＣＣＨを監視する時間長を決定するために使用される。
【０３２０】
いくつかの実施形態では、端末デバイスは、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信せず、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、場合のうちの１つが生じた場合、第２の探索空間構成に基づいてＰＤＣＣＨを監視する。
【０３２１】
さらに、端末デバイスによって監視されるＰＤＣＣＨは、セル無線ネットワーク一時識別子（ｃｅｌｌ  ｒａｄｉｏ  ｎｅｔｗｏｒｋ  ｔｅｍｐｏｒａｒｙ  ｉｄｅｎｔｉｔｙ、Ｃ−ＲＮＴＩ）、構成されたスケジューリング無線ネットワーク一時識別子（Ｃｏｎｆｉｇｕｒｅｄ  Ｓｃｈｅｄｕｌｉｎｇ  ＲＮＴＩ、ＣＳ−ＲＮＴＩ）、割り込み無線ネットワーク一時識別子（Ｉｎｔｅｒｒｕｐｔｉｏｎ  ＲＮＴＩ、ＩＮＴ−ＲＮＴＩ）、スロットフォーマットインジケーション無線ネットワーク一時識別子（Ｓｌｏｔ  Ｆｏｒｍａｔ  Ｉｎｄｉｃａｔｉｏｎ  ＲＮＴＩ、ＳＦＩ−ＲＮＴＩ）、半永続的チャネル状態情報無線ネットワーク一時識別子（Ｓｅｍｉ−Ｐｅｒｓｉｓｔｅｎｔ  ＣＳＩ  ＲＮＴＩ、ＳＰ−ＣＳＩ−ＲＮＴＩ）、送信電力制御無線ネットワーク一時識別子（Ｔｒａｎｓｍｉｔ  Ｐｏｗｅｒ  Ｃｏｎｔｒｏｌ  ＲＮＴＩ、ＴＰＣ−ＰＵＣＣＨ−ＲＮＴＩ）、送信電力制御物理アップリンク共有チャネル無線ネットワーク一時識別子（Ｔｒａｎｓｍｉｔ  Ｐｏｗｅｒ  Ｃｏｎｔｒｏｌ  Ｐｈｙｓｉｃａｌ  Ｕｐｌｉｎｋ  Ｓｈａｒｅｄ  Ｃｈａｎｎｅｌ  ＲＮＴＩ、ＴＰＣ−ＰＵＳＣＨ−ＲＮＴＩ）、または送信電力制御サウンディング参照信号無線ネットワーク一時識別子（Ｔｒａｎｓｍｉｔ  Ｐｏｗｅｒ  Ｃｏｎｔｒｏｌ  Ｓｏｕｎｄｉｎｇ  Ｒｅｆｅｒｅｎｃｅ  Ｓｉｇｎａｌ  ＲＮＴＩ、ＴＰＣ−ＳＲＳ−ＲＮＴＩ）を使用することによってスクランブルされたＰＤＣＣＨであってよい。
【０３２２】
本発明の実施形態は、監視方法をさらに提供する。図６に図示されるように、方法は、以下のステップを含む。
【０３２３】
６０１：端末デバイスは、第１の探索空間構成および第２の探索空間構成を取得する。
【０３２４】
第１の探索空間構成は第１の探索空間セットを含み、第２の探索空間構成は第２の探索空間セットを含み、第１の探索空間セットは、第２の探索空間セットとは異なる。いくつかの実施形態では、第１の探索空間セットは、第２の探索空間セットのサブセットであってよい。第１の探索空間セットおよび第２の探索空間セットの詳細な構成については、ステップ４０１の関係する説明において提供される複数の可能な実装を参照することが留意されるべきである。詳細は、本発明のこの実施形態では説明されない。
【０３２５】
いくつかの実施形態では、第１の探索空間構成は第１の探索空間パラメータを含み、第２の探索空間構成は第２の探索空間パラメータを含み、第１の探索空間パラメータは第２の探索空間パラメータとは異なる。具体的には、探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。第１の探索空間パラメータおよび第２の探索空間パラメータの詳細な構成については、ステップ４０１の関係する説明において提供される複数の可能な実装を参照することが留意されるべきである。詳細は、本発明のこの実施形態では説明されない。
【０３２６】
端末デバイスは、ネットワークデバイスによって配信されるシグナリングを通じて第１の探索空間構成および第２の探索空間構成を取得してもよいし、あらかじめ構成された第１の探索空間構成および第２の探索空間構成を取得してもよいことが留意されるべきである。具体的には、ネットワークデバイスは、２つのシグナリングを通じて第１の探索空間構成および第２の探索空間構成に通知することがある。たとえば、端末デバイスは、ネットワークデバイスによって送られた第１の情報を受信し、この第１の情報は、第１の探索空間構成を含むまたは示す。そして、端末デバイスは、ネットワークデバイスによって送られた第２の情報を受信し、この第２の情報は、第２の探索空間構成を含むまたは示す。言い換えれば、ネットワークデバイスは、第１の情報および第２の情報を２つのシグナリングへとカプセル化し、この２つのシグナリングを端末デバイスに別個に配信する。確かに、ネットワークデバイスは、代替として、第１の情報および第２の情報を１つのシグナリングへとカプセル化し、このシグナリングを端末デバイスに配信することがある。代替として、ネットワークデバイスは、第１の探索空間構成および第２の探索空間構成のうちの１つのみを端末デバイスに通知することがあり、端末デバイスは、第１の探索空間構成に基づいて第２の探索空間構成を得る、または第２の探索空間構成に基づいて第１の探索空間構成を得ることがある。
【０３２７】
６０２：端末デバイスは、第１の探索空間構成に基づいて第１のＰＤＣＣＨを監視し、第１のＰＤＣＣＨは、インジケーション情報を搬送するために使用される。
【０３２８】
インジケーション情報は、端末デバイスがインジケーション情報を受信した後に存在する第１の時間期間内に第２のＰＤＣＣＨを監視しないように端末デバイスに示すために使用される、またはインジケーション情報は、端末デバイスがインジケーション情報を受信した後に存在する第２の時間期間内に第２のＰＤＣＣＨを監視するように端末デバイスに示すために使用される。第２のＰＤＣＣＨは、インジケーション情報を搬送しない。
【０３２９】
可能な実装では、インジケーション情報は、端末デバイスがインジケーション情報を受信した後に存在する第１の時間期間内に第２のＰＤＣＣＨを予想しないように端末デバイスに示すために使用される、またはインジケーション情報は、ネットワークデバイスがインジケーション情報を送った後に存在する第１の時間期間内にネットワークデバイスが第２のＰＤＣＣＨを端末デバイスに送らないことを示すために使用される。
【０３３０】
本発明のこの実施形態における時間期間（たとえば、第１の時間期間または第２の時間期間）は、インジケーション情報が受信された後に存在する１つまたは複数のオン持続時間であってもよいし、インジケーション情報が受信された後のＮ個の時間単位の後に存在するＭ個の時間単位の長さをもつ時間期間であってもよいし、インジケーション情報が受信された後に存在するＬ個のＰＤＣＣＨ監視時機であってもよいことが留意されるべきである。時間単位は、ミリ秒などの絶対時間であってもよいし、シンボル、スロット、サブフレームなどであってもよい。Ｎは０以上、Ｍは１以上、Ｌは１以上である。
【０３３１】
いくつかの実施形態では、第２のＰＤＣＣＨは、データ送信を示すために使用されるＰＤＣＣＨであってよい。
【０３３２】
いくつかの実施形態では、第２のＰＤＣＣＨは、セル無線ネットワーク一時識別子（ｃｅｌｌ  ｒａｄｉｏ  ｎｅｔｗｏｒｋ  ｔｅｍｐｏｒａｒｙ  ｉｄｅｎｔｉｔｙ、Ｃ−ＲＮＴＩ）、構成されたスケジューリング無線ネットワーク一時識別子（Ｃｏｎｆｉｇｕｒｅｄ  Ｓｃｈｅｄｕｌｉｎｇ  ＲＮＴＩ、ＣＳ−ＲＮＴＩ）、割り込み無線ネットワーク一時識別子（Ｉｎｔｅｒｒｕｐｔｉｏｎ  ＲＮＴＩ、ＩＮＴ−ＲＮＴＩ）、スロットフォーマットインジケーション無線ネットワーク一時識別子（Ｓｌｏｔ  Ｆｏｒｍａｔ  Ｉｎｄｉｃａｔｉｏｎ  ＲＮＴＩ、ＳＦＩ−ＲＮＴＩ）、半永続的チャネル状態情報無線ネットワーク一時識別子（Ｓｅｍｉ−Ｐｅｒｓｉｓｔｅｎｔ  ＣＳＩ  ＲＮＴＩ、ＳＰ−ＣＳＩ−ＲＮＴＩ）、送信電力制御無線ネットワーク一時識別子（Ｔｒａｎｓｍｉｔ  Ｐｏｗｅｒ  Ｃｏｎｔｒｏｌ  ＲＮＴＩ、ＴＰＣ−ＰＵＣＣＨ−ＲＮＴＩ）、送信電力制御物理アップリンク共有チャネル無線ネットワーク一時識別子（Ｔｒａｎｓｍｉｔ  Ｐｏｗｅｒ  Ｃｏｎｔｒｏｌ  Ｐｈｙｓｉｃａｌ  Ｕｐｌｉｎｋ  Ｓｈａｒｅｄ  Ｃｈａｎｎｅｌ  ＲＮＴＩ、ＴＰＣ−ＰＵＳＣＨ−ＲＮＴＩ）、または送信電力制御サウンディング参照信号無線ネットワーク一時識別子（Ｔｒａｎｓｍｉｔ  Ｐｏｗｅｒ  Ｃｏｎｔｒｏｌ  Ｓｏｕｎｄｉｎｇ  Ｒｅｆｅｒｅｎｃｅ  Ｓｉｇｎａｌ  ＲＮＴＩ、ＴＰＣ−ＳＲＳ−ＲＮＴＩ）を使用することによってスクランブルされたＰＤＣＣＨであってよい。
【０３３３】
いくつかの実施形態では、インジケーション情報は、第２の探索空間構成をさらに含むまたは示す。端末デバイスは、第１の探索空間構成に基づいて第１のＰＤＣＣＨを監視し、第１のＰＤＣＣＨを受信してＰＤＣＣＨ内で搬送されたインジケーション情報を取得した後にインジケーション情報内の第２の探索空間構成を取得することがあり、インジケーション情報内の第２の探索空間構成に基づいて、インジケーション情報を搬送しない別のＰＤＣＣＨ、すなわち、本発明のこの実施形態では第２のＰＤＣＣＨをさらに監視する。可能な実装では、第２の探索空間構成は第２の探索空間セットを含み、インジケーション情報は、第２の探索空間セット内の探索空間の各々のインデックスを含む。別の可能な実装では、第２の探索空間構成は第２の探索空間セットを含み、インジケーション情報は、第２の探索空間セットを示すために使用されるフィールドを含む。別の可能な実装では、第２の探索空間構成は第２の探索空間パラメータを含み、第２の探索空間パラメータは第２のＰＤＣＣＨ監視期間を含み、インジケーション情報は第２のＰＤＣＣＨ監視期間を含む。確かに、インジケーション情報は、第２の探索空間構成を直接的に含まないことがあるが、いくつかのパラメータを使用することによって第２の探索空間構成を示すために使用されることがある。可能な実装では、第２の探索空間構成は第２の探索空間パラメータを含み、第２の探索空間パラメータは第２のＰＤＣＣＨ監視期間を含み、インジケーション情報はスケールファクタを含み、端末デバイスは、スケールファクタに基づいて第２のＰＤＣＣＨ監視期間を決定する。
【０３３４】
６０３：端末デバイスは、第１の時間期間以外の時間期間内に、または第２の時間期間内に、第２の探索空間構成に基づいて第２のＰＤＣＣＨを監視する。
【０３３５】
具体的には、インジケーション情報が、端末デバイスがインジケーション情報を受信した後に存在する第１の時間期間内に第２のＰＤＣＣＨを監視しないように端末デバイスに示すために使用される場合、端末デバイスは、第１の時間期間以外の時間期間内に第２の探索空間構成に基づいて第２のＰＤＣＣＨを監視する。
【０３３６】
代替として、インジケーション情報が、端末デバイスがインジケーション情報を受信した後に存在する第２の時間期間内に第２のＰＤＣＣＨを監視するように端末デバイスに示すために使用される場合、端末デバイスは、第２の時間期間内に第２の探索空間構成に基づいて第２のＰＤＣＣＨを監視する。
【０３３７】
いくつかの実施形態では、インジケーション情報は、第２のＰＤＣＣＨによって示されるＰＤＳＣＨのために使用されるべきＭＩＭＯレイヤ量をさらに含む。代替として、インジケーション情報は、第２のＰＤＣＣＨによって示されるＰＤＳＣＨのために使用されるべきＭＩＭＯレイヤ量を示すためにさらに使用される。端末デバイスは、インジケーション情報による対応するＭＩＭＯレイヤ量を使用して、ＰＤＳＣＨを受信することがある。インジケーション情報内に含まれるまたはこれによって示されるＭＩＭＯレイヤ量は最大ＭＩＭＯレイヤ量であってよいことが留意されるべきである。
【０３３８】
本発明のこの実施形態において提供される方法では、端末デバイスに対するＰＤＣＣＨ監視によって引き起こされる電力消費量は、インジケーション情報を使用することによって低減可能である。さらに、端末デバイスは、異なる探索空間を使用して、インジケーション情報を搬送するＰＤＣＣＨおよびインジケーション情報を搬送しないＰＤＣＣＨを監視し、端末デバイスは、端末デバイスの電力消費量も低減可能であるように、ＰＤＣＣＨを監視するためにもはやすべての探索空間を使用するとは限らない。
【０３３９】
本発明の実施形態は、通信方法を提供する。端末デバイスは、適切なＭＩＭＯレイヤ量を使用して、ネットワークデバイスによって送られたＰＤＳＣＨを受信し、端末デバイスによってＰＤＳＣＨを受信する電力消費量を低減することができる。図７に図示されるように、方法は、具体的には以下のステップを含む。
【０３４０】
７０１：端末デバイスは、第１の条件が満たされるか第２の条件が満たされるかどうかを決定する。第１の条件は、第１のタイマーが実行状態でないことを含み、第２の条件は、第１のタイマーが実行状態であることを含む。
【０３４１】
特定の実装では、第１のタイマーの持続時間は、ＲＲＣシグナリングを通じてネットワークデバイスによって構成されることがある。いくつかの実施形態では、タイマーの持続時間は、不活動タイマー（ｄｒｘ−ＩｎａｃｔｉｖｉｔｙＴｉｍｅｒ）の持続時間よりも小さい。確かに、本発明のこの実施形態では、第１のタイマーは、代替として、ｄｒｘ−ＩｎａｃｔｉｖｉｔｙＴｉｍｅｒであってよく、端末デバイスが新しい送信をスケジュールするためにＰＤＣＣＨを正常に復号した後に端末デバイスによってＰＤＣＣＨを監視する時間長を決定するために使用される。
【０３４２】
特定の実装では、端末デバイスがＰＤＣＣＨを受信した場合、第１のタイマーが開始もしくは再開される、端末デバイスが、データ送信を示すために使用されるＰＤＣＣＨを受信した場合、第１のタイマーが開始もしくは再開される、端末デバイスが、新しい送信を示すために使用されるＰＤＣＣＨを受信した場合、第１のタイマーが開始もしくは再開される、または第２のタイマーが開始もしくは再開された場合、端末デバイスは第１のタイマーを開始もしくは再開し、ここで、第２のタイマーは、端末デバイスが、新しい送信を示すために使用されるＰＤＣＣＨを受信した後に、端末デバイスによってＰＤＣＣＨを監視する時間長を決定するために使用される。たとえば、第２のタイマーはｄｒｘ−ＩｎａｃｔｉｖｉｔｙＴｉｍｅｒである。代替として、端末デバイスが、ネットワークデバイスによって送られたインジケーション情報を受信した場合、端末デバイスは、第１のタイマーを開始または再開する。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）を通じて送信されてもよいし、メディアアクセス制御制御要素（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）を通じて送信されてもよい。データ送信を示すために使用されるＰＤＣＣＨは、アップリンク送信を示すために使用されるＰＤＣＣＨであってもよいし、ダウンリンク送信を示すために使用されるＰＤＣＣＨであってもよい。
【０３４３】
第１の条件が満たされた場合は、ステップ７０２が実施される。第２の条件が満たされた場合は、ステップ７０３が実施される。
【０３４４】
７０２：第１の条件が満たされたときに端末デバイスが第１のＰＤＣＣＨを受信した場合、端末デバイスは、第１の多入力多出力ＭＩＭＯレイヤ量に基づいて、第１のＰＤＣＣＨによって示される物理ダウンリンク共有チャネルＰＤＳＣＨを受信する。
【０３４５】
７０３：第２の条件が満たされたときに端末デバイスが第２のＰＤＣＣＨを受信した場合、端末デバイスは、第２のＭＩＭＯレイヤ量に基づいて、第２のＰＤＣＣＨによって示されるＰＤＳＣＨを受信する。
【０３４６】
特定の実装では、第１のＭＩＭＯレイヤ量は、第２のＭＩＭＯレイヤ量とは異なる。いくつかの実施形態では、第１のＭＩＭＯレイヤ量は、第１のＰＤＣＣＨによって示されるＰＤＳＣＨのために使用されるべきＭＩＭＯレイヤ量であり、第２のＭＩＭＯレイヤ量は、第２のＰＤＣＣＨによって示されるＰＤＳＣＨのために使用されるべきＭＩＭＯレイヤ量である。いくつかの他の実施形態では、第１のＭＩＭＯレイヤ量は、第１のＰＤＣＣＨによって示されるＰＤＳＣＨのために使用され得る最大ＭＩＭＯレイヤ量であり、第２のＭＩＭＯレイヤ量は、第２のＰＤＣＣＨによって示されるＰＤＳＣＨのために使用され得る最大ＭＩＭＯレイヤ量である。いくつかの実施形態では、第１のＭＩＭＯレイヤ量は、第２のＭＩＭＯレイヤ量よりも小さい。たとえば、第１のＭＩＭＯレイヤ量は２であり、第２のＭＩＭＯレイヤ量は４である。第１の条件が満たされた場合、端末デバイスは、２つの受信アンテナまたは２つの受信チェーンのみをイネーブルにし得る。第２の条件が満たされた場合、端末デバイスは、４つの受信アンテナまたは４つの受信チェーンをイネーブルにする必要がある。このようにして、端末デバイスの電力消費量は、可能な限り低減される。
【０３４７】
通常、ネットワークデバイスは、ダウンリンク制御情報（Ｄｏｗｎｌｉｎｋ  Ｃｏｎｔｒｏｌ  Ｉｎｆｏｒｍａｔｉｏｎ、ＤＣＩ）内で、ＰＤＳＣＨのために使用されるアンテナポートアンテナポートを示す。アンテナポートの量は、ＭＩＭＯレイヤ量の値である。ＭＩＭＯレイヤ量が比較的小さいとき、端末デバイスは、比較的小さい量の受信アンテナまたは受信チェーン（Ｒｘ  ｃｈａｉｎ）を使用し得る。ＭＩＭＯレイヤ量が比較的大きいとき、端末デバイスは、比較的大きい量の受信アンテナまたは受信チェーンを使用する必要がある。したがって、端末デバイスがより大きいＭＩＭＯレイヤ量を使用するときに引き起こされる電力消費量は、端末デバイスがより小さいＭＩＭＯレイヤ量を使用するときに引き起こされる電力消費量よりも高い。端末デバイスの電力消費量を低減するために、端末デバイスは、異なる場合において異なるＭＩＭＯレイヤ量を使用することによって、ＰＤＳＣＨを受信し得る。
【０３４８】
第２のＭＩＭＯレイヤ量は、端末デバイスによってサポート可能であり、端末デバイスの能力情報、たとえば、ＦｅａｔｕｒｅＳｅｔＤｏｗｎｌｉｎｋＰｅｒＣＣ  ＩＥ内のｍａｘＮｕｍｂｅｒＭＩＭＯ−ＬａｙｅｒｓＰＤＳＣＨによって示される、最大ＭＩＭＯレイヤ量であってよいことが留意されるべきである。
【０３４９】
第１のＭＩＭＯレイヤ量は、ネットワークデバイスによって構成され得る。ネットワークデバイスが第１のＭＩＭＯレイヤ量を構成する前に、端末デバイスは、端末デバイスによって予想または推奨される第１のＭＩＭＯレイヤ量を示すために、インジケーション情報をネットワークデバイスに送ってよい。第１のＭＩＭＯレイヤ量は、代替として、第２のＭＩＭＯレイヤ量に基づいて決定されてよい。たとえば、第１のＭＩＭＯレイヤ量は、第２のＭＩＭＯレイヤ量が２で分割された後に取得される値を切り上げることによって取得される。
【０３５０】
さらに、本発明のこの実施形態は、ステップ７０１およびステップ７０２における第１の条件の他の可能な実装をさらに提供する。第１の条件は、具体的には、以下の４つの可能な場合を含んでよい。
【０３５１】
（１）第１のタイマーが実行状態でないことを含むことに加えて、第１の条件は、第３のタイマーが実行状態であることをさらに含む。
【０３５２】
第３のタイマーは１つの間欠受信ＤＲＸサイクル中に端末デバイスによってＰＤＣＣＨを監視する時間長を決定するために使用されることが留意されるべきである。たとえば、第３のタイマーは、オン持続時間タイマー、ｏｎＤｕｒａｔｉｏｎＴｉｍｅｒ、またはｄｒｘ−ｏｎＤｕｒａｔｉｏｎＴｉｍｅｒである。言い換えれば、第１のタイマーは実行状態でなく、第３のタイマーは実行状態である場合、端末デバイスによって受信されるＰＤＣＣＨは、第１のＰＤＣＣＨと表される。さらに、端末デバイスは、第１のＭＩＭＯレイヤ量に基づいて、第１のＰＤＣＣＨによって示されるＰＤＳＣＨを受信し得る。第３のタイマーは、ＤＲＸサイクルの開始瞬間に開始されてよい。代替として、第３のタイマーは、ＤＲＸサイクル中のオン持続時間（Ｏｎ  Ｄｕｒａｔｉｏｎ）の開始瞬間に開始され、第３のタイマーの時間長はオン持続時間の長さである。
【０３５３】
（２）いくつかの実施形態では、第１の条件は、端末デバイスがＤＲＸサイクル中のオン持続時間内にあることをさらに含むことがある。言い換えれば、第１のタイマーは実行状態でなく、端末デバイスがＤＲＸサイクル中のオン持続時間内である場合、端末デバイスによって受信されるＰＤＣＣＨは、第１のＰＤＣＣＨと表される。さらに、端末デバイスは、第１のＭＩＭＯレイヤ量に基づいて、第１のＰＤＣＣＨによって示されるＰＤＳＣＨを受信し得る。
【０３５４】
（３）いくつかの実施形態では、第１の条件は、第１の条件は、ダウンリンク再送信タイマー（ｄｒｘ−Ｒｅｔｒａｎｓｍｉｓｓｉｏｎ  ＴｉｍｅｒＤＬまたはｄｒｘ−ＲｅｔｒａｎｓｍｉｓｓｉｏｎＴｉｍｅｒなど）が実行状態でない、アップリンク再送信タイマー（ｄｒｘ−Ｒｅｔｒａｎｓｍｉｓｓｉｏｎ  ＴｉｍｅｒＵＬまたはｄｒｘ−ＵＬＲｅｔｒａｎｓｍｉｓｓｉｏｎＴｉｍｅｒなど）が実行状態でない、競合解消タイマー（ｒａ−ＣｏｎｔｅｎｔｉｏｎＲｅｓｏｌｕｔｉｏｎＴｉｍｅｒまたはｍａｃ−ＣｏｎｔｅｎｔｉｏｎＲｅｓｏｌｕｔｉｏｎＴｉｍｅｒなど）が実行状態でない、端末デバイスによって送られたスケジューリング要求が保留状態でない、および端末デバイスが、「端末デバイスがランダムアクセス応答ＲＡＲを正常に受信した後に、新しい送信を示すために使用されるＰＤＣＣＨを受信しない」状態ではなく、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つまたは複数をさらに含む。
【０３５５】
たとえば、いくつかの実施形態では、第１のタイマーは実行状態でなく、ダウンリンク再送信タイマーが実行状態でない場合、端末デバイスによって受信されるＰＤＣＣＨは、第１のＰＤＣＣＨと表される。さらに、端末デバイスは、第１のＭＩＭＯレイヤ量に基づいて、第１のＰＤＣＣＨによって示されるＰＤＳＣＨを受信し得る。いくつかの他の実施形態では、第１のタイマーは実行状態でなく、ダウンリンク再送信タイマーは実行状態でなく、アップリンク再送信タイマーは実行状態でない場合、端末デバイスによって受信されるＰＤＣＣＨは第１のＰＤＣＣＨと表され、端末デバイスは、第１のＭＩＭＯレイヤ量に基づいて、第１のＰＤＣＣＨによって示されるＰＤＳＣＨをさらに受信し得る。いくつかの他の実施形態では、第１のタイマーは実行状態でなく、第３のタイマーは実行状態であり、ダウンリンク再送信タイマーは実行状態でない場合、端末デバイスによって受信されるＰＤＣＣＨは第１のＰＤＣＣＨと表され、端末デバイスは、第１のＭＩＭＯレイヤ量に基づいて、第１のＰＤＣＣＨによって示されるＰＤＳＣＨをさらに受信し得る。
【０３５６】
アップリンク再送信タイマーは、アップリンク再送信を示すために使用されるＰＤＣＣＨを監視する時間長を決定するために使用され、ダウンリンク再送信タイマーは、ダウンリンク再送信を示すために使用されるＰＤＣＣＨを監視する時間長を決定するために使用される。競合解消タイマーは、端末デバイスがランダムアクセスプロセスにおいてメッセージ３を送った後に端末デバイスによって、メッセージ４を示すために使用されるＰＤＣＣＨを監視する時間長を決定するために使用される。
【０３５７】
（４）いくつかの実施形態では、第１の条件は、端末デバイスが第１の瞬間と第２の瞬間との間にあることである。第２の瞬間は第３の瞬間であり、この第３の瞬間は、端末デバイスが第１の瞬間の後に第ＮのＰＤＣＣＨを受信する瞬間である。代替として、第２の瞬間は、第３の瞬間よりも第１の持続時間後の瞬間である。Ｎは、１以上の整数であり、第１の持続時間の長さは０よりも大きい。第１の条件が満たされた場合、端末デバイスによって受信されるＰＤＣＣＨは第１のＰＤＣＣＨと表され、端末デバイスは、第１のＭＩＭＯレイヤ量に基づいて、第１のＰＤＣＣＨによって示されるＰＤＳＣＨをさらに受信し得る。第２の条件は、端末デバイスが第２の瞬間の後にあることである。第２の条件が満たされた場合、端末デバイスによって受信されるＰＤＣＣＨは第２のＰＤＣＣＨと表され、端末デバイスは、第２のＭＩＭＯレイヤ量に基づいて、第２のＰＤＣＣＨによって示されるＰＤＳＣＨをさらに受信し得る。いくつかの実施形態では、第１の瞬間は、ＤＲＸオン持続時間の開始瞬間であることがある。いくつかの実施形態では、不活動タイマーがＤＲＸサイクル中のオン持続時間内で満了する場合、第１の瞬間は、不活動タイマーが満了する瞬間である。第４の可能な場合では、第２の条件は、端末デバイスが第２の瞬間の後にあることである。
【０３５８】
いくつかの実施形態では、端末デバイスは、ダウンリンク再送信タイマーが実行状態である、アップリンク再送信タイマーが実行状態である、競合解消タイマーが実行状態である、端末デバイスがスケジューリング要求を送り、スケジューリング要求が保留状態である、および端末デバイスが、ランダムアクセス応答ＲＡＲを正常に受信した後に、新しい送信を示すために使用されるＰＤＣＣＨを受信せず、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じた場合、第２のＭＩＭＯレイヤ量に基づいてＰＤＳＣＨを受信する。
【０３５９】
本発明の実施形態は、通信方法をさらに提供する。図８に図示されるように、方法は、以下のステップを含む。
【０３６０】
ステップ８０１：端末デバイスはインジケーション情報を受信し、このインジケーション情報は、端末デバイスがインジケーション情報を受信した後に存在する第１の時間期間内にＰＤＣＣＨを監視しないように端末デバイスに示すために使用される、またはインジケーション情報は、端末デバイスがインジケーション情報を受信した後に存在する第２の時間期間内にＰＤＣＣＨを監視するように端末デバイスに示すために使用される。インジケーション情報は、第１の探索空間構成を含むまたは示す。
【０３６１】
ステップ８０２：端末デバイスは、第１の時間期間以外の時間期間内に、もしくは第２の時間期間内に、第１の探索空間構成に基づいてＰＤＣＣＨを監視する、または端末デバイスは、第１の時間期間以外の時間期間内に、もしくは第２の時間期間内に第１の探索空間構成を使用することによって、ＰＤＣＣＨを監視することをスキップする。
【０３６２】
第１の探索空間構成がＰＤＣＣＨを監視するために使用されないとき、方法は、ステップ８０３：端末デバイスが、第１の時間期間以外の時間期間内に、または第２の時間期間内に第１の探索空間構成を使用することによってＰＤＣＣＨを監視することをスキップした場合、端末デバイスは、第１の時間期間以外の時間期間内に、または第２の時間期間内に第２の探索空間構成を使用することによってＰＤＣＣＨを監視する、をさらに含んでよいことが留意されるべきである。第１の探索空間構成は、第２の探索空間構成とは異なる。
【０３６３】
第１の探索空間構成は第１の探索空間セットを含み、第２の探索空間構成は第２の探索空間セットを含み、第１の探索空間セットは、第２の探索空間セットとは異なる。いくつかの実施形態では、第１の探索空間セットは、第２の探索空間セットのサブセットであってよい。第１の探索空間セットおよび第２の探索空間セットの詳細な構成については、ステップ４０１の関係する説明において提供される複数の可能な実装を参照することが留意されるべきである。詳細は、本発明のこの実施形態では説明されない。
【０３６４】
いくつかの実施形態では、第１の探索空間構成は第１の探索空間パラメータを含み、第２の探索空間構成は第２の探索空間パラメータを含み、第１の探索空間パラメータは第２の探索空間パラメータとは異なる。具体的には、探索空間パラメータは、ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを含む。第１の探索空間パラメータおよび第２の探索空間パラメータの詳細な構成については、ステップ４０１の関係する説明において提供される複数の可能な実装を参照することが留意されるべきである。詳細は、本発明のこの実施形態では説明されない。
【０３６５】
いくつかの実施形態では、ＰＤＣＣＨは、データ送信を示すために使用されるＰＤＣＣＨであってよい。
【０３６６】
いくつかの実施形態では、ＰＤＣＣＨは、セル無線ネットワーク一時識別子（ｃｅｌｌ  ｒａｄｉｏ  ｎｅｔｗｏｒｋ  ｔｅｍｐｏｒａｒｙ  ｉｄｅｎｔｉｔｙ、Ｃ−ＲＮＴＩ）、構成されたスケジューリング無線ネットワーク一時識別子（Ｃｏｎｆｉｇｕｒｅｄ  Ｓｃｈｅｄｕｌｉｎｇ  ＲＮＴＩ、ＣＳ−ＲＮＴＩ）、割り込み無線ネットワーク一時識別子（Ｉｎｔｅｒｒｕｐｔｉｏｎ  ＲＮＴＩ、ＩＮＴ−ＲＮＴＩ）、スロットフォーマットインジケーション無線ネットワーク一時識別子（Ｓｌｏｔ  Ｆｏｒｍａｔ  Ｉｎｄｉｃａｔｉｏｎ  ＲＮＴＩ、ＳＦＩ−ＲＮＴＩ）、半永続的チャネル状態情報無線ネットワーク一時識別子（Ｓｅｍｉ−Ｐｅｒｓｉｓｔｅｎｔ  ＣＳＩ  ＲＮＴＩ、ＳＰ−ＣＳＩ−ＲＮＴＩ）、送信電力制御無線ネットワーク一時識別子（Ｔｒａｎｓｍｉｔ  Ｐｏｗｅｒ  Ｃｏｎｔｒｏｌ  ＲＮＴＩ、ＴＰＣ−ＰＵＣＣＨ−ＲＮＴＩ）、送信電力制御物理アップリンク共有チャネル無線ネットワーク一時識別子（Ｔｒａｎｓｍｉｔ  Ｐｏｗｅｒ  Ｃｏｎｔｒｏｌ  Ｐｈｙｓｉｃａｌ  Ｕｐｌｉｎｋ  Ｓｈａｒｅｄ  Ｃｈａｎｎｅｌ  ＲＮＴＩ、ＴＰＣ−ＰＵＳＣＨ−ＲＮＴＩ）、または送信電力制御サウンディング参照信号無線ネットワーク一時識別子（Ｔｒａｎｓｍｉｔ  Ｐｏｗｅｒ  Ｃｏｎｔｒｏｌ  Ｓｏｕｎｄｉｎｇ  Ｒｅｆｅｒｅｎｃｅ  Ｓｉｇｎａｌ  ＲＮＴＩ、ＴＰＣ−ＳＲＳ−ＲＮＴＩ）を使用することによってスクランブルされたＰＤＣＣＨであってよい。
【０３６７】
本発明の実施形態は、通信方法をさらに提供する。図９に図示されるように、方法は、以下のステップを含む。
【０３６８】
９０１：端末デバイスは、ネットワークデバイスによって送られたインジケーション情報を受信し、このインジケーション情報は、端末デバイスがインジケーション情報を受信した後に存在する第１の時間期間内にＰＤＣＣＨを監視しないように端末デバイスに示すために使用される、またはこのインジケーション情報は、端末デバイスがインジケーション情報を受信した後に存在する第２の時間期間内にＰＤＣＣＨを監視するように端末デバイスに示すために使用される。
【０３６９】
可能な実装では、インジケーション情報は、端末デバイスがインジケーション情報を受信した後に存在する第１の時間期間内に第２のＰＤＣＣＨを予想しないように端末デバイスに示すために使用される、またはインジケーション情報は、ネットワークデバイスがインジケーション情報を送った後に存在する第１の時間期間内にネットワークデバイスが第２のＰＤＣＣＨを端末デバイスに送らないことを示すために使用される。
【０３７０】
本発明のこの実施形態における時間期間（たとえば、第１の時間期間または第２の時間期間）は、インジケーション情報が受信された後に存在する１つまたは複数のオン持続時間であってもよいし、インジケーション情報が受信された後のＮ個の時間単位の後に存在するＭ個の時間単位の長さをもつ時間期間であってもよいことが留意されるべきである。時間単位は、ミリ秒などの絶対時間であってもよいし、シンボル、スロット、サブフレームなどであってもよい。Ｎは０以上、Ｍは１以上である。
【０３７１】
９０２：端末デバイスは、第１の時間期間以外の時間期間内に、または第２の時間期間内にＰＤＣＣＨを監視する。
【０３７２】
具体的には、インジケーション情報が、端末デバイスがインジケーション情報を受信した後に存在する第１の時間期間内に第２のＰＤＣＣＨを監視しないように端末デバイスに示すために使用される場合、端末デバイスは、第１の時間期間以外の時間期間内に第２のＰＤＣＣＨを監視する。
【０３７３】
代替として、インジケーション情報が、端末デバイスがインジケーション情報を受信した後に存在する第２の時間期間内に第２のＰＤＣＣＨを監視するように端末デバイスに示すために使用される場合、端末デバイスは、第２の時間期間内に第２のＰＤＣＣＨを監視する。
【０３７４】
９０３：端末デバイスは、インジケーション情報によって示されるＭＩＭＯレイヤ量に基づいて物理ダウンリンク共有チャネルＰＤＳＣＨを受信し、ＰＤＳＣＨは、端末デバイスによって監視されるＰＤＣＣＨによって示されるＰＤＳＣＨである。
【０３７５】
具体的には、インジケーション情報は、ＭＩＭＯレイヤ量をさらに含むまたは示してよい。さらに、端末デバイスは、電力消費量を低減するために、対応するＭＩＭＯレイヤ量に基づいてＰＤＳＣＨを受信してよい。いくつかの実施形態では、ＭＩＭＯレイヤ量は、ＰＤＣＣＨによって示されるＰＤＳＣＨのために使用されるべきＭＩＭＯレイヤ量である。いくつかの他の実施形態では、ＭＩＭＯレイヤ量は、ＰＤＣＣＨによって示されるＰＤＳＣＨのために使用され得る最大ＭＩＭＯレイヤ量である。
【０３７６】
本発明のこの実施形態において提供される方法では、ネットワークデバイスは、インジケーション情報を使用することによって、端末デバイスに対するＰＤＣＣＨ監視によって引き起こされる電力消費量を低減することができる。
【０３７７】
本発明の実施形態は、端末デバイスを提供する。この端末デバイスは、本発明の実施形態における端末デバイス、たとえば、図１に図示される通信システム内の端末デバイスであってよい。各機能モジュールが、各対応する機能に基づく分割を通じて取得されるとき、図１０は、前述の端末デバイスの可能な概略構造図である。図１０に図示されるように、端末デバイスは、受信ユニット１００１と、処理ユニット１００２と、送出ユニット１００３とを含む。
【０３７８】
受信ユニット１００１は、前述の実施形態において、ステップ４０２、ステップ４０３、ステップ５０２、ステップ５０３、ステップ６０２、ステップ６０３、ステップ７０２、ステップ７０３、ステップ８０１、ステップ８０２、ステップ８０３、ステップ９０１、ステップ９０２、およびステップ９０３、ならびに／または本明細書で説明される技術における別のプロセスを実施する際に端末デバイスをサポートするように構成される。
【０３７９】
処理ユニット１００２は、本発明の実施形態においてステップ４０１、ステップ５０１、ステップ６０１、およびステップ７０１、ならびに／または本明細書において説明される技術において別のプロセスを実施する際に端末デバイスをサポートするように構成される。
【０３８０】
送出ユニット１００３は、信号を別のデバイスに送る、たとえば、アップリンク信号をネットワークデバイスに送る際、および／または本明細書において説明される技術において別のプロセスを実施する際に端末デバイスをサポートするように構成される。
【０３８１】
前述の方法実施形態におけるステップのすべての関係する内容は、対応する機能モジュールの機能説明において引用されてよいことが留意されるべきである。詳細は、本明細書では再度説明されない。
【０３８２】
たとえば、統合ユニットが使用されるとき、図１１は、本出願の実施形態による端末デバイスの概略構造図である。図１１では、端末デバイスは、処理モジュール１１０１と、通信モジュール１１０２とを含む。処理モジュール１１０１は、端末デバイスの行動を制御および管理する、たとえば、前述の処理ユニット１００２によって実施されるステップ、および／または本明細書において説明される技術における別のプロセスを実施するように構成される。通信モジュール１１０２は、端末デバイスと別のデバイスとの間の対話をサポートする、たとえば、前述の受信ユニット１００１および送出ユニット１００３によって実施されるステップを実施するように構成される。図１１に図示されるように、端末デバイスは、記憶モジュール１１０３をさらに含んでよく、記憶モジュール１１０３は、プログラムコードおよび端末デバイスのデータを記憶するように構成される。
【０３８３】
処理モジュール１１０１がプロセッサであり、通信モジュール１１０２がトランシーバであり、記憶モジュール１１０３がメモリであるとき、端末デバイスは、図３に図示される端末デバイスであってよい。
【０３８４】
各機能モジュールが、各対応する機能に基づく分割を通じて取得されるとき、図１２は、前述の実施形態におけるネットワークデバイスの可能な概略構造図である。図１２に図示されるように、ネットワークデバイスは、受信ユニット１２０１と、送出ユニット１２０２と、処理ユニット１２０３とを含む。
【０３８５】
受信ユニット１２０１は、別のデバイスによって送られた信号を受信する、たとえば、端末デバイスによって送られたアップリンク信号を受信する、および／または本明細書において説明される技術において別のプロセスを実施する際にネットワークデバイスをサポートするように構成される。
【０３８６】
送出ユニット１２０２は、ダウンリンク信号を端末デバイスに送る、たとえば、前述の実施形態におけるステップ８０１およびステップ９０１における送出手順、ならびに／または本明細書において説明される技術における別のプロセスを実施する際にネットワークデバイスをサポートするように構成される。
【０３８７】
処理ユニット１２０３は、前述の実施形態、および／または本明細書において説明される技術における別のプロセスを実施する際にネットワークデバイスをサポートするように構成される。
【０３８８】
前述の方法実施形態におけるステップのすべての関係する内容は、対応する機能モジュールの機能説明において引用されてよいことが留意されるべきである。詳細は、本明細書では再度説明されない。
【０３８９】
たとえば、統合ユニットが使用されるとき、図１３は、本出願の実施形態によるネットワークデバイスの概略構造図である。図１３では、ネットワークデバイスは、処理モジュール１３０１と、通信モジュール１３０２とを含む。処理モジュール１２０１は、ネットワークデバイスの行動を制御および管理する、たとえば、前述の処理ユニット１２０３によって実施されるステップ、および／または本明細書において説明される技術における別のプロセスを実施するように構成される。通信モジュール１３０２は、ネットワークデバイスと別のデバイスとの間の対話をサポートする、たとえば、前述の受信ユニット１２０１および送出ユニット１２０２によって実施されるステップ、ならびにネットワークデバイスとのさまざまなタイプの対話を実施するように構成される。図１３に図示されるように、ネットワークデバイスは、記憶モジュール１３０３をさらに含んでよく、記憶モジュール１３０３は、プログラムコードおよびネットワークデバイスのデータを記憶するように構成される。
【０３９０】
処理モジュール１３０１がプロセッサであり、通信モジュール１３０２がトランシーバであり、記憶モジュール１３０３がメモリであるとき、ネットワークデバイスは、図１４に図示されるネットワークデバイスである。図１４を参照すると、ネットワークデバイスは、少なくとも１つのプロセッサ１４０１と、メモリ１４０２と、トランシーバ１４０３と、通信バス１４０４とを含んでよい。プロセッサ１４０１、メモリ１４０２、およびトランシーバ１４０３は、通信バス１４０４を使用することによって互いに接続される。
【０３９１】
以下は、図１４を参照しながら、ネットワークデバイスの構成要素を詳細に説明する。
【０３９２】
プロセッサ１４０１は、ネットワークデバイスの制御センタである。プロセッサ１４０１は、メモリ１４０２内に記憶されたソフトウェアプログラムを実行し（ｒｕｎｎｉｎｇ  ｏｒ  ｅｘｅｃｕｔｉｎｇ）、メモリ１４０２内に記憶されたデータを呼び出すことによって、ネットワークデバイスのさまざまな機能を実施し得る。
【０３９３】
特定の実装では、実施形態において、プロセッサ１４０１は、１つまたは複数のＣＰＵ、たとえば、図１４に図示されるＣＰＵ０およびＣＰＵ１を含んでよい。
【０３９４】
ネットワークデバイスは、複数のプロセッサ、たとえば、図１４に図示されるプロセッサ１４０１およびプロセッサ１４０５を含んでよい。プロセッサの各々は、シングルコア（シングルＣＰＵ）プロセッサであってもよいし、マルチコア（マルチＣＰＵ）プロセッサであってもよい。本明細書におけるプロセッサは、データ（たとえば、コンピュータプログラム命令）を処理するように構成された１つまたは複数のネットワークデバイス、回路、および／または処理コアを指すことがある。
【０３９５】
トランシーバ１４０３は、トランシーバタイプの任意のネットワークデバイスであり、別のデバイスとの通信、たとえば、ネットワークデバイスとの通信のために使用される。確かに、トランシーバ１４０３は、通信ネットワークと通信するようにさらに構成されてよい。
【０３９６】
図１４に図示されるネットワークデバイス構造は、ネットワークデバイスに対する制限を構成しない。ネットワークデバイスは、図に図示されるそれらよりも多いまたは少ない構成要素を含んでもよいし、いくつかの構成要素を組み合わせてもよいし、異なる構成要素配置を有してもよい。
【０３９７】
本発明の実施形態は、コンピュータ可読記憶媒体をさらに提供する。このコンピュータ可読記憶媒体は、命令を記憶する。コンピュータ可読記憶媒体が、図１１、図１０、および図３に図示される端末デバイス上で実行されるとき、端末デバイスは、図４から図９に図示される方法を実施することが可能にされる。
【０３９８】
本発明の実施形態は、コンピュータ可読記憶媒体をさらに提供する。このコンピュータ可読記憶媒体は、命令を記憶する。コンピュータ可読記憶媒体が、図１２、図１３、および図１４に図示されるネットワークデバイス上で実行されるとき、ネットワークデバイスは、図４から図９に図示される方法を実施することが可能にされる。
【０３９９】
本発明の実施形態は、ワイヤレス通信装置をさらに提供する。このワイヤレス通信装置は、命令を記憶する。ワイヤレス通信装置が、図１１、図１０、および図３に図示される端末デバイス上で実行されるとき、ワイヤレス通信装置は、図４から図９に図示される方法を実施することが可能にされる。ワイヤレス通信装置は、チップであってよい。
【０４００】
本発明の実施形態は、ワイヤレス通信装置をさらに提供する。このワイヤレス通信装置は、命令を記憶する。ワイヤレス通信装置が、図１２、図１３、および図１４に図示されるネットワークデバイス上で実行されるとき、ワイヤレス通信装置は、図４から図９に図示される方法を実施することが可能にされる。ワイヤレス通信装置は、チップであってよい。
【０４０１】
実装に関する前述の説明は、当業者が、好都合で短い説明の目的で、前述の機能モジュールへの分割は例示のための例と見なされるにすぎないことを明確に理解することを可能にする。実際の適用例では、前述の機能は、要件に基づく実装のために、異なる機能モジュールに割り当てられてよい。具体的に言えば、データベースアクセス装置の内部構造は、上記で説明された機能のすべてまたはいくつかを実装するために、異なる機能モジュールに分割される。
【０４０２】
本出願において提供されるいくつかの実施形態では、開示されるデータベースアクセス装置および方法は他の様式で実装されてよいことが理解されるべきである。たとえば、説明されたデータベースアクセス装置実施形態は、例にすぎない。たとえば、モジュールまたはユニットへの分割は、論理的機能分割にすぎない。実際の実装では、別の分割様式があってよい。たとえば、複数のユニットまたは構成要素が、別の装置に組み合わされまたは統合されてもよいし、いくつかの特徴が無視されてもよいし、実施されなくてもよい。さらに、表示または検討された相互結合または直接的な結合もしくは通信接続は、いくつかのインタフェースを使用することによって実装されてよい。データベースアクセス装置またはユニット間の間接的な結合または通信接続は、電子的な形、機械的な形、または他の形で実装されてよい。
【０４０３】
別個の部分として説明されたユニットは、物理的に別個であってもよいし、そうでなくてもよく、ユニットとして表示された部分は、１つまたは複数の物理ユニットであってもよいし、１つの場所内に置かれてもよいし、複数の異なる場所上に分散されてもよい。ユニットのいくつかまたはすべては、実施形態の解決策の目的を達成するために、実際の要件に基づいて選択されてよい。
【０４０４】
さらに、本出願の実施形態における機能ユニットが１つの処理ユニットに統合されてもよいし、ユニットの各々が物理的に単体で存在してもよいし、２つ以上のユニットが１つのユニットに統合されてもよい。統合されたユニットは、ハードウェアの形で実装されてもよいし、ソフトウェア機能ユニットの形で実装されてもよい。
【０４０５】
統合されたユニットが、ソフトウェア機能ユニットの形で実装され、独立した製品として販売または使用されるとき、統合されたユニットは、可読記憶媒体内に記憶されてよい。そのような理解に基づいて、本出願の実施形態の技術的解決策は本質的に、または従来技術に寄与する部分、または技術的解決策のすべてもしくはいくつかは、ソフトウェア製品の形で実装されてよい。ソフトウェア製品は、記憶媒体内に記憶され、本出願の実施形態において説明された方法のステップのすべてまたはいくつかを実施するようにデバイス（シングルチップマイクロコンピュータ、チップなどであってよい）またはプロセッサに命令するためのいくつかの命令を含む。前述の記憶媒体は、ＵＳＢフラッシュドライブ、リムーバブルハードディスク、ＲＯＭ、ＲＡＭ、磁気ディスク、または光ディスクなどの、プログラムコードを記憶することができる任意の媒体を含む。
【０４０６】
前述の説明は、本出願の特定の実装にすぎず、本出願の保護範囲を制限することを意図したものではない。本出願に開示されている技術的範囲内での任意の変形または置換は、本出願の保護範囲内に含まれるものとする。したがって、本出願の保護範囲は、特許請求の範囲の保護範囲に従うものとする。
【図１】
2021534681.tif 000003
【図２】
2021534681.tif 000004
【図３】
2021534681.tif 000005
【図４】
2021534681.tif 000006
【図４ａ】
2021534681.tif 000007
【図５】
2021534681.tif 000008
【図５ａ】
2021534681.tif 000009
【図６】
2021534681.tif 000010
【図７】
2021534681.tif 000011
【図８】
2021534681.tif 000012
【図９】
2021534681.tif 000013
【図１０】
2021534681.tif 000014
【図１１】
2021534681.tif 000015
【図１２】
2021534681.tif 000016
【図１３】
2021534681.tif 000017
【図１４】
2021534681.tif 000018
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
監視方法であって、
端末デバイスによって、第１の探索空間構成および第２の探索空間構成を取得するステップであって、
前記第１の探索空間構成は第１の探索空間セットを備え、前記第２の探索空間構成は第２の探索空間セットを備え、前記第１の探索空間セットは前記第２の探索空間セットとは異なる、ステップと、
前記端末デバイスによって、前記第１の探索空間構成に基づいて物理ダウンリンク制御チャネルＰＤＣＣＨを監視するステップと、
前記第１の探索空間構成に基づいて前記ＰＤＣＣＨを監視するときに前記端末デバイスが第１のダウンリンク制御情報ＤＣＩを受信した場合、前記端末デバイスによって、前記第２の探索空間構成に基づいて前記ＰＤＣＣＨを監視するステップと
を備える、監視方法。
【請求項２】
前記方法は、
前記端末デバイスが第２のＤＣＩを受信したとき、第１のタイマーを開始もしくは再開するステップ
をさらに備える請求項１に記載の監視方法。
【請求項３】
前記方法は、
前記第１のタイマーが満了した後に、前記端末デバイスによって、前記第１の探索空間構成に基づいてＰＤＣＣＨを監視するステップ
をさらに備える請求項２に記載の監視方法。
【請求項４】
端末デバイスによって、第１の探索空間構成および第２の探索空間構成を取得する前記ステップは、
前記端末デバイスによって、ネットワークデバイスによって送られた第１の情報を受信するステップであって、前記第１の情報は、前記第１の探索空間構成を備えるかまたは示す、ステップと、
前記端末デバイスによって、前記ネットワークデバイスによって送られた第２の情報を受信するステップであって、前記第２の情報は、前記第２の探索空間構成を備えるかまたは示す、ステップと
を備える請求項１乃至３のいずれか一項に記載の監視方法。
【請求項５】
前記方法は、
前記端末デバイスによって、探索空間情報要素ＩＥを受信するステップであって、前記探索空間情報要素はインジケーション情報を備え、前記インジケーション情報は、探索空間が前記第１の探索空間セット、または前記第２の探索空間セット、または前記第１の探索空間セットおよび前記第２の探索空間セットに属することを示す、ステップ
をさらに備える請求項１乃至４のいずれか一項に記載の監視方法。
【請求項６】
前記探索空間はＵＥ固有ＰＤＣＣＨパラメータである請求項５に記載の監視方法。
【請求項７】
前記第１のタイマーの長さは、無線リソース制御ＲＲＣシグナリングによって構成される請求項２又は３に記載の監視方法。
【請求項８】
前記第１の探索空間セットは、１つまたは複数の探索空間を備え、前記１つまたは複数の探索空間の各々は、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備え、
前記第２の探索空間セットは、１つまたは複数の探索空間を備え、前記１つまたは複数の探索空間の各々は、
ＰＤＣＣＨ監視期間、各ＰＤＣＣＨ監視期間中のＰＤＣＣＨ監視持続時間、候補ＰＤＣＣＨの量、ＣＣＥアグリゲーションレベル、および関連する制御リソースセット、のパラメータのうちの少なくとも１つを備える
請求項１乃至７のいずれか一項に記載の監視方法。
【請求項９】
前記第１の探索空間および前記第２の探索空間は、同じ帯域幅パートＢＷＰ中にある請求項１乃至８のいずれか一項に記載の監視方法。
【請求項１０】
前記方法は、ダウンリンク再送信タイマーが実行状態である、アップリンク再送信タイマーが実行状態である、競合解消タイマーが実行状態である、前記端末デバイスによって送られたスケジューリング要求が保留状態である、および前記端末デバイスが、ランダムアクセス応答ＲＡＲを正常に受信した後に、新しい送信を示すために使用されるＰＤＣＣＨを受信しない、ここにおいて、新しい送信を示すために使用される前記ＰＤＣＣＨは、セル無線ネットワーク一時識別子Ｃ−ＲＮＴＩを使用することによってスクランブルされ、前記ＲＡＲは、ターゲットランダムアクセスプリアンブルに対する応答であり、前記ターゲットランダムアクセスプリアンブルは、競合ベースランダムアクセスプリアンブルでない、の場合のうちの１つが生じたとき、前記端末デバイスによって、前記第２の探索空間構成に基づいて前記ＰＤＣＣＨを監視するステップをさらに備える請求項１乃至９のいずれか一項に記載の方法。
【請求項１１】
通信方法であって、
ネットワークデバイスによって、第１の探索空間構成に基づいて端末デバイスに物理ダウンリンク制御チャネルＰＤＣＣＨを送るステップと、
前記第１の探索空間構成に基づいて前記ＰＤＣＣＨを監視するときに前記端末デバイスが第１のダウンリンク制御情報ＤＣＩを受信した場合、前記ネットワークによって、第２の探索空間構成に基づいて前記ＰＤＣＣＨを送るステップであって、
前記第１の探索空間構成は第１の探索空間セットを備え、前記第２の探索空間構成は第２の探索空間セットを備え、前記第１の探索空間セットは前記第２の探索空間セットとは異なる、ステップと
を備える、通信方法。
【請求項１２】
前記端末デバイスが第２のＤＣＩを受信したとき、第１のタイマーが開始もしくは再開される請求項１１に記載の方法。
【請求項１３】
前記方法は、
前記第１のタイマーが満了した後に、前記ネットワークデバイスによって、前記第１の探索空間構成に基づいてＰＤＣＣＨを送るステップ
をさらに備える請求項１２に記載の方法。
【請求項１４】
前記方法は、
前記ネットワークデバイスによって、前記端末デバイスに第１の情報を送るステップであって、前記第１の情報は、前記第１の探索空間構成を備えるかまたは示す、ステップと、前記ネットワークデバイスによって、前記端末デバイスに第２の情報を送るステップであって、前記第２の情報は、前記第２の探索空間構成を備えるかまたは示す、ステップと
をさらに備える請求項１１乃至１３のいずれか一項に記載の方法。
【請求項１５】
前記方法は、
前記ネットワークデバイスによって、探索空間情報要素ＩＥを送るステップであって、前記探索空間情報要素はインジケーション情報を備え、前記インジケーション情報は、探索空間が前記第１の探索空間セット、または前記第２の探索空間セット、または前記第１の探索空間セットおよび前記第２の探索空間セットに属することを示す、ステップ
をさらに備える請求項１１乃至１４のいずれか一項に記載の方法。
【請求項１６】
前記探索空間は、ＵＥ固有ＰＤＣＣＨパラメータである請求項１５に記載の方法。
【請求項１７】
前記第１のタイマーの長さは、無線リソース制御ＲＲＣシグナリングによって構成される請求項１２又１３に記載の方法。
【請求項１８】
前記第１の探索空間および前記第２の探索空間は、同じ帯域幅パートＢＷＰ中にある請求項１１乃至１７のいずれか一項に記載の方法。
【請求項１９】
コンピュータ可読記憶媒体であって、前記コンピュータ可読記憶媒体は命令を記憶し、前記コンピュータ可読記憶媒体が端末デバイス上で実行されたとき、前記端末デバイスは、請求項１乃至１０のいずれか一項に記載の方法を実施することを可能にされる、コンピュータ可読記憶媒体。
【請求項２０】
ワイヤレス通信装置であって、前記ワイヤレス通信装置は命令を記憶し、前記ワイヤレス通信装置が端末デバイス上で実行されたとき、前記端末デバイスは、請求項１乃至１０のいずれか一項に記載の方法を実施することを可能にされる、ワイヤレス通信装置。
【請求項２１】
前記ワイヤレス通信装置はチップである請求項２０に記載のワイヤレス通信装置。
【請求項２２】
コンピュータ可読記憶媒体であって、前記コンピュータ可読記憶媒体は命令を記憶し、前記コンピュータ可読記憶媒体がネットワークデバイス上で実行されたとき、前記ネットワークデバイスは、請求項１１乃至１８のいずれか一項に記載の方法を実施することを可能にされる、コンピュータ可読記憶媒体。
【請求項２３】
ワイヤレス通信装置であって、前記ワイヤレス通信装置は命令を記憶し、前記ワイヤレス通信装置がネットワークデバイス上で実行されたとき、前記ネットワークデバイスは、請求項１１乃至１８のいずれか一項に記載の方法を実施することを可能にされる、ワイヤレス通信装置。
【請求項２４】
プログラムであって、前記プログラムは、請求項１乃至１０、１１乃至１８のいずれか一項に記載の方法を実施するようにプロセッサを適応させる、プログラム。
【手続補正２】
【補正対象書類名】明細書
【補正対象項目名】００６５
【補正方法】変更
【補正の内容】
【００６５】
第７の態様または第７の態様の第１から第６の可能な実装のいずれか１つに関して、第７の態様の第７の可能な実装では、本方法は、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間構成に基づいてＰＤＣＣＨを送るステップをさらに含む。
【手続補正３】
【補正対象書類名】明細書
【補正対象項目名】００６６
【補正方法】変更
【補正の内容】
【００６６】
第８の態様によれば、通信方法が開示され、本方法は、第１の条件が満たされた場合、ネットワークデバイスによって、第１の探索空間構成に基づいて端末デバイスにＰＤＣＣＨを送るステップ、または第２の条件が満たされた場合、ネットワークデバイスによって、第２の探索空間構成に基づいて端末デバイスにＰＤＣＣＨを送るステップを含み、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータであり、第２の探索空間構成は第２の探索空間パラメータであり、第１の探索空間パラメータは第２の探索空間パラメータとは異なる。第１の条件は、端末デバイスが第１の瞬間と第２の瞬間との間にあることを含む。第２の条件は、端末デバイスが第２の瞬間の後にあることを含む。第１の瞬間は間欠受信ＤＲＸオン持続時間（Ｏｎ  Ｄｕｒａｔｉｏｎ）の開始瞬間であり得ることに留意されたい。第２の瞬間は第３の瞬間であり、第３の瞬間は、端末デバイスが第１の瞬間の後に第ＮのＰＤＣＣＨを受信する瞬間であり得る。代替として、第２の瞬間は、第１の持続時間だけ第３の瞬間よりも後の瞬間である。Ｎは１以上の整数であり、第１の持続時間の長さは０よりも大きい。
【手続補正４】
【補正対象書類名】明細書
【補正対象項目名】００９８
【補正方法】変更
【補正の内容】
【００９８】
第１２の態様によれば、通信方法が開示され、本方法は、ネットワークデバイスによって、インジケーション情報を送るステップであって、インジケーション情報は、端末デバイスがインジケーション情報を受信した後に存在する第１の持続時間内にＰＤＣＣＨを監視することを停止するように端末デバイスに示すために使用されるか、またはインジケーション情報は、端末デバイスがインジケーション情報を受信した後に存在する第２の持続時間内にＰＤＣＣＨを監視するように端末デバイスに示すために使用される、ステップと、ネットワークデバイスによって、第１の持続時間以外の持続時間内に、または第２の持続時間内に端末デバイスにＰＤＣＣＨを送るステップであって、インジケーション情報は、ＭＩＭＯレイヤ量を含むかまたは示す、ステップと、ネットワークデバイスによって、インジケーション情報中に含まれるかまたはインジケーション情報によって示されるＭＩＭＯレイヤ量に基づいて端末デバイスに物理ダウンリンク共有チャネルＰＤＳＣＨを送るステップであって、ＰＤＣＣＨは、ＰＤＳＣＨを示すために使用される、ステップとを含む。
【手続補正５】
【補正対象書類名】明細書
【補正対象項目名】０１４７
【補正方法】変更
【補正の内容】
【０１４７】
第１９の態様によれば、送りユニットを含むネットワークデバイスが開示され、送りユニットは、第１の条件が満たされた場合、第１の探索空間構成に基づいて端末デバイスにＰＤＣＣＨを送るか、または第２の条件が満たされた場合、ネットワークデバイスによって、第２の探索空間構成に基づいて端末デバイスにＰＤＣＣＨを送るように構成され、第１の条件は、端末デバイスの第１のタイマーが実行状態でないことを含み、第２の条件は、第１のタイマーが実行状態であることを含む。第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータであり、第２の探索空間構成は第２の探索空間パラメータであり、第１の探索空間パラメータは第２の探索空間パラメータとは異なる。
【手続補正６】
【補正対象書類名】明細書
【補正対象項目名】０１５７
【補正方法】変更
【補正の内容】
【０１５７】
第１９の態様または第１９の態様の第１から第６の可能な実装のいずれか１つに関して、第１９の態様の第７の可能な実装では、送りユニットは、ダウンリンク再送信タイマーが実行状態である、アップリンク再送信タイマーが実行状態である、競合解消タイマーが実行状態である、端末デバイスによって送られたスケジューリング要求が保留状態である、および端末デバイスが、ランダムアクセス応答ＲＡＲを正常に受信した後に、新しい送信を示すために使用されるＰＤＣＣＨを受信しない、ここで、新しい送信を示すために使用されるＰＤＣＣＨは、セル無線ネットワーク一時識別子Ｃ−ＲＮＴＩを使用することによってスクランブルされ、ＲＡＲは、ターゲットランダムアクセスプリアンブルに対する応答であり、ターゲットランダムアクセスプリアンブルは、競合ベースランダムアクセスプリアンブルでない、の場合のうちの１つが生じたとき、ネットワークデバイスによって、第２の探索空間構成に基づいてＰＤＣＣＨを送るようにさらに構成される。
【手続補正７】
【補正対象書類名】明細書
【補正対象項目名】０１５８
【補正方法】変更
【補正の内容】
【０１５８】
第２０の態様によれば、送りユニットを含むネットワークデバイスが開示され、送りユニットは、第１の条件が満たされたとき、第１の探索空間構成に基づいて端末デバイスにＰＤＣＣＨを送るか、または第２の条件が満たされた場合、第２の探索空間構成に基づいて端末デバイスにＰＤＣＣＨを送るように構成され、第１の探索空間構成は第１の探索空間セットを含み、第２の探索空間構成は第２の探索空間セットを含み、第１の探索空間セットは第２の探索空間セットとは異なるか、または第１の探索空間構成は第１の探索空間パラメータであり、第２の探索空間構成は第２の探索空間パラメータであり、第１の探索空間パラメータは第２の探索空間パラメータとは異なる。第１の条件は、端末デバイスが第１の瞬間と第２の瞬間との間にあることを含む。第２の条件は、端末デバイスが第２の瞬間の後にあることを含む。第１の瞬間は間欠受信ＤＲＸオン持続時間（Ｏｎ  Ｄｕｒａｔｉｏｎ）の開始瞬間であり得ることに留意されたい。第２の瞬間は第３の瞬間であり、第３の瞬間は、端末デバイスが第１の瞬間の後に第ＮのＰＤＣＣＨを受信する瞬間であり得る。代替として、第２の瞬間は、第１の持続時間だけ第３の瞬間よりも後の瞬間である。Ｎは１以上の整数であり、第１の持続時間の長さは０よりも大きい。
【手続補正８】
【補正対象書類名】明細書
【補正対象項目名】０１９１
【補正方法】変更
【補正の内容】
【０１９１】
第２４の態様によれば、送りユニットを含むネットワークデバイスが開示され、送りユニットは、インジケーション情報を送るように構成され、インジケーション情報は、端末デバイスがインジケーション情報を受信した後に存在する第１の持続時間内にＰＤＣＣＨを監視することを停止するように端末デバイスに示すために使用されるか、またはインジケーション情報は、端末デバイスがインジケーション情報を受信した後に存在する第２の持続時間内にＰＤＣＣＨを監視するように端末デバイスに示すために使用され、送りユニットは、第１の持続時間以外の持続時間内に、または第２の持続時間内に端末デバイスにＰＤＣＣＨを送り、インジケーション情報によって示されるＭＩＭＯレイヤ量に基づいて端末デバイスに物理ダウンリンク共有チャネルＰＤＳＣＨを送るようにさらに構成され、ＰＤＣＣＨは、ＰＤＳＣＨを示すために使用される。
【手続補正９】
【補正対象書類名】明細書
【補正対象項目名】０２８７
【補正方法】変更
【補正の内容】
【０２８７】
いくつかの実施形態では、端末デバイスは、第１の条件または第２の条件が満たされたかどうかを決定した結果に基づいて、ＰＤＳＣＨを受信するために使用されるべきＭＩＭＯレイヤ量をさらに決定することがある。たとえば、第１の条件が満たされた場合、ＰＤＣＣＨによって示されるＰＤＳＣＨを受信するために端末デバイスによって使用されるべき多入力多出力ＭＩＭＯレイヤ量は、第１のＭＩＭＯレイヤ量である、または第２の条件が満たされた場合、ＰＤＣＣＨによって示されるＰＤＳＣＨを受信するために端末デバイスによって使用されるべきＭＩＭＯレイヤ量は、第２のＭＩＭＯレイヤ量である。第１のＭＩＭＯレイヤ量は第２のＭＩＭＯレイヤ量とは異なり、第１のＭＩＭＯレイヤ量は最大ＭＩＭＯレイヤ量であってよく、第２のＭＩＭＯレイヤ量は第１のＭＩＭＯレイヤ量よりも小さい。
【手続補正１０】
【補正対象書類名】明細書
【補正対象項目名】０２９３
【補正方法】変更
【補正の内容】
【０２９３】
（２）探索空間ＩＥは１つのインジケーション情報を含み、このインジケーション情報は、探索空間が第１の探索空間セットに属するかどうかを示す。インジケーション情報は、２つの値を有する。一方の値は、探索空間が第１の探索空間セットに属することを示し、他方の値は、探索空間が第１の探索空間セットに属さないことを示す。たとえば、ＳｅａｒｃｈＳｐａｃｅ  ＩＥはｓｅａｒｃｈＳｐａｃｅＤｅｆａｕｌｔを含み、ｓｅａｒｃｈＳｐａｃｅＤｅｆａｕｌｔの利用可能な値は、「ｔｒｕｅ」と「ｆａｌｓｅ」とを含み、「ｔｒｕｅ」は、探索空間が第１の探索空間セットに属することを示し、「ｆａｌｓｅ」は、探索空間が第１の探索空間セットに属さないことを示す。標準における特定の実装は、以下の通りであってよい。  
SearchSpace ::=                        SEQUENCE {
searchSpaceDefault
ENUMERATED {true, false}
}
【手続補正１１】
【補正対象書類名】明細書
【補正対象項目名】０３１５
【補正方法】変更
【補正の内容】
【０３１５】
たとえば、第１のタイマーはｄｒｘ−ＩｎａｃｔｉｖｉｔｙＴｉｍｅｒであり、第３のタイマーはｏｎＤｕｒａｔｉｏｎＴｉｍｅｒである。図５ａを参照すると、ＤＲＸサイクル中のオン持続時間は瞬間Ｔ４から開始し、ｄｒｘ−ＩｎａｃｔｉｖｉｔｙＴｉｍｅｒは瞬間Ｔ５に開始される。言い換えれば、瞬間Ｔ４から瞬間Ｔ５まで、第３のタイマーは実行状態であり、第１のタイマーｄｒｘ−ＩｎａｃｔｉｖｉｔｙＴｉｍｅｒは実行状態でない。端末デバイスは、第１の探索空間構成に基づいてＰＤＣＣＨを監視する。第１のタイマーｄｒｘ−ＩｎａｃｔｉｖｉｔｙＴｉｍｅｒは、瞬間Ｔ５から瞬間Ｔ６まで実行状態であり、端末デバイスは、第２の探索空間構成に基づいてＰＤＣＣＨを監視する。
【手続補正１２】
【補正対象書類名】明細書
【補正対象項目名】０３４７
【補正方法】変更
【補正の内容】
【０３４７】
通常、ネットワークデバイスは、ダウンリンク制御情報（Ｄｏｗｎｌｉｎｋ  Ｃｏｎｔｒｏｌ  Ｉｎｆｏｒｍａｔｉｏｎ、ＤＣＩ）内で、ＰＤＳＣＨのために使用されるアンテナポートを示す。アンテナポートの量は、ＭＩＭＯレイヤ量の値である。ＭＩＭＯレイヤ量が比較的小さいとき、端末デバイスは、比較的小さい量の受信アンテナまたは受信チェーン（Ｒｘ  ｃｈａｉｎ）を使用し得る。ＭＩＭＯレイヤ量が比較的大きいとき、端末デバイスは、比較的大きい量の受信アンテナまたは受信チェーンを使用する必要がある。したがって、端末デバイスがより大きいＭＩＭＯレイヤ量を使用するときに引き起こされる電力消費量は、端末デバイスがより小さいＭＩＭＯレイヤ量を使用するときに引き起こされる電力消費量よりも高い。端末デバイスの電力消費量を低減するために、端末デバイスは、異なる場合において異なるＭＩＭＯレイヤ量を使用することによって、ＰＤＳＣＨを受信し得る。
【手続補正１３】
【補正対象書類名】明細書
【補正対象項目名】０３８９
【補正方法】変更
【補正の内容】
【０３８９】
たとえば、統合ユニットが使用されるとき、図１３は、本出願の実施形態によるネットワークデバイスの概略構造図である。図１３では、ネットワークデバイスは、処理モジュール１３０１と、通信モジュール１３０２とを含む。処理モジュール１３０１は、ネットワークデバイスの行動を制御および管理する、たとえば、前述の処理ユニット１２０３によって実施されるステップ、および／または本明細書において説明される技術における別のプロセスを実施するように構成される。通信モジュール１３０２は、ネットワークデバイスと別のデバイスとの間の対話をサポートする、たとえば、前述の受信ユニット１２０１および送出ユニット１２０２によって実施されるステップ、ならびにネットワークデバイスとのさまざまなタイプの対話を実施するように構成される。図１３に図示されるように、ネットワークデバイスは、記憶モジュール１３０３をさらに含んでよく、記憶モジュール１３０３は、プログラムコードおよびネットワークデバイスのデータを記憶するように構成される。
【国際調査報告】
2021534681.tif 000019
2021534681.tif 000020
2021534681.tif 000021
2021534681.tif 000022
2021534681.tif 000023